(57)【特許請求の範囲】
【請求項１】
無線通信システムにおいてユーザー機器（ＵＥ）によって基地局（ＢＳ）に上りリンク制御（ＵＬ）情報を伝送する方法であって、前記方法は、
第１の搬送波の４個の下りリンク（ＤＬ）サブフレームに対する第１のＡＣＫ（ＡＣＫｎｏｗｌｅｄｇｅｍｅｎｔ）／ＮＡＣＫ（Ｎｅｇａｔｉｖｅ  ＡＣＫ）／ＤＴＸ（Ｄｉｓｃｏｎｔｉｎｕｏｕｓ  Ｔｒａｎｓｍｉｓｓｉｏｎ）応答を検出することと、
第２の搬送波の４個のＤＬサブフレームに対する第２のＡＣＫ／ＮＡＣＫ／ＤＴＸ応答を検出することと、
前記第１のＡＣＫ／ＮＡＣＫ／ＤＴＸ応答、前記第２のＡＣＫ／ＮＡＣＫ／ＤＴＸ応答を、下記＜表１＞に従って、それぞれ、第１の状態「ｂ０，ｂ１」、第２の状態「ｂ２，ｂ３」にマッピングすることであって、
【表１】
0005985498.tif 000047
「ＵＤＡＩ」は、前記ＵＥによって検出された割当ＰＤＳＣＨ伝送を有する物理下りリンク制御チャネル（ＰＤＣＣＨ）及び下りリンク半−持続的スケジューリング（ＳＰＳ）解除を表すＰＤＣＣＨの総個数を表し、「ＮＳＰＳ」は、対応ＰＤＣＣＨのないＰＤＳＣＨ伝送の個数を表す、ことと、
チャネル選択用マッピングテーブルに従って、前記第１及び第２の状態「ｂ０，ｂ１，ｂ２，ｂ３」に基づいて、前記第１及び第２の搬送波のＡＣＫ／ＮＡＣＫ情報に対するデータコンステレーション並びに複数の物理上りリンク制御チャネル（ＰＵＣＣＨ）リソースのうちの一つのＰＵＣＣＨリソースを選択することによってチャネル選択を行うことと、
前記選択されたＰＵＣＣＨリソース上で前記データコンステレーションに対応する伝送ビットを伝送することと
を含む、方法。
【請求項２】
前記チャネル選択用マッピングテーブルは、下記＜表２＞に対応し、
【表２】
0005985498.tif 000048
「Ｎ／Ｄ」は、「Ｎ」または「Ｄ」を表し、「ｎ（１）ＰＵＣＣＨｉ」は、前記複数のＰＵＣＣＨリソースの中のＰＵＣＣＨリソースｉ（０≦ｉ≦３）であり、ｎ（１）ＰＵＣＣＨｉ列における「ＤＴＸ」は、ＡＣＫ／ＮＡＣＫ非伝送を表し、
前記第１の搬送波は、主セルであり、前記第２の搬送波は、副セルである、請求項１に記載の方法。
【請求項３】
無線通信システムにおいて基地局（ＢＳ）によってユーザー機器（ＵＥ）から上りリンク（ＵＬ）制御情報を受信する方法であって、前記方法は、
前記ユーザー機器（ＵＥ）に第１の搬送波及び第２の搬送波を伝送することと、
前記ユーザー機器（ＵＥ）から、複数の物理上りリンク制御チャネル（ＰＵＣＣＨ）リソースのうちの一つのＰＵＣＣＨリソース上でデータコンステレーションに対応する伝送ビットを受信することと、
前記データコンステレーション、及び、前記データコンステレーションに対応する伝送ビットが受信されたＰＵＣＣＨリソースに基づいて、前記第１の搬送波の４個の下りリンク（ＤＬ）サブフレームに対する第１のＡＣＫ（ＡＣＫｎｏｗｌｅｄｇｅｍｅｎｔ）／ＮＡＣＫ（Ｎｅｇａｔｉｖｅ  ＡＣＫ）／ＤＴＸ（Ｄｉｓｃｏｎｔｉｎｕｏｕｓ  Ｔｒａｎｓｍｉｓｓｉｏｎ）応答、及び、前記第２の搬送波の４個のＤＬサブフレームに対する第２のＡＣＫ／ＮＡＣＫ／ＤＴＸ応答を決定することと
を含み、
前記データコンステレーション、及び、前記データコンステレーションに対応する伝送ビットが受信されたＰＵＣＣＨリソースは、チャネル選択用マッピングテーブルに従って、第１の状態「ｂ０，ｂ１」及び第２の状態「ｂ２，ｂ３」にデマッピングされ、
前記第１のＡＣＫ／ＮＡＣＫ／ＤＴＸ応答及び前記第２のＡＣＫ／ＮＡＣＫ／ＤＴＸ応答は、下記＜表１＞に従って、前記第１の状態「ｂ０，ｂ１」及び前記第２の状態「ｂ２，ｂ３」を用いて決定され、
【表３】
0005985498.tif 000049
「ＵＤＡＩ」は、前記ＵＥによって検出された割当ＰＤＳＣＨ伝送を有する物理下りリンク制御チャネル（ＰＤＣＣＨ）及び下りリンク半−持続的スケジューリング（ＳＰＳ）解除を表すＰＤＣＣＨの総個数を表し、「ＮＳＰＳ」は、対応ＰＤＣＣＨのないＰＤＳＣＨ伝送の個数を表す、方法。
【請求項４】
前記チャネル選択用マッピングテーブルは、下記＜表２＞に対応し、
【表４】
0005985498.tif 000050
「Ｎ／Ｄ」は、「Ｎ」または「Ｄ」を表し、「ｎ（１）ＰＵＣＣＨｉ」は、前記複数のＰＵＣＣＨリソースの中のＰＵＣＣＨリソースｉ（０≦ｉ≦３）であり、ｎ（１）ＰＵＣＣＨｉ列における「ＤＴＸ」は、ＡＣＫ／ＮＡＣＫ非伝送を表し、
前記第１の搬送波は、主セルであり、前記第２の搬送波は、副セルである、請求項３に記載の方法。
【請求項５】
無線通信システムにおいて基地局（ＢＳ）に上りリンク（ＵＬ）制御情報を伝送するユーザー機器（ＵＥ）であって、前記ユーザー機器（ＵＥ）は
受信器と、
送信器と、
前記受信器及び前記送信器を制御するように構成されたプロセッサと
を備え、
前記プロセッサは、
第１の搬送波の４個の下りリンク（ＤＬ）サブフレームに対する第１のＡＣＫ（ＡＣＫｎｏｗｌｅｄｇｅｍｅｎｔ）／ＮＡＣＫ（Ｎｅｇａｔｉｖｅ  ＡＣＫ）／ＤＴＸ（Ｄｉｓｃｏｎｔｉｎｕｏｕｓ  Ｔｒａｎｓｍｉｓｓｉｏｎ）応答を検出すること、及び、第２の搬送波の４個のＤＬサブフレームに対する第２のＡＣＫ／ＮＡＣＫ／ＤＴＸ応答を検出することを行うように前記受信器を制御することと、
前記第１のＡＣＫ／ＮＡＣＫ／ＤＴＸ応答、前記第２のＡＣＫ／ＮＡＣＫ／ＤＴＸ応答を、下記＜表１＞に従って、それぞれ、第１の状態「ｂ０，ｂ１」、第２の状態「ｂ２，ｂ３」にマッピングすることであって、
【表５】
0005985498.tif 000051
「ＵＤＡＩ」は、前記ＵＥによって検出された割当ＰＤＳＣＨ伝送を有する物理下りリンク制御チャネル（ＰＤＣＣＨ）及び下りリンク半−持続的スケジューリング（ＳＰＳ）解除を表すＰＤＣＣＨの総個数を表し、「ＮＳＰＳ」は、対応ＰＤＣＣＨのないＰＤＳＣＨ伝送の個数を表す、ことと、
チャネル選択用マッピングテーブルに従って、前記第１及び第２の状態に基づいて、前記第１及び第２の搬送波のＡＣＫ／ＮＡＣＫ情報に対するデータコンステレーション並びに複数の物理上りリンク制御チャネル（ＰＵＣＣＨ）リソースのうちの一つのＰＵＣＣＨリソースを選択することによってチャネル選択を行うことと、
前記選択されたＰＵＣＣＨリソース上で前記データコンステレーションに対応する伝送ビットを伝送するように前記送信器を制御することと
を実行するように構成される、ユーザー機器（ＵＥ）。
【請求項６】
前記チャネル選択用マッピングテーブルは、下記＜表２＞に対応し、
【表６】
0005985498.tif 000052
「Ｎ／Ｄ」は、「Ｎ」または「Ｄ」を表し、「ｎ（１）ＰＵＣＣＨｉ」は、前記複数のＰＵＣＣＨリソースの中のＰＵＣＣＨリソースｉ（０≦ｉ≦３）であり、ｎ（１）ＰＵＣＣＨｉ列における「ＤＴＸ」は、ＡＣＫ／ＮＡＣＫ非伝送を表し、
前記第１の搬送波は、主セルであり、前記第２の搬送波は、副セルである、請求項４に記載のユーザー機器（ＵＥ）。
【請求項７】
無線通信システムにおいてユーザー機器（ＵＥ）から上りリンク（ＵＬ）制御情報を受信する基地局（ＢＳ）であって、前記基地局（ＢＳ）は、
受信器と、
送信器と、
前記受信器及び前記送信器を制御するように構成されたプロセッサと
を備え、
前記プロセッサは、
前記ユーザー機器（ＵＥ）に第１の搬送波及び第２の搬送波を伝送するように前記送信器を制御することと、
複数の物理上りリンク制御チャネル（ＰＵＣＣＨ）リソースのうちの一つのＰＵＣＣＨリソース上でデータコンステレーションに対応する伝送ビットを受信するように前記受信器を制御することと、
前記データコンステレーション、及び、前記データコンステレーションに対応する伝送ビットが受信されたＰＵＣＣＨリソースに基づいて、前記第１の搬送波の４個の下りリンク（ＤＬ）サブフレームに対する第１のＡＣＫ（ＡＣＫｎｏｗｌｅｄｇｅｍｅｎｔ）／ＮＡＣＫ（Ｎｅｇａｔｉｖｅ  ＡＣＫ）／ＤＴＸ（Ｄｉｓｃｏｎｔｉｎｕｏｕｓ  Ｔｒａｎｓｍｉｓｓｉｏｎ）応答、及び、前記第２の搬送波の４個のＤＬサブフレームに対する第２のＡＣＫ／ＮＡＣＫ／ＤＴＸ応答を決定することと
を実行するように構成され、
前記データコンステレーション、及び、前記データコンステレーションに対応する伝送ビットが受信されたＰＵＣＣＨリソースは、チャネル選択用マッピングテーブルに従って、第１の状態「ｂ０，ｂ１」及び第２の状態「ｂ２，ｂ３」にデマッピングされ、
前記第１のＡＣＫ／ＮＡＣＫ／ＤＴＸ応答及び前記第２のＡＣＫ／ＮＡＣＫ／ＤＴＸ応答は、下記＜表１＞に従って、前記第１の状態「ｂ０，ｂ１」及び前記第２の状態「ｂ２，ｂ３」を用いて決定され、
【表７】
0005985498.tif 000053
「ＵＤＡＩ」は、前記ＵＥによって検出された割当ＰＤＳＣＨ伝送を有する物理下りリンク制御チャネル（ＰＤＣＣＨ）及び下りリンク半−持続的スケジューリング（ＳＰＳ）解除を表すＰＤＣＣＨの総個数を表し、「ＮＳＰＳ」は、対応ＰＤＣＣＨのないＰＤＳＣＨ伝送の個数を表す、基地局（ＢＳ）。
【請求項８】
前記チャネル選択用マッピングテーブルは、下記＜表２＞に対応し、
【表８】
0005985498.tif 000054
「Ｎ／Ｄ」は、「Ｎ」または「Ｄ」を表し、「ｎ（１）ＰＵＣＣＨｉ」は、前記複数のＰＵＣＣＨリソースの中のＰＵＣＣＨリソースｉ（０≦ｉ≦３）であり、ｎ（１）ＰＵＣＣＨｉ列における「ＤＴＸ」は、ＡＣＫ／ＮＡＣＫ非伝送を表し、
前記第１の搬送波は、主セルであり、前記第２の搬送波は、副セルである、請求項７に記載の基地局（ＢＳ）。
【発明の詳細な説明】
【技術分野】
【０００１】
本発明は、無線通信システムに関する。特に、本発明は、上りリンク制御情報を伝送する方法及び装置に関する。
【背景技術】
【０００２】
無線通信システムが音声やデータのような種々の通信サービスを提供するために広範囲に展開されている。一般に、無線通信システムは、可用のシステムリソース（帯域幅、伝送パワーなど）を共有してマルチユーザーとの通信を支援し得る多重接続（ｍｕｌｔｉｐｌｅ  ａｃｃｅｓｓ）システムのことをいう。多重接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システム、ＭＣ−ＦＤＭＡ（ｍｕｌｔｉ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【発明の概要】
【発明が解決しようとする課題】
【０００３】
本発明の目的は、無線通信システムにおいて制御情報を效率的に伝送する方法及びそのための装置を提供することにある。本発明の他の目的は、制御情報を效率的に伝送するためのチャネルフォーマット、信号処理、及びそのための装置を提供することにある。本発明のさらに他の目的は、制御情報を伝送するためのリソースを效率的に割り当てる方法及びそのための装置を提供することにある。
【０００４】
本発明が達成しようとする技術的課題は、上記の技術的課題に制限されず、言及していない他の技術的課題は、以下の発明の詳細な説明から、本発明の属する技術の分野における通常の知識を有する者には明確に理解されるであろう。
【課題を解決するための手段】
【０００５】
本発明の一態様として、無線通信システムにおいてユーザー機器が基地局に上りリンク（ＵＬ）制御情報を伝送する方法であって、第１の搬送波上の４個の下りリンク（ＤＬ）伝送のそれぞれに対する４個の第１のＡＣＫ（ＡＣＫｎｏｗｌｅｄｇｅｍｅｎｔ）／ＮＡＣＫ（Ｎｅｇａｔｉｖｅ  ＡＣＫ）／ＤＴＸ（Ｄｉｓｃｏｎｔｉｎｕｏｕｓ  Ｔｒａｎｓｍｉｓｓｉｏｎ）応答［ｘ（０），ｘ（１），ｘ（２），ｘ（３）］（ここで、ｘ（ｉ）（０≦ｉ≦３）は、前記第１の搬送波上のｉ番目のＤＬ伝送に対するＡＣＫ／ＮＡＣＫ／ＤＴＸ応答）を検出することと、第２の搬送波上の４個のＤＬ伝送のそれぞれに対する４個の第２のＡＣＫ／ＮＡＣＫ／ＤＴＸ応答［ｙ（０），ｙ（１），ｙ（２），ｙ（３）］（ここで、ｙ（ｉ）（０≦ｉ≦３）は、前記第２の搬送波上のｉ番目のＤＬ伝送に対するＡＣＫ／ＮＡＣＫ／ＤＴＸ応答）を検出することと、［ｘ（０），ｘ（１），ｘ（２），ｘ（３）］及び［ｙ（０），ｙ（１），ｙ（２），ｙ（３）］に基づいて、複数の物理上りリンク制御チャネル（ｐｈｙｓｉｃａｌ  ｕｐｌｉｎｋ  ｃｏｎｔｒｏｌ  ｃｈａｎｎｅｌ、ＰＵＣＣＨ）リソースのうち一つを選択し、前記伝送ビットを生成してチャネル選択を行うことと、前記選択されたＰＵＣＣＨリソース上で前記生成された伝送ビットを伝送することと、を具備し、［ｙ（０），ｙ（１），ｙ（２），ｙ（３）］が同一であれば、［ｘ（０），ｘ（１），ｘ（２），ｘ（３）］＝［ＡＣＫ，ＡＣＫ，ＡＣＫ，ＡＣＫ］及び［ｘ（０），ｘ（１），ｘ（２），ｘ（３）］＝［ＡＣＫ，ＤＴＸ，ＤＴＸ，ＤＴＸ］に対して同じ伝送ビットが生成される、上りリンク制御情報伝送方法が提供される。
【０００６】
本発明の他の態様として、無線通信システムにおいて基地局に上りリンク（ＵＬ）制御情報を伝送するユーザー機器であって、受信器と、送信器と、前記受信器及び前記送信器を制御するように構成されたプロセッサと、を備え、前記プロセッサは、第１の搬送波上の４個の下りリンク（ＤＬ）伝送のそれぞれに対する４個の第１のＡＣＫ（ＡＣＫｎｏｗｌｅｄｇｅｍｅｎｔ）／ＮＡＣＫ（Ｎｅｇａｔｉｖｅ  ＡＣＫ）／ＤＴＸ（Ｄｉｓｃｏｎｔｉｎｕｏｕｓ  Ｔｒａｎｓｍｉｓｓｉｏｎ）応答［ｘ（０），ｘ（１），ｘ（２），ｘ（３）］（ここで、ｘ（ｉ）（０≦ｉ≦３）は、前記第１の搬送波上のｉ番目のＤＬ伝送に対するＡＣＫ／ＮＡＣＫ／ＤＴＸ応答）を検出するように前記受信器を制御し、第２の搬送波上の４個のＤＬ伝送のそれぞれに対する４個の第２のＡＣＫ／ＮＡＣＫ／ＤＴＸ応答［ｙ（０），ｙ（１），ｙ（２），ｙ（３）］（ここで、ｙ（ｉ）（０≦ｉ≦３）は、前記第２の搬送波上のｉ番目のＤＬ伝送に対するＡＣＫ／ＮＡＣＫ／ＤＴＸ応答）を検出するように前記受信器を制御し、前記プロセッサは、［ｘ（０），ｘ（１），ｘ（２），ｘ（３）］及び［ｙ（０），ｙ（１），ｙ（２），ｙ（３）］に基づいて、複数の物理上りリンク制御チャネル（ｐｈｙｓｉｃａｌ  ｕｐｌｉｎｋ  ｃｏｎｔｒｏｌ  ｃｈａｎｎｅｌ、ＰＵＣＣＨ）リソースのうち一つを選択し、前記第１の搬送波及び前記第２の搬送波のＡＣＫ／ＮＡＣＫ情報のための伝送ビットを生成してチャネル選択を行うように構成され、前記プロセッサは、前記選択されたＰＵＣＣＨリソース上で前記生成された伝送ビットを伝送するように前記送信器を制御し、［ｙ（０），ｙ（１），ｙ（２），ｙ（３）］が同一であれば、［ｘ（０），ｘ（１），ｘ（２），ｘ（３）］＝［ＡＣＫ，ＡＣＫ，ＡＣＫ，ＡＣＫ］及び［ｘ（０），ｘ（１），ｘ（２），ｘ（３）］＝［ＡＣＫ，ＤＴＸ，ＤＴＸ，ＤＴＸ］に対して同じ伝送ビットが生成される、ユーザー機器が提供される。
【０００７】
本発明の他の態様として、無線通信システムにおいて基地局がユーザー機器から上りリンク（ＵＬ）制御情報を受信する方法であって、前記ユーザー機器に第１の搬送波及び第２の搬送波を伝送することと、前記ユーザー機器から複数の物理上りリンク制御チャネル（ｐｈｙｓｉｃａｌ  ｕｐｌｉｎｋ  ｃｏｎｔｒｏｌ  ｃｈａｎｎｅｌ、ＰＵＣＣＨ）リソースの一つ上で伝送ビットを受信することと、前記伝送ビット及び前記伝送ビットが受信されたＰＵＣＣＨリソースに基づいて、前記第１の搬送波に対する第１のＡＣＫ（ＡＣＫｎｏｗｌｅｄｇｅｍｅｎｔ）／ＮＡＣＫ（Ｎｅｇａｔｉｖｅ  ＡＣＫ）／ＤＴＸ（Ｄｉｓｃｏｎｔｉｎｕｏｕｓ  Ｔｒａｎｓｍｉｓｓｉｏｎ）応答［ｘ（０），ｘ（１），ｘ（２），ｘ（３）］（ここで、ｘ（ｉ）（０≦ｉ≦３）は、前記第１の搬送波上のｉ番目のＤＬ伝送に対するＡＣＫ／ＮＡＣＫ／ＤＴＸ応答）、及び前記第２の搬送波に対する第２のＡＣＫ／ＮＡＣＫ／ＤＴＸ応答［ｙ（０），ｙ（１），ｙ（２），ｙ（３）］（ここで、ｙ（ｉ）（０≦ｉ≦３）は、前記第２の搬送波上のｉ番目のＤＬ伝送に対するＡＣＫ／ＮＡＣＫ／ＤＴＸ応答）を決定することと、を具備する、上りリンク制御情報受信方法が提供される。
【０００８】
本発明の他の態様として、無線通信システムにおいてユーザー機器から上りリンク（ＵＬ）制御情報を受信する基地局であって、受信器と、送信器と、前記受信器及び送信器を制御するように構成されたプロセッサと、を備え、前記プロセッサは、前記ユーザー機器に第１の搬送波及び第２の搬送波を伝送するように前記送信器を制御し、前記ユーザー機器から複数の物理上りリンク制御チャネル（ｐｈｙｓｉｃａｌ  ｕｐｌｉｎｋ  ｃｏｎｔｒｏｌ  ｃｈａｎｎｅｌ、ＰＵＣＣＨ）リソースの一つ上で伝送ビットを受信するように前記受信器を制御し、前記プロセッサは、前記伝送ビット及び前記伝送ビットが受信されたＰＵＣＣＨリソースに基づいて、前記第１の搬送波に対する第１のＡＣＫ（ＡＣＫｎｏｗｌｅｄｇｅｍｅｎｔ）／ＮＡＣＫ（Ｎｅｇａｔｉｖｅ  ＡＣＫ）／ＤＴＸ（Ｄｉｓｃｏｎｔｉｎｕｏｕｓ  Ｔｒａｎｓｍｉｓｓｉｏｎ）応答［ｘ（０），ｘ（１），ｘ（２），ｘ（３）］（ここで、ｘ（ｉ）（０≦ｉ≦３）は、前記第１の搬送波上のｉ番目のＤＬ伝送に対するＡＣＫ／ＮＡＣＫ／ＤＴＸ応答）、及び前記第２の搬送波に対する第２のＡＣＫ／ＮＡＣＫ／ＤＴＸ応答［ｙ（０），ｙ（１），ｙ（２），ｙ（３）］（ここで、ｙ（ｉ）（０≦ｉ≦３）は、前記第２の搬送波上のｉ番目のＤＬ伝送に対するＡＣＫ／ＮＡＣＫ／ＤＴＸ応答）を決定するように構成される基地局が提供される。
【０００９】
本発明の各態様において、前記［ｙ（０），ｙ（１），ｙ（２），ｙ（３）］が同一であれば、［ｘ（０），ｘ（１），ｘ（２），ｘ（３）］＝［ＡＣＫ，ＡＣＫ，ＡＣＫ，ＡＣＫ］及び［ｘ（０），ｘ（１），ｘ（２），ｘ（３）］＝［ＡＣＫ，ＤＴＸ，ＤＴＸ，ＤＴＸ］に対して同じＰＵＣＣＨリソースが選択される。
【００１０】
本発明の各態様において、下記のケースに対して同じ伝送ビットが生成されてもよい：
【００１１】
【化１】
0005985498.tif 000002
本発明の各態様において、前記ケース１〜４に対して同じＰＵＣＣＨリソースが選択されてもよい。
【００１２】
本発明の各態様において、前記第１の搬送波及び前記第２の搬送波のいずれか一つは主セル（Ｐｒｉｍａｒｙ  Ｃｅｌｌ）に該当し、残りの搬送波は副セル（Ｓｅｃｏｎｄａｒｙ  Ｃｅｌｌ）に該当してもよい。
【００１３】
本発明の各態様において、前記ユーザー機器（ＵＥ）は、マッピングテーブルによって前記チャネル選択を行うことができる。前記ＢＳは、前記第１のＡＣＫ／ＮＡＣＫ／ＤＴＸ応答及び前記第２のＡＣＫ／ＮＡＣＫ／ＤＴＸ応答を下記のマッピングテーブルを用いて決定することができる。該マッピングテーブルは、下記表のマッピング関係を含むことができる：
【００１４】
【化２】
0005985498.tif 000003
ここで、ｎ（１）ＰＵＣＣＨｉは、前記複数のＰＵＣＣＨリソースのうち、ＰＵＣＣＨリソースｉ（０≦ｉ≦３）を意味し、ａ０，ａ１は、伝送ビット或いはコンステレーションシンボル（ｃｏｎｓｔｅｌｌａｔｉｏｎ）を意味する。
【００１５】
上記の技術的解決方法は、本発明の実施例の一部に過ぎず、本願発明の技術的特徴が反映された種々の実施例が、当該技術の分野における通常の知識を有する者にとっては、以下に記載される本発明の詳細な説明から導出され理解されるであろう。
【発明の効果】
【００１６】
本発明によれば、無線通信システムにおいて制御情報を效率的に伝送することができる。また、制御情報を效率的に伝送するためのチャネルフォーマット、信号処理方法を提供することができる。また、制御情報伝送のためのリソースを效率的に割り当てることができる。
【００１７】
本発明から得られる効果は、以上に言及した効果に制限されず、言及していない別の効果は、下の記載から、本発明の属する技術の分野における通常の知識を有する者には明確に理解されるであろう。
【図面の簡単な説明】
【００１８】
本発明に関する理解を助けるために詳細な説明の一部として含まれる添付図面は、本発明の実施例を提供し、詳細な説明と共に本発明の技術的思想を説明する。
【図１】図１は、本発明を実行するユーザー機器（ＵＥ）及び基地局（ＢＳ）の構成要素を示すブロック図である。
【図２】図２は、ユーザー機器及び基地局内の送信器構造の一例を示す図である。
【図３】図３は、単一搬送波特性を満たしながら、入力シンボルを周波数ドメインで副搬送波にマッピングする例を示す図である。
【図４】図４乃至図６は、クラスタ（ｃｌｕｓｔｅｒｅｄ）ＤＦＴ−ｓ−ＯＦＤＭにより入力シンボルが単一搬送波にマッピングされる例を示す図である。
【図５】図４乃至図６は、クラスタ（ｃｌｕｓｔｅｒｅｄ）ＤＦＴ−ｓ−ＯＦＤＭにより入力シンボルが単一搬送波にマッピングされる例を示す図である。
【図６】図４乃至図６は、クラスタ（ｃｌｕｓｔｅｒｅｄ）ＤＦＴ−ｓ−ＯＦＤＭにより入力シンボルが単一搬送波にマッピングされる例を示す図である。
【図７】図７は、セグメント（ｓｅｇｍｅｎｔｅｄ）ＳＣ−ＦＤＭＡの信号処理過程を示す図である。
【図８】図８は、無線通信システムで用いられる無線フレーム構造の例を示す図である。
【図９】図９は、無線通信システムにおいてＤＬ／ＵＬスロット構造の一例を示す図である。
【図１０】図１０は、無線通信システムにおいて下りリンクサブフレーム構造の一例を示す図である。
【図１１】図１１は、無線通信システムにおいて上りリンクサブフレーム構造の一例を示す図である。
【図１２】図１２は、ＡＣＫ／ＮＡＣＫのためのＰＵＣＣＨリソースを決定する例を示す図である。
【図１３】図１３は、単一搬送波状況で通信を行う例を示す図である。
【図１４】図１４は、多重搬送波状況下で通信を行う例を示す図である。
【図１５】図１５は、基地局で一つのＭＡＣが多重搬送波を管理する概念を説明する図である。
【図１６】図１６は、ユーザー機器で一つのＭＡＣが多重搬送波を管理する概念を説明する図である。
【図１７】図１７は、基地局で複数のＭＡＣが多重搬送波を管理する概念を説明する図である。
【図１８】図１８は、ユーザー機器で複数のＭＡＣが多重搬送波を管理する概念を説明する図である。
【図１９】図１９は、基地局で複数のＭＡＣが多重搬送波を管理する他の概念を説明する図である。
【図２０】図２０は、ユーザー機器で複数のＭＡＣが多重搬送波を管理する他の概念を説明する図である。
【図２１】図２１及び図２２は、ＡＣＫ／ＮＡＣＫ伝送のためのＰＵＣＣＨフォーマット１ａ及び１ｂのスロットレベル構造を例示する図である。
【図２２】図２１及び図２２は、ＡＣＫ／ＮＡＣＫ伝送のためのＰＵＣＣＨフォーマット１ａ及び１ｂのスロットレベル構造を例示する図である。
【図２３】図２３は、搬送波アグリゲーションが支援される無線通信システムにおいて上りリンク制御情報（Ｕｐｌｉｎｋ  Ｃｏｎｔｒｏｌ  Ｉｎｆｏｒｍａｔｉｏｎ：ＵＣＩ）が伝送されるシナリオを例示する図である。
【図２４】図２４乃至図２７は、本発明で使用可能なＰＵＣＣＨフォーマット３の構造及びそのための信号処理過程を例示する図である。
【図２５】図２４乃至図２７は、本発明で使用可能なＰＵＣＣＨフォーマット３の構造及びそのための信号処理過程を例示する図である。
【図２６】図２４乃至図２７は、本発明で使用可能なＰＵＣＣＨフォーマット３の構造及びそのための信号処理過程を例示する図である。
【図２７】図２４乃至図２７は、本発明で使用可能なＰＵＣＣＨフォーマット３の構造及びそのための信号処理過程を例示する図である。
【図２８】図２８は、ＴＤＤ  ＵＬ−ＤＬ構成を示す図である。
【図２９】図２９は、チャネル選択によるＡＣＫ／ＮＡＣＫ伝送を示す図である。
【図３０】図３０乃至図３７は、ＤＴＸ状態まで表現するＡＣＫ／ＮＡＣＫ情報を伝送するための本発明の実施例を示す図である。
【図３１】図３０乃至図３７は、ＤＴＸ状態まで表現するＡＣＫ／ＮＡＣＫ情報を伝送するための本発明の実施例を示す図である。
【図３２】図３０乃至図３７は、ＤＴＸ状態まで表現するＡＣＫ／ＮＡＣＫ情報を伝送するための本発明の実施例を示す図である。
【図３３】図３０乃至図３７は、ＤＴＸ状態まで表現するＡＣＫ／ＮＡＣＫ情報を伝送するための本発明の実施例を示す図である。
【図３４】図３０乃至図３７は、ＤＴＸ状態まで表現するＡＣＫ／ＮＡＣＫ情報を伝送するための本発明の実施例を示す図である。
【図３５】図３０乃至図３７は、ＤＴＸ状態まで表現するＡＣＫ／ＮＡＣＫ情報を伝送するための本発明の実施例を示す図である。
【図３６】図３０乃至図３７は、ＤＴＸ状態まで表現するＡＣＫ／ＮＡＣＫ情報を伝送するための本発明の実施例を示す図である。
【図３７】図３０乃至図３７は、ＤＴＸ状態まで表現するＡＣＫ／ＮＡＣＫ情報を伝送するための本発明の実施例を示す図である。
【図３８】図３８は、ＰＵＣＣＨフォーマット１ｂ及びチャネル選択を用いて、４ビットのＡＣＫ／ＮＡＣＫ情報を伝送する方法を示す図である。
【図３９】図３９は、表３４の一部を示す図である。
【発明を実施するための形態】
【００１９】
以下、本発明の好適な実施形態を、添付の図面を参照して詳細に説明する。添付の図面と共に以下に開示される詳細な説明は、本発明の例示的な実施形態を説明するためのもので、本発明が実施され得る唯一の実施形態を示すためのものではない。以下の詳細な説明は、本発明の完全な理解を提供するために具体的な細部事項を含む。しかし、このような具体的な細部事項なしにも本発明の実施が可能であるということが当業者には理解される。
【００２０】
また、以下に説明される技法（ｔｅｃｈｎｉｑｕｅ）、装置、及びシステムは、様々な無線多重接続システムに適用されてもよい。多重接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システム、ＭＣ−ＦＤＭＡ（ｍｕｌｔｉ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）又はＣＤＭＡ２０００のような無線技術（ｔｅｃｈｎｏｌｏｇｙ）で具現されている。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎ）、ＧＰＲＳ（Ｇｅｎｅｒａｌ  Ｐａｃｋｅｔ  Ｒａｄｉｏ  Ｓｅｒｖｉｃｅ）、ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）などのような無線技術で具現されている。ＯＦＤＭＡは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（ｅｖｏｌｖｅｄ−ＵＴＲＡ）などのような無線技術で具現されている。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）の一部であり、３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（Ｌｏｎｇ  Ｔｅｒｍ  Ｅｖｏｌｕｔｉｏｎ）は、Ｅ−ＵＴＲＡを用いるＥ−ＵＭＴＳの一部である。３ＧＰＰ  ＬＴＥは、下りリンクではＯＦＤＭＡを採択し、上りリンクではＳＣ−ＦＤＭＡを採択している。ＬＴＥ−Ａ（ＬＴＥ−ａｄｖａｎｃｅｄ）は、３ＧＰＰ  ＬＴＥの進展した形態である。説明の便宜のために、以下では、本発明が３ＧＰＰ  ＬＴＥ／ＬＴＥ−Ａに適用される場合を挙げて説明する。しかし、本発明の技術的特徴がこれに制限されるものではない。例えば、以下の詳細な説明が、３ＧＰＰ  ＬＴＥ／ＬＴＥ−Ａシステムに対応する移動通信システムに基づいて説明されても、３ＧＰＰ  ＬＴＥ／ＬＴＥ−Ａ特有の事項以外は、他の任意の移動通信システムにも同様の適用が可能である。
【００２１】
場合によっては、本発明の概念が曖昧になることを避けるために、公知の構造及び装置が省略されたり、各構造及び装置の核心機能を中心にしたブロック図の形式で図示されたりすることもある。また、本明細書全体を通じて同一の構成要素には同一の図面符号を付して説明する。
【００２２】
本発明において、ユーザー機器（ＵＥ：Ｕｓｅｒ  Ｅｑｕｉｐｍｅｎｔ）は、固定されていても、移動性を有してもよいもので、基地局と通信してユーザーデータ及び／又は各種の制御情報を送受信する各種機器であればよい。ユーザー機器は、端末（Ｔｅｒｍｉｎａｌ  Ｅｑｕｉｐｍｅｎｔ）、ＭＳ（Ｍｏｂｉｌｅ  Ｓｔａｔｉｏｎ）、ＭＴ（Ｍｏｂｉｌｅ  Ｔｅｒｍｉｎａｌ）、ＵＴ（Ｕｓｅｒ  Ｔｅｒｍｉｎａｌ）、ＳＳ（Ｓｕｂｓｃｒｉｂｅ  Ｓｔａｔｉｏｎ）、無線機器（ｗｉｒｅｌｅｓｓ  ｄｅｖｉｃｅ）、ＰＤＡ（Ｐｅｒｓｏｎａｌ  Ｄｉｇｉｔａｌ  Ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）などと呼ばれることもある。また、本発明において、基地局（Ｂａｓｅ  Ｓｔａｔｉｏｎ、ＢＳ）は、一般に、ユーザー機器及び／又は他の基地局と通信する固定された地点（ｆｉｘｅｄ  ｓｔａｔｉｏｎ）のことを指し、ユーザー機器及び他の基地局と通信して各種データ及び制御情報を交換する。基地局は、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）などの他の用語と呼ばれることもある。
【００２３】
本発明において、特定信号がフレーム／サブフレーム／スロット／搬送波／副搬送波に割り当てられるということは、当該特定信号が該当のフレーム／サブフレーム／スロット／シンボルの期間／タイミングの間に、該当の搬送波／副搬送波を通じて伝送されるということを意味する。
【００２４】
本発明でいうランクあるいは伝送ランクは、１  ＯＦＤＭシンボルあるいは１データＲＥ（Ｒｅｓｏｕｒｃｅ  Ｅｌｅｍｅｎｔ）上に多重化された／割り当てられたレイヤーの個数を意味する。
【００２５】
本発明においてＰＤＣＣＨ（Ｐｈｙｓｉｃａｌ  Ｄｏｗｎｌｉｎｋ  Ｃｏｎｔｒｏｌ  ＣＨａｎｎｅｌ）／ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）／ＰＨＩＣＨ（（Ｐｈｙｓｉｃａｌ  Ｈｙｂｒｉｄ  ａｕｔｏｍａｔｉｃ  ｒｅｔｒａｎｓｍｉｔ  ｒｅｑｕｅｓｔ  Ｉｎｄｉｃａｔｏｒ  ＣＨａｎｎｅｌ）／ＰＤＳＣＨ（Ｐｈｙｓｉｃａｌ  Ｄｏｗｎｌｉｎｋ  Ｓｈａｒｅｄ  ＣＨａｎｎｅｌ）はそれぞれ、ＤＣＩ（Ｄｏｗｎｌｉｎｋ  Ｃｏｎｔｒｏｌ  Ｉｎｆｏｒｍａｔｉｏｎ）／ＣＦＩ（Ｃｏｎｔｒｏｌ  Ｆｏｒｍａｔ  Ｉｎｄｉｃａｔｏｒ）／下りリンクＡＣＫ／ＮＡＣＫ（ＡＣＫｎｏｗｌｅｇｅｍｅｎｔ／Ｎｅｇａｔｉｖｅ  ＡＣＫ）／下りリンクデータを運ぶリソース要素の集合を意味する。また、ＰＵＣＣＨ（Ｐｈｙｓｉｃａｌ  Ｕｐｌｉｎｋ  Ｃｏｎｔｒｏｌ  ＣＨａｎｎｅｌ）／ＰＵＳＣＨ（Ｐｈｙｓｉｃａｌ  Ｕｐｌｉｎｋ  Ｓｈａｒｅｄ  ＣＨａｎｎｅｌ）／ＰＲＡＣＨ（Ｐｈｙｓｉｃａｌ  Ｒａｎｄｏｍ  Ａｃｃｅｓｓ  ＣＨａｎｎｅｌ）はそれぞれ、ＵＣＩ（Ｕｐｌｉｎｋ  Ｃｏｎｔｒｏｌ  Ｉｎｆｏｒｍａｔｉｏｎ）／上りリンクデータ／ランダムアクセス信号を運ぶリソース要素の集合を意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、又はそれらに属したリソース要素（Ｒｅｓｏｕｒｃｅ  Ｅｌｅｍｅｎｔ、ＲＥ）をそれぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ  ＲＥ又はＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと呼ぶ。
【００２６】
そのため、本発明において、ユーザー機器がＰＵＣＣＨ／ＰＵＳＣＨ／ＰＲＡＣＨを伝送するという表現は、それぞれ、ＰＵＳＣＨ／ＰＵＣＣＨ／ＰＲＡＣＨ上で上りリンク制御情報／上りリンクデータ／ランダムアクセス信号を伝送するということと同じ意味で使われる。また、基地局がＰＤＣＣＨ／ＰＣＦＩＣＨ／ＰＨＩＣＨ／ＰＤＳＣＨを伝送するという表現は、それぞれ、ＰＤＣＣＨ／ＰＣＦＩＣＨ／ＰＨＩＣＨ／ＰＤＳＣＨ上で下りリンクデータ／制御情報を伝送するということと同じ意味で使われる。
【００２７】
一方、本発明において、ＡＣＫ／ＮＡＣＫ情報を特定のコンステレーションポイント（ｃｏｎｓｔｅｌｌａｔｉｏｎ  ｐｏｉｎｔ）にマッピングするということは、ＡＣＫ／ＮＡＣＫ情報を特定の複素変調シンボルにマッピングするということと同じ意味で使われる。また、ＡＣＫ／ＮＡＣＫ情報を特定複素変調シンボルにマッピングするということは、ＡＣＫ／ＮＡＣＫ情報を特定の複素変調シンボルに変調するということと同じ意味で使われる。
【００２８】
図１は、本発明を実行するユーザー機器（ＵＥ）及び基地局（ＢＳ）の構成要素を示すブロック図である。
【００２９】
ＵＥは、上りリンクでは送信装置として動作し、下りリンクでは受信装置として動作する。一方、ＢＳは、上りリンクでは受信装置として動作し、下りリンクでは送信装置で動作する。
【００３０】
ＵＥ及びＢＳは、情報及び／又はデータ、信号、メッセージなどを受信できるアンテナ５００ａ，５００ｂ、アンテナを制御してメッセージを伝送する送信器（Ｔｒａｎｓｍｉｔｔｅｒ）１００ａ，１００ｂ、アンテナを制御してメッセージを受信する受信器（Ｒｅｃｅｉｖｅｒ）３００ａ，３００ｂ、無線通信システム内の通信に関連した各種の情報を保存するメモリー２００ａ，２００ｂを備える。また、ＵＥ及びＢＳは、ＵＥ又はＢＳに備えられた送信器、受信器、メモリーなどの構成要素と連動し、それらの構成要素を制御して本発明を実行するように構成されたプロセッサ４００ａ，４００ｂをそれぞれ備える。ＵＥ内の送信器１００ａ、受信器３００ａ、メモリー２００ａ、プロセッサ４００ａはそれぞれ、別個のチップ（ｃｈｉｐ）により独立した構成要素として具現されてもよく、２つ以上が一つのチップ（ｃｈｉｐ）により具現されてもよい。同様に、ＢＳ内の送信器１００ｂ、受信器３００ｂ、メモリー２００ｂ、プロセッサ４００ｂもそれぞれ、別個のチップにより独立した構成要素として具現されてもよく、２つ以上が一つのチップにより具現されてもよい。送信器と受信器とを統合してＵＥ又はＢＳ内で単一の送受信器（ｔｒａｎｓｃｅｉｖｅｒ）にしてもよい。
【００３１】
アンテナ５００ａ，５００ｂは、送信器１００ａ，１００ｂで生成された信号を外部に伝送したり、外部から無線信号を受信して受信器３００ａ，３００ｂに伝達する機能を果たす。アンテナ５００ａ，５００ｂはアンテナポートと呼ばれることもある。各アンテナポートは一つの物理アンテナに相当してもよく、一つよりも多い物理アンテナ要素（ｅｌｅｍｅｎｔ）の組み合わせにより構成されてもよい。各アンテナポートから伝送された信号はＵＥ内の受信器３００ａでそれ以上分解されることはない。該当のアンテナポートに対応して伝送された参照信号はＵＥの観点からのアンテナポートを定義し、チャネルが一物理アンテナからの単一（ｓｉｎｇｌｅ）無線チャネルなのか、或いは、当該アンテナポートを含む複数の物理アンテナ要素（ｅｌｅｍｅｎｔ）からの合成（ｃｏｍｐｏｓｉｔｅ）チャネルなのかにかからわず、ＵＥが当該アンテナポートに対するチャネル推定を行えるようにする。すなわち、アンテナポートは、当該アンテナポート上のシンボルを伝達するチャネルが、同アンテナポート上の他のシンボルが伝達されるチャネルから導出され得るように定義される。複数のアンテナを用いてデータを送受信する多重入出力（Ｍｕｌｔｉ−Ｉｎｐｕｔ  Ｍｕｌｔｉ−Ｏｕｔｐｕｔ、ＭＩＭＯ）機能を支援する送受信器は２個以上のアンテナに接続可能である。
【００３２】
プロセッサ４００ａ，４００ｂは、一般に、ＵＥ又はＢＳ内の各種モジュールの動作全般を制御する。特に、プロセッサ４００ａ，４００ｂは、本発明を実行するための各種の制御機能、サービス特性及び伝播環境によるＭＡＣ（Ｍｅｄｉｕｍ  Ａｃｃｅｓｓ  Ｃｏｎｔｒｏｌ）フレーム可変制御機能、遊休モード動作を制御するための電力節約モード機能、ハンドオーバー（Ｈａｎｄｏｖｅｒ）機能、認証及び暗号化機能などを実行することができる。プロセッサ４００ａ，４００ｂは、コントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などと呼ばれることもある。一方、プロセッサ４００ａ，４００ｂを、ハードウェア（ｈａｒｄｗａｒｅ）、ファームウェア（ｆｉｒｍｗａｒｅ）、ソフトウェア、又はこれらの結合により具現することができる。ハードウェアを用いて本発明を具現する場合には、本発明を実行するように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、又はＦＰＧＡｓ（ｆｉｅｌｄ  ｐｒｏｇｒａｍｍａｂｌｅ  ｇａｔｅ  ａｒｒａｙｓ）などをプロセッサ４００ａ，４００ｂに備えることができる。一方、ファームウェアやソフトウェアを用いて本発明を具現する場合には、本発明の機能又は動作を行うモジュール、手順又は関数などを含むようにファームウェアやソフトウェアを構成することができ、本発明を実行し得るように構成されたファームウェア又はソフトウェアは、プロセッサ４００ａ，４００ｂ内に備えられてもよく、メモリー２００ａ，２００ｂに保存されてプロセッサ４００ａ，４００ｂにより駆動されてもよい。
【００３３】
送信器１００ａ，１００ｂは、プロセッサ４００ａ，４００ｂ又は該プロセッサに接続したスケジューラからスケジューリングされて外部に伝送される信号及び／又はデータに所定の符号化（ｃｏｄｉｎｇ）及び変調（ｍｏｄｕｌａｔｉｏｎ）を行ってからアンテナ５００ａ，５００ｂに伝達する。例えば、送信器１００ａ，１００ｂは、伝送しようとするデータ列に逆多重化、チャネル符号化及び変調過程などを行ってＫ個のレイヤーに変換する。Ｋ個のレイヤーは送信器内の送信処理器を経て送信アンテナ５００ａ，５００ｂから伝送される。ＵＥ及びＢＳの送信器１００ａ，１００ｂ及び受信器３００ａ，３００ｂは、送信信号及び受信信号を処理する過程によって異なる構成とすることができる。
【００３４】
メモリー２００ａ，２００ｂは、プロセッサ４００ａ，４００ｂの処理及び制御のためのプログラムを保存することができ、入出力される情報を臨時保存することができる。メモリー２００ａ，２００ｂはバッファーとして用いられてもよい。メモリーは、フラッシュメモリータイプ（ｆｌａｓｈ  ｍｅｍｏｒｙ  ｔｙｐｅ）、ハードディスクタイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）又はカードタイプのメモリー（例えば、ＳＤ又はＸＤメモリーなど）、ＲＡＭ（Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＲＯＭ（Ｒｅａｄ−Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ  Ｍｅｍｏｒｙ）、磁気メモリー、磁気ディスク、光ディスクなどを用いて具現することができる。
【００３５】
図２は、ユーザー機器及び基地局内の送信器構造の一例を示す図である。図２を参照して、送信器１００ａ，１００ｂの動作についてより具体的に説明する。
【００３６】
図２を参照すると、ＵＥ又は基地局内の送信器１００ａ，１００ｂは、スクランブラ３０１、変調マッパー３０２、レイヤーマッパー３０３、プリコーダ３０４、リソース要素マッパー３０５、及びＯＦＤＭ信号生成器３０６を備えることができる。
【００３７】
送信器１００ａ，１００ｂは、一つ以上のコードワード（ｃｏｄｅｗｏｒｄ）を送信することができる。各コードワード内の符号化されたビット（ｃｏｄｅｄ  ｂｉｔｓ）はそれぞれ、スクランブラ３０１によりスクランブリングされて物理チャネル上で伝送される。コードワードは、データ列と呼ばれることもあり、ＭＡＣ層が提供するデータブロックと等価である。ＭＡＣ層が提供するデータブロックは伝送ブロックと呼ばれることもある。
【００３８】
スクランブルされたビットは、変調マッパー３０２により複素変調シンボル（ｃｏｍｐｌｅｘ−ｖａｌｕｅｄ  ｍｏｄｕｌａｔｉｏｎ  ｓｙｍｂｏｌｓ）に変調される。変調マッパー３０２は、スクランブルされたビットを既に決定された変調方式によって変調して、信号コンステレーション（ｓｉｇｎａｌ  ｃｏｎｓｔｅｌｌａｔｉｏｎ）上の位置を表現する複素変調シンボルに配置することができる。変調方式（ｍｏｄｕｌａｔｉｏｎ  ｓｃｈｅｍｅ）には制限がなく、ｍ−ＰＳＫ（ｍ−Ｐｈａｓｅ  Ｓｈｉｆｔ  Ｋｅｙｉｎｇ）又はｍ−ＱＡＭ（ｍ−Ｑｕａｄｒａｔｕｒｅ  Ａｍｐｌｉｔｕｄｅ  Ｍｏｄｕｌａｔｉｏｎ）などを、上記の符号化されたデータの変調に用いることができる。
【００３９】
複素変調シンボルは、レイヤーマッパー３０３により一つ以上の伝送レイヤーにマッピングされる。
【００４０】
各レイヤー上の複素変調シンボルは、アンテナポート上での伝送のためにプリコーダ３０４によりプリコーディングされる。具体的に、プリコーダ３０４は、複素変調シンボルを多重送信アンテナ５００−１，…，５００−Ｎｔに基づくＭＩＭＯ方式で処理して、アンテナ特定シンボルを出力し、アンテナ特定シンボルを該当のリソース要素マッパー３０５に分配する。すなわち、伝送レイヤーのアンテナポートへのマッピングはプリコーダ３０４により行われる。プリコーダ３０４は、レイヤーマッパー３０３の出力ｘをＮｔ×Ｍｔのプリコーディング行列ＷとかけてＮｔ×ＭＦの行列ｚとして出力することができる。
【００４１】
リソース要素マッパー３０５は、各アンテナポートへの複素変調シンボルを適切なリソース要素（ｒｅｓｏｕｒｃｅ  ｅｌｅｍｅｎｔｓ）にマッピング／割り当てる。リソース要素マッパー３０５は、各アンテナポートに対する複素変調シンボルを適切な副搬送波に割り当て、ユーザーに基づいて多重化することができる。
【００４２】
ＯＦＤＭ信号生成器３０６は、各アンテナポートに対する複素変調シンボル、すなわち、アンテナ特定シンボルを、ＯＦＤＭ又はＳＣ−ＦＤＭ方式で変調し、複素時間ドメイン（ｃｏｍｐｌｅｘ−ｖａｌｕｅｄ  ｔｉｍｅ  ｄｏｍａｉｎ）ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル信号又はＳＣ−ＦＤＭ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅｘｉｎｇ）シンボル信号を生成する。ＯＦＤＭ信号生成器３０６は、アンテナ特定シンボルにＩＦＦＴ（Ｉｎｖｅｒｓｅ  Ｆａｓｔ  Ｆｏｕｒｉｅｒ  Ｔｒａｎｓｆｏｒｍ）を行うことができ、ＩＦＦＴの行われた時間ドメインシンボルにはＣＰ（Ｃｙｃｌｉｃ  Ｐｒｅｆｉｘ）を挿入することができる。ＯＦＤＭシンボルは、デジタル−アナログ（ｄｉｇｉｔａｌ−ｔｏ−ａｎａｌｏｇ）変換、周波数アップ変換などを経て、各送信アンテナ５００−１，…，５００−Ｎｔから受信装置に送信される。ＯＦＤＭ信号生成器３０６は、ＩＦＦＴモジュール、Ｐ挿入器、ＤＡＣ（Ｄｉｇｉｔａｌ−ｔｏ−Ａｎａｌｏｇ  Ｃｏｎｖｅｒｔｅｒ）、及び周波数アップ変換器（ｆｒｅｑｕｅｎｃｙ  ｕｐｃｏｎｖｅｒｔｅｒ）などを備えることができる。
【００４３】
一方、送信器１００ａ，１００ｂがコードワードの送信にＳＣ−ＦＤＭ接続（ＳＣ−ＦＤＭＡ）方式を採択する場合は、送信器１００ａ，１００ｂが離散フーリエ変換（Ｄｉｓｃｒｅｔｅ  Ｆｏｕｒｉｅｒ  Ｔｒａｎｓｆｏｒｍ）モジュール３０７（あるいは、高速フーリエ変換（Ｆａｓｔ  Ｆｏｕｒｉｅｒ  Ｔｒａｎｓｆｏｒｍ）モジュール）を有することができる。この離散フーリエ変換は、アンテナ特定シンボルにＤＦＴ（Ｄｉｓｃｒｅｔｅ  Ｆｏｕｒｉｅｒ  Ｔｒａｎｓｆｏｒｍ）あるいはＦＦＴ（Ｆａｓｔ  Ｆｏｕｒｉｅｒ  Ｔｒａｎｓｆｏｒｍ）（以下、ＤＦＴ／ＦＦＴ）を行い、このＤＦＴ／ＦＦＴされたシンボルをリソース要素マッパー３０５に出力する。ＳＣ−ＦＤＭＡ（Ｓｉｎｇｌｅ  ｃａｒｒｉｅｒ  ＦＤＭＡ）は、伝送信号のＰＡＰＲ（Ｐｅａｋ−ｔｏ−Ａｖｅｒａｇｅ  Ｐｏｗｅｒ  Ｒａｔｉｏ）あるいはＣＭ（Ｃｕｂｉｃ  Ｍｅｔｒｉｃ）を下げて伝送する方式である。ＳＣ−ＦＤＭＡによれば、伝送される信号が電力増幅器（ｐｏｗｅｒ  ａｍｐｌｉｆｉｅｒ）の非線形（ｎｏｎ−ｌｉｎｅａｒ）歪み区間を避けて伝送されることが可能になる。そのため、送信器が既存のＯＦＤＭ方式に比べてより低い電力で信号を伝送しても、受信器が一定の強度と誤り率を満たす信号を受信することとなる。すなわち、ＳＣ−ＦＤＭＡによれば、送信装置の電力消耗を減らすことができる。
【００４４】
既存のＯＦＤＭ信号生成器では、各副搬送波に載せられていた信号がＩＦＦＴを通過しながら多重搬送波変調（Ｍｕｌｔｉ  Ｃａｒｒｉｅｒ  Ｍｏｄｕｌａｔｉｏｎ、ＭＣＭ）によって同時に並列に伝送されるため、電力増幅器効率が低下する問題があった。これに対し、ＳＣ−ＦＤＭＡでは、副搬送波に信号をマッピングする前にまず情報をＤＦＴ／ＦＦＴする。ＤＦＴ／ＦＦＴモジュール３０７を通過した信号はＤＦＴ／ＦＦＴの効果によりＰＡＰＲが増加する。ＤＦＴ／ＦＦＴされた信号は、リソース要素マッパー３０５により副搬送波にマッピングされた後、再びＩＦＦＴされて時間ドメイン信号に変換される。すなわち、ＳＣ−ＦＤＭＡ送信器は、ＯＦＤＭ信号生成器の前段でＤＦＴあるいはＦＦＴ演算をさらに行うから、ＰＡＰＲがＦＦＴ入力端で増加してから、再びＩＦＦＴを通過しながら最終伝送信号のＰＡＰＲが減るようにする。この形態は、既存のＯＦＤＭ信号生成器の前にＤＦＴモジュール（あるいはＦＦＴモジュール）３０７が追加されたのと同様であることから、ＳＣ−ＦＤＭＡは、ＤＦＴ−ｓ−ＯＦＤＭ（ＤＦＴ−ｓｐｒｅａｄ  ＯＦＤＭ）とも呼ばれる。
【００４５】
ＳＣ−ＦＤＭＡは、単一搬送波性質を満たさなければならない。図３は、単一搬送波特性を満たしながら、入力シンボルを周波数ドメインで副搬送波にマッピングする例を示す図である。図３（ａ）及び図３（ｂ）のいずれかによって、ＤＦＴされたシンボルが副搬送波に割り当てられると、単一搬送波性質を満たす伝送信号が得られる。図３（ａ）は局地的（ｌｏｃａｌｉｚｅｄ）マッピング方法を、図３（ｂ）は分散的（ｄｉｓｔｒｉｂｕｔｅｄ）マッピング方法を示している。
【００４６】
一方、クラスタ（ｃｌｕｓｔｅｒｅｄ）ＤＦＴ−ｓ−ＯＦＤＭという方式が送信器１００ａ，１００ｂに採択されてもよい。クラスタＤＦＴ−ｓ−ＯＦＤＭは、既存のＳＣ−ＦＤＭＡ方式の変形であり、ＤＦＴ／ＦＦＴモジュール３０７及びプリコーダ３０４を経た信号を、いくつかのサブブロックに分けた後、副搬送波に不連続的にマッピングする方法である。図４乃至図６は、クラスタＤＦＴ−ｓ−ＯＦＤＭにより入力シンボルが単一搬送波にマッピングされる例を示す図である。
【００４７】
図４は、クラスタＳＣ−ＦＤＭＡにおいてＤＦＴプロセス出力サンプルが単一搬送波にマッピングされる信号処理過程を示す図である。図５及び図６は、クラスタＳＣ−ＦＤＭＡにおいてＤＦＴプロセス出力サンプルが多重搬送波（ｍｕｌｔｉ−ｃａｒｒｉｅｒ）にマッピングされる信号処理過程を示す図である。図４は、イントラ搬送波（ｉｎｔｒａ−ｃａｒｒｉｅｒ）クラスタＳＣ−ＦＤＭＡを適用する例に相当し、図５及び図６は、インター搬送波（ｉｎｔｅｒ−ｃａｒｒｉｅｒ）クラスタＳＣ−ＦＤＭＡを適用する例に相当する。図５は、周波数ドメインで連続的（ｃｏｎｔｉｇｕｏｕｓ）にコンポーネント搬送波（ｃｏｍｐｏｎｅｎｔ  ｃａｒｒｉｅｒ）が割り当てられた状況下で、隣接したコンポーネント搬送波間の副搬送波間隔（ｓｐａｃｉｎｇ）が整列された場合に、単一のＩＦＦＴブロックを用いて信号を生成する場合を示している。図６は、周波数ドメインで不連続的（ｎｏｎ−ｃｏｎｔｉｇｕｏｕｓ）にコンポーネント搬送波が割り当てられた状況下で複数のＩＦＦＴブロックを用いて信号を生成する場合を示している。
【００４８】
図７は、セグメント（ｓｅｇｍｅｎｔｅｄ）ＳＣ−ＦＤＭＡの信号処理過程を示す図である。
【００４９】
セグメントＳＣ−ＦＤＭＡは、任意個数のＤＦＴと同じ個数のＩＦＦＴが適用されてＤＦＴとＩＦＦＴとの関係構成が一対一関係を有するもので、単に既存のＳＣ−ＦＤＭＡのＤＦＴ拡散とＩＦＦＴの周波数副搬送波マッピング構成を拡張したものであることから、ＮｘＳＣ−ＦＤＭＡ又はＮｘＤＦＴ−ｓ−ＯＦＤＭＡと表現されることもある。本明細書は、これらをセグメントＳＣ−ＦＤＭＡと総称する。図７を参照すると、セグメントＳＣ−ＦＤＭＡは、単一搬送波特性条件を緩和するために、全体時間ドメイン変調シンボルをＮ（Ｎは１よりも大きい整数）個のグループに束ねてグループ単位にＤＦＴプロセスを行う。
【００５０】
再び図２を参照すると、受信器３００ａ，３００ｂの信号処理過程は、送信器の信号処理と逆の過程となる。具体的に、受信器３００ａ，３００ｂは、外部からアンテナ５００ａ，５００ｂを介して受信した無線信号に復号（ｄｅｃｏｄｉｎｇ）及び復調（ｄｅｍｏｄｕｌａｔｉｏｎ）を行って該当のプロセッサ４００ａ，４００ｂに伝達する。受信器３００ａ，３００ｂに接続しているアンテナ５００ａ，５００ｂは、Ｎｒ個の多重受信アンテナを有することができ、受信アンテナを介して受信した信号のそれぞれは、基底帯域信号に復元された後、多重化及びＭＩＭＯ復調化を経て、送信器１００ａ，１００ｂが本来伝送しようとしたデータ列に復元される。受信器３００ａ，３００ｂは、受信した信号を基底帯域信号に復元するための信号復元器、受信処理された信号を結合して多重化する多重化器、多重化された信号列を該当のコードワードに復調するチャネル復調器を有することができる。信号復元器、多重化器、及びチャネル復調器は、それらの機能を実行する統合された一つのモジュール又はそれぞれの独立したモジュールにすることができる。さらにいうと、信号復元器は、アナログ信号をデジタル信号に変換するＡＤＣ（ａｎａｌｏｇ−ｔｏ−ｄｉｇｉｔａｌ  ｃｏｎｖｅｒｔｅｒ）、該デジタル信号からＣＰを除去するＣＰ除去器、ＣＰの除去された信号にＦＦＴ（ｆａｓｔ  Ｆｏｕｒｉｅｒ  ｔｒａｎｓｆｏｒｍ）を適用して周波数ドメインシンボルを出力するＦＦＴモジュール、周波数ドメインシンボルをアンテナ特定シンボルに復元するリソース要素デマッパー（ｒｅｓｏｕｒｃｅ  ｅｌｅｍｅｎｔ  ｄｅｍａｐｐｅｒ）／等化器（ｅｑｕａｌｉｚｅｒ）を有することができる。アンテナ特定シンボルは多重化器により伝送レイヤーに復元され、伝送レイヤーは、チャネル復調器により、送信装置が伝送しようとしたコードワードに復元される。
【００５１】
一方、受信器３００ａ，３００ｂが、図３乃至図７で説明したＳＣ−ＦＤＭＡ方式により伝送された信号を受信する場合、受信器は３００ａ，３００ｂは、逆離散フーリエ変換（Ｉｎｖｅｒｓｅ  Ｄｉｓｃｒｅｔｅ  Ｆｏｕｒｉｅｒ  Ｔｒａｎｓｆｏｒｍ、ＩＤＦＴ）モジュール（あるいは、ＩＦＦＴモジュール）をさらに有する。ＩＤＦＴ／ＩＦＦＴモジュールは、リソース要素デマッパーにより復元されたアンテナ特定シンボルにＩＤＦＴ／ＩＦＦＴを行い、ＩＤＦＴ／ＩＦＦＴされたシンボルを多重化器に出力する。
【００５２】
参考として、図３乃至図７ではスクランブラ３０１、変調マッパー３０２、レイヤーマッパー３０３、プリコーダ３０４、リソース要素マッパー３０５、及びＯＦＤＭ信号生成器３０６が送信器１００ａ，１００ｂに備えられるとしたが、送信装置のプロセッサ４００ａ，４００ｂが、スクランブラ３０１、変調マッパー３０２、レイヤーマッパー３０３、プリコーダ３０４、リソース要素マッパー３０５、及びＯＦＤＭ信号生成器３０６を有するように構成されてもよい。同様に、図１乃至図７では信号復元器、多重化器、チャネル復調器が受信器３００ａ，３００ｂに備えられるとしたが、受信装置のプロセッサ４００ａ，４００ｂが、信号復元器、多重化器、及びチャネル復調器を有するように構成されてもよい。以下では、説明の便宜のために、スクランブラ３０１、変調マッパー３０２、レイヤーマッパー３０３、プリコーダ３０４、リソース要素マッパー３０５、及びＯＦＤＭ信号生成器３０６（ＳＣ−ＦＤＭＡ方式ではＤＦＴモジュール３０７をさらに含む。）が、それらの動作を制御するプロセッサ４００ａ，４００ｂと分離した送信器１００ａ，１００ｂに備えられ、信号復元器、多重化器、及びチャネル復調器が、それらの動作を制御するプロセッサ４００ａ，４００ｂとは分離した受信器３００ａ，３００ｂに備えられているとして説明する。しかし、スクランブラ３０１、変調マッパー３０２、レイヤーマッパー３０３、プリコーダ３０４、リソース要素マッパー３０５及びＯＦＤＭ信号生成器３０６，３０７がプロセッサ４００ａ，４００ｂに備えられた場合、及び信号復元器、多重化器、チャネル復調器（ＳＣ−ＦＤＭＡ方式ではＩＦＦＴモジュールをさらに含む。）が、プロセッサ４００ａ，４００ｂに備えられた場合にも本発明の実施例を同様に適用することができる。
【００５３】
図８には、無線通信システムで用いられる無線フレーム構造の例を示す。特に、図８（ａ）は、３ＧＰＰ  ＬＴＥ／ＬＴＥ−Ａシステムのフレーム構造タイプ１（ＦＳ−１）による無線フレームを例示しており、図８（ｂ）は、３ＧＰＰ  ＬＴＥ／ＬＴＥ−Ａシステムのフレーム構造タイプ２（ＦＳ−２）による無線フレームを例示している。図８（ａ）のフレーム構造は、ＦＤＤ（Ｆｒｅｑｕｅｎｃｙ  Ｄｉｖｉｓｉｏｎ  Ｄｕｐｌｅｘ）モード、及び半（ｈａｌｆ）ＦＤＤ（Ｈ−ＦＤＤ）モードで適用可能である。図８（ｂ）のフレーム構造は、ＴＤＤ（Ｔｉｍｅ  Ｄｉｖｉｓｉｏｎ  Ｄｕｐｌｅｘ）モードで適用可能である。
【００５４】
図８を参照すると、３ＧＰＰ  ＬＴＥ／ＬＴＥ−Ａで用いられる無線フレームは、１０ｍｓ（３０７２００Ｔｓ）の長さを有し、１０個の均等なサイズのサブフレームで構成される。１無線フレーム内の１０個のサブフレームにはそれぞれ番号を与えることができる。ここで、Ｔｓは、サンプリング時間を表し、Ｔｓ＝１／（２０４８×１５ｋＨｚ）で表示される。それぞれのサブフレームは１ｍｓの長さを有し、２個のスロットで構成される。１無線フレーム内で２０個のスロットは０から１９まで順にナンバリングされてもよい。各スロットは０．５ｍｓの長さを有する。１サブフレームを伝送するための時間は伝送時間間隔（ＴＴＩ：ｔｒａｎｓｍｉｓｓｉｏｎ  ｔｉｍｅ  ｉｎｔｅｒｖａｌ）で定義される。時間リソースは、無線フレーム番号（あるいは無線フレームインデックスともいう。）、サブフレーム番号（あるいは、サブフレームインデックスともいう。）、スロット番号（あるいは、スロットインデックスともいう。）などにより区別可能である。
【００５５】
無線フレームはデュプレックス（ｄｕｐｌｅｘ）モードによって異なる構成とすることができる。例えば、ＦＤＤモードで、下りリンク伝送及び上りリンク伝送は周波数により区別されるので、無線フレームは、下りリンクサブフレーム又は上りリンクサブフレームのいずれか一方のみを含む。
【００５６】
一方、ＴＤＤモードでは、下りリンク伝送及び上りリンク伝送が時間によって区別されるため、フレーム内のサブフレームは、下りリンクサブフレームと上りリンクサブフレームとに区別される。表１は、ＴＤＤモードにおいてＵＬ−ＤＬ構成を例示したものである。
【００５７】
【表１】
0005985498.tif 000004
表１で、Ｄは下りリンクサブフレームを、Ｕは上りリンクサブフレームを、Ｓは特異（ｓｐｅｃｉａｌ）サブフレームを表す。特異サブフレームは、ＤｗＰＴＳ（Ｄｏｗｎｌｉｎｋ  Ｐｉｌｏｔ  ＴｉｍｅＳｌｏｔ）、ＧＰ（Ｇｕａｒｄ  Ｐｅｒｉｏｄ）、ＵｐＰＴＳ（Ｕｐｌｉｎｋ  Ｐｉｌｏｔ  ＴｉｍｅＳｌｏｔ）の３つのフィールドを含む。ＤｗＰＴＳは、下りリンク伝送用に留保される時間区間であり、ＵｐＰＴＳは、上りリンク伝送用に留保される時間区間である。
【００５８】
図９は、無線通信システムにおいてＤＬ／ＵＬスロット構造の一例を示す図である。特に、同図には、３ＧＰＰ  ＬＴＥ／ＬＴＥ−Ａシステムのリソース格子（ｒｅｓｏｕｒｃｅ  ｇｒｉｄ）の構造を示す。アンテナポート当たり１個のリソース格子がある。
【００５９】
図９を参照すると、スロットは、時間ドメインで複数のＯＦＤＭシンボルを有し、周波数ドメインで複数のリソースブロック（ｒｅｓｏｕｒｃｅ  ｂｌｏｃｋ、ＲＢ）を有する。ＯＦＤＭシンボルは１シンボル区間を意味することもある。リソースブロックは、周波数ドメインで複数の副搬送波を有する。ＯＦＤＭシンボルを多重接続方式によってＯＦＤＭシンボル、ＳＣ−ＦＤＭシンボルなどと呼ぶこともできる。１スロットに含まれるＯＦＤＭシンボルの数は、チャネル帯域幅、ＣＰ長によって様々に変更可能である。例えば、正規（ｎｏｒｍａｌ）ＣＰの場合には、１スロットが７個のＯＦＤＭシンボルを含み、拡張（ｅｘｔｅｎｄｅｄ）ＣＰの場合には、１スロットが６個のＯＦＤＭシンボルを含む。図８では、説明の便宜のために、１スロットが７  ＯＦＤＭシンボルで構成されるサブフレームを例示したが、本発明の実施例は、他の個数のＯＦＤＭシンボルを有するサブフレームにも同一の適用が可能である。参考として、１  ＯＦＤＭシンボル及び１副搬送波で構成されたリソースを、リソース要素（ｒｅｓｏｕｒｃｅ  ｅｌｅｍｅｎｔ、ＲＥ）あるいはトーン（ｔｏｎｅ）と呼ぶ。
【００６０】
図９を参照すると、各スロットで伝送される信号は、ＮＤＬ／ＵＬＲＢＮＲＢｓｃ個の副搬送波（ｓｕｂｃａｒｒｉｅｒ）とＮＤＬ／ＵＬｓｙｍｂ個のＯＦＤＭあるいはＳＣ−ＦＤＭシンボルとで構成されるリソース格子（ｒｅｓｏｕｒｃｅ  ｇｒｉｄ）で表現することができる。ここで、ＮＤＬＲＢは、下りリンクスロットでのリソースブロック（ｒｅｓｏｕｒｃｅ  ｂｌｏｃｋ、ＲＢ）の個数を表し、ＮＵＬＲＢは、上りリンクスロットでのＲＢの個数を表す。ＮＤＬＲＢとＮＵＬＲＢは、下りリンク伝送帯域幅と上りリンク伝送帯域幅にそれぞれ依存する。各ＯＦＤＭシンボルは、周波数ドメインで、ＮＤＬ／ＵＬＲＢＮＲＢｓｃ個の副搬送波を含む。１搬送波に対する副搬送波の個数は、ＦＦＴ（Ｆａｓｔ  Ｆｏｕｒｉｅｒ  Ｔｒａｎｓｆｏｒｍ）サイズによって決定される。副搬送波の類型は、データ伝送のためのデータ副搬送波、参照信号の伝送のための参照信号副搬送波、ガードバンド（ｇｕａｒｄ  ｂａｎｄ）及びＤＣ成分のためのヌル副搬送波とに分類可能である。ＤＣ成分のためのヌル副搬送波は、未使用のまま残される副搬送波のことであり、ＯＦＤＭ信号生成過程で搬送波周波数（ｃａｒｒｉｅｒ  ｆｒｅｑｕｅｎｃｙ、ｆ０）にマッピングされる。搬送波周波数は中心周波数（ｃｅｎｔｅｒ  ｆｒｅｑｕｅｎｃｙ）とも呼ばれる。ＮＤＬｓｙｍｂは、下りリンクスロット内のＯＦＤＭあるいはＳＣ−ＦＤＭシンボルの個数を表し、ＮＵＬｓｙｍｂは、上りリンクスロット内のＯＦＤＭあるいはＳＣ−ＦＤＭシンボルの個数を表す。ＮＲＢｓｃは、一つのＲＢを構成する副搬送波の個数を表す。
【００６１】
換言すると、物理リソースブロック（ｐｈｙｓｉｃａｌ  ｒｅｓｏｕｒｃｅ  ｂｌｏｃｋ、ＰＲＢ）は、時間ドメインにおいてＮＤＬ／ＵＬｓｙｍｂ個の連続したＯＦＤＭシンボルあるいはＳＣ−ＦＤＭシンボルで定義され、周波数ドメインにおいてＮＲＢｓｃ個の連続した副搬送波で定義される。したがって、一つのＰＲＢは、ＮＤＬ／ＵＬｓｙｍｂ×ＮＲＢｓｃ個のリソース要素で構成される。
【００６２】
リソース格子内の各リソース要素は、１スロット内のインデックス対（ｋ，ｌ）により固有に定義可能である。ｋは、周波数ドメインにおいて０からＮＤＬ／ＵＬＲＢＮＲＢｓｃ−１まで与えられるインデックスであり、ｌは、時間ドメインにおいて０からＮＤＬ／ＵＬｓｙｍｂ−１まで与えられるインデックスである。
【００６３】
図１０は、無線通信システムにおいて下りリンクサブフレーム構造の一例を示す図である。
【００６４】
図１０を参照すると、各サブフレームを、制御領域（ｃｏｎｔｒｏｌ  ｒｅｇｉｏｎ）とデータ領域（ｄａｔａ  ｒｅｇｉｏｎ）とに区別することができる。制御領域は、先頭のＯＦＤＭシンボルから始めて一つ以上のＯＦＤＭシンボルを含む。サブフレーム内の制御領域に用いられるＯＦＤＭシンボルの個数はサブフレーム別に独立して設定されればよく、ＯＦＤＭシンボルの個数はＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）により伝送される。基地局は、制御領域を用いて各種の制御情報をユーザー機器に伝送することができる。制御情報の伝送のために、制御領域にはＰＤＣＣＨ（Ｐｈｙｓｉｃａｌ  Ｄｏｗｎｌｉｎｋ  Ｃｏｎｔｒｏｌ  ＣＨａｎｎｅｌ）、ＰＣＦＩＣＨ、ＰＨＩＣＨ（Ｐｈｙｓｉｃａｌ  Ｈｙｂｒｉｄ  ａｕｔｏｍａｔｉｃ  ｒｅｔｒａｎｓｍｉｔ  ｒｅｑｕｅｓｔ  Ｉｎｄｉｃａｔｏｒ  ＣＨａｎｎｅｌ）などが割り当てられうる。
【００６５】
基地局は、伝送チャネルであるＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）のリソース割当に関する情報、上りリンクスケジューリンググラント（Ｕｐｌｉｎｋ  Ｓｃｈｅｄｕｌｉｎｇ  Ｇｒａｎｔ）、ＨＡＲＱ情報、ＤＡＩ（Ｄｏｗｎｌｉｎｋ  Ａｓｓｉｇｎｍｅｎｔ  Ｉｎｄｅｘ）などをＰＤＣＣＨ上で各ユーザー機器又はユーザー機器グループに伝送する。
【００６６】
基地局は、データ領域を用いてユーザー機器あるいはユーザー機器グループのためのデータを伝送することができる。データ領域で伝送されるデータをユーザーデータと呼ぶことができる。ユーザーデータの伝送のために、データ領域にはＰＤＳＣＨ（Ｐｈｙｓｉｃａｌ  Ｄｏｗｎｌｉｎｋ  Ｓｈａｒｅｄ  ＣＨａｎｎｅｌ）が割り当てられうる。ＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）はＰＤＳＣＨを通じて伝送される。ユーザー機器は、ＰＤＣＣＨを通じて伝送される制御情報を復号して、ＰＤＳＣＨを通じて伝送されるデータを読むことができる。ＰＤＳＣＨのデータがどのユーザー機器あるいはユーザー機器グループに伝送されるものであるか、ユーザー機器あるいはユーザー機器グループがどのようにＰＤＳＣＨデータを受信して復号すべきか、などを表す情報がＰＤＣＣＨに含まれて伝送される。例えば、特定ＰＤＣＣＨが「Ａ」というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣマスキング（ｍａｓｋｉｎｇ）されており、「Ｂ」という無線リソース（例、周波数位置）及び「Ｃ」という伝送形式情報（例、伝送ブロックサイズ、変調方式、コーディング情報など）を用いて伝送されるデータに関する情報が特定サブフレームで伝送されると仮定する。該当のセルのＵＥは、自身が持っているＲＮＴＩ情報を用いてＰＤＣＣＨをモニタリングし、「Ａ」のＲＮＴＩを有しているＵＥはＰＤＣＣＨを受信し、受信したＰＤＣＣＨの情報から、「Ｂ」と「Ｃ」により指示されるＰＤＳＣＨを受信する。
【００６７】
複数のＰＤＣＣＨが制御領域で伝送され、ＵＥは、複数のＰＤＣＣＨをモニターして、自身のＰＤＣＣＨを検出することができる。１  ＰＤＣＣＨが運ぶＤＣＩは、ＰＵＣＣＨフォーマットによってそのサイズ及び用途が異なり、符号化率によってそのサイズが異なることがある。
【００６８】
ＤＣＩフォーマットは各ＵＥ別に独立して適用され、１サブフレーム中に複数のＵＥのＰＤＣＣＨが多重化されてもよい。各ＵＥのＰＤＣＣＨは独立してチャネルコーディングされてＣＲＣ（ｃｙｃｌｉｃ  ｒｅｄｕｎｄａｎｃｙ  ｃｈｅｃｋ）が付加される。ＣＲＣは、各ＵＥが自身のＰＤＣＣＨを受信できるように、各ＵＥの固有識別子でマスク（ｍａｓｋ）される。しかし、基本的にＵＥは、自身のＰＤＣＣＨが伝送される位置を知っておらず、毎サブフレームごとに該当するＤＣＩフォーマットの全てのＰＤＣＣＨを、自身の識別子を有しているＰＤＣＣＨを受信するまでブラインド検出（ブラインド復号（ｄｅｃｏｄｉｎｇ）という。）する。
【００６９】
図１１は、無線通信システムにおいて上りリンクサブフレーム構造の一例を示す図である。
【００７０】
図１１を参照すると、上りリンクサブフレームは、周波数ドメインで制御領域とデータ領域とに区別可能である。１つ又は複数のＰＵＣＣＨ（ｐｈｙｓｉｃａｌ  ｕｐｌｉｎｋ  ｃｏｎｔｒｏｌｃｈａｎｎｅｌ）がＵＣＩ（ｕｐｌｉｎｋ  ｃｏｎｔｒｏｌ  ｉｎｆｏｒｍａｔｉｏｎ）を運ぶために、制御領域に割り当てられるうる。１つ又は複数のＰＵＳＣＨ（ｐｈｙｓｉｃａｌ  ｕｐｌｉｎｋ  ｓｈａｒｅｄ  ｃｈａｎｎｅｌ）がユーザーデータを運ぶために、データ領域に割り当てられうる。ＵＥが上りリンク伝送にＳＣ−ＦＤＭＡ方式を採択する場合に、単一搬送波特性を維持するために、ＰＵＣＣＨとＰＵＳＣＨを同時に伝送してはならない。
【００７１】
一つのＰＵＣＣＨが運ぶＵＣＩは、ＰＵＣＣＨフォーマットによってそのサイズ及び用途が異なり、符号化率によってそのサイズが異なっくることがある。例えば、下記のようにＰＵＣＣＨフォーマットを定義することができる。
【００７２】
【表２】
0005985498.tif 000005
上りリンクサブフレームでは、ＤＣ（Ｄｉｒｅｃｔ  Ｃｕｒｒｅｎｔ）副搬送波を基準に遠く離れた副搬送波が制御領域として用いられる。換言すると、上りリンク伝送帯域幅の両端部に位置する副搬送波が、上りリンク制御情報の伝送に割り当てられる。ＤＣ副搬送波は、信号伝送に使用されずに残される成分であって、ＯＦＤＭ／ＳＣ−ＦＤＭ信号生成器３０６による周波数アップ変換過程で搬送波周波数ｆ０にマッピングされる。
【００７３】
一ＵＥに対するＰＵＣＣＨは、１サブフレーム内のＲＢ対に割り当てられ、該ＲＢ対に属したＲＢは２つのスロットでそれぞれ異なる副搬送波を占有する。このように割り当てられるＰＵＣＣＨを、ＰＵＣＣＨに割り当てられたＲＢ対がスロット境界で周波数ホッピングすると表現する。ただし、周波数ホッピングが適用されない場合には、ＲＢ対が同じ副搬送波を占有する。周波数ホッピングの有無にかかわらず、一ＵＥに対するＰＵＣＣＨは１サブフレーム内のＲＢ対に割り当てられるので、同一ＰＵＣＣＨが一つのＵＬサブフレーム内の各スロットで１個のＲＢを通じて一回ずつ、総２回伝送される。
【００７４】
以下では、１サブフレーム内の各ＰＵＣＣＨ伝送に用いられるＲＢ対をＰＵＣＣＨ領域（ＰＵＣＣＨ  ｒｅｇｉｏｎ）又はＰＵＣＣＨリソース（ＰＵＣＣＨ  ｒｅｓｏｕｒｃｅ）ともいう。また、以下では、説明の便宜のために、ＰＵＣＣＨのうち、ＡＣＫ／ＮＡＣＫを運ぶＰＵＣＣＨをＡＣＫ／ＮＡＣＫ  ＰＵＣＣＨ、ＣＱＩ／ＰＭＩ／ＲＩを運ぶＰＵＣＣＨをＣＳＩ（Ｃｈａｎｎｅｌ  Ｓｔａｔｅ  Ｉｎｆｏｒｍａｔｉｏｎ）ＰＵＣＣＨ、ＳＲを運ぶＰＵＣＣＨをＳＲ  ＰＵＣＣＨと呼ぶ。
【００７５】
ＵＥには、上位（ｈｉｇｈｅｒ）層シグナリング、あるいは明示的（ｅｘｐｌｉｃｉｔ）方式又は暗黙的（ｉｍｐｌｉｃｉｔ）方式によりＢＳからＵＣＩの伝送のためのＰＵＣＣＨリソースが割り当てられる。
【００７６】
ＡＣＫ／ＮＡＣＫ（ＡＣＫｎｏｗｌｅｄｇｍｅｎｔ／ｎｅｇａｔｉｖｅ  ＡＣＫ）、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｆｏｒｍａｔｉｏｎ）、ＳＲ（Ｓｃｈｅｄｕｌｉｎｇ  Ｒｅｑｕｅｓｔ）などの上りリンク制御情報（ＵＣＩ）が、上りリンクサブフレームの制御領域上で伝送されうる。
【００７７】
無線通信システムにおいて、ＢＳとＵＥはデータを相互送信／受信する。ＢＳ／ＵＥがデータをＵＥ／ＢＳに伝送すると、該ＵＥ／ＢＳは、受信したデータを復号（ｄｅｃｏｄｅ）し、そのデータ復号に成功するとＢＳ／ＵＥにＡＣＫを伝送し、データ復号に失敗するとＢＳ／ＵＥにＮＡＣＫを伝送する。基本的に、３ＧＰＰ  ＬＴＥシステムにおいて、ＵＥはＢＳからデータユニット（例えば、ＰＤＳＣＨ）を受信し、該データユニットに関するスケジューリング情報を運ぶＰＤＣＣＨリソースにより決定される暗黙的ＰＵＣＣＨリソースを用いて、各データユニットに対するＡＣＫ／ＮＡＣＫをＢＳに伝送する。
【００７８】
図１２は、ＡＣＫ／ＮＡＣＫのためのＰＵＣＣＨリソースを決定する例を示す図である。
【００７９】
ＬＴＥシステムにおいてＡＣＫ／ＮＡＣＫのためのＰＵＣＣＨリソースは、各ＵＥにあらかじめ割り当てられているのではなく、複数のＰＵＣＣＨリソースをセル内の複数のＵＥが毎時点ごとに分けて使用する。具体的に、ＵＥがＡＣＫ／ＮＡＣＫを伝送するのに使用するＰＵＣＣＨリソースは、該当の下りリンクデータを運ぶＰＤＳＣＨに関するスケジューリング情報を運ぶＰＤＣＣＨに基づいて暗黙的方式で決定される。それぞれのＤＬサブフレームにおいてＰＤＣＣＨが伝送される全体領域は複数のＣＣＥ（Ｃｏｎｔｒｏｌ  Ｃｈａｎｎｅｌ  Ｅｌｅｍｅｎｔ）で構成され、ＵＥに伝送されるＰＤＣＣＨは一つ以上のＣＣＥで構成される。ＣＣＥは、複数（例えば、９個）のＲＥＧ（Ｒｅｓｏｕｒｃｅ  Ｅｌｅｍｅｎｔ  Ｇｒｏｕｐ）を含む。１  ＲＥＧは、参照信号（Ｒｅｆｅｒｅｎｃｅ  Ｓｉｇｎａｌ：ＲＳ）を除外した状態で、隣接する４個のＲＥ（Ｒｅｓｏｕｒｃｅ  Ｅｌｅｍｅｎｔ）で構成される。ＵＥは、自身が受信したＰＤＣＣＨを構成するＣＣＥのインデックスのうち、特定ＣＣＥインデックス（例えば、先頭のあるいは最も低いＣＣＥインデックス）の関数により誘導あるいは計算される暗黙的ＰＵＣＣＨリソースを用いてＡＣＫ／ＮＡＣＫを伝送する。
【００８０】
図１２を参照すると、それぞれのＰＵＣＣＨリソースインデックスはＡＣＫ／ＮＡＣＫのためのＰＵＣＣＨリソースに対応する。図１２のように、４〜６番ＣＣＥで構成されたＰＤＣＣＨを通じて、ＰＤＳＣＨに関するスケジューリング情報がＵＥに伝送されると仮定すると、ＵＥは、ＰＤＣＣＨを構成する最低ＣＣＥである４番ＣＣＥのインデックスから誘導あるいは計算されたＰＵＣＣＨ、例えば、４番ＰＵＣＣＨを用いてＡＣＫ／ＮＡＣＫをＢＳに伝送する。図１２は、ＤＬに最大Ｍ’個のＣＣＥが存在し、ＵＬに最大Ｍ個のＰＵＣＣＨが存在する場合を例示する。Ｍ’＝Ｍでもよいが、Ｍ’値とＭ値とを異なるように設計し、ＣＣＥとＰＵＣＣＨリソースとのマッピングが重なるようにすることも可能である。
【００８１】
例えば、ＰＵＣＣＨリソースインデックスを下記のように定めることができる。
【００８２】
【数１】
0005985498.tif 000006
ここで、ｎ（１）ＰＵＣＣＨは、ＡＣＫ／ＮＡＣＫ伝送のためのＰＵＣＣＨリソースインデックスを表し、Ｎ（１）ＰＵＣＣＨは、上位レイヤーから伝達されたシグナリング値を表す。ｎＣＣＥは、ＰＤＣＣＨ伝送に用いられたＣＣＥインデックスのうち、最も小さい値を表すことができる。
【００８３】
図１３は、単一搬送波状況で通信を行う例を示す図である。図１３は、ＬＴＥシステムでの通信例に対応する。
【００８４】
図１３を参照すると、一般的なＦＤＤ方式無線通信システムは、一つの下りリンク帯域とこれに対応する一つの上りリンク帯域を通じてデータ送受信を行う。ＢＳとＵＥは、サブフレーム単位にスケジューリングされたデータ及び／又は制御情報を送受信する。データは、上り／下りリンクサブフレームに設定されたデータ領域を通じて送受信され、制御情報は、上り／下りリンクサブフレームに設定された制御領域を通じて送受信される。そのために、上り／下りリンクサブフレームは種々の物理チャネルを通じて信号を運ぶ。図１３は、便宜上、ＦＤＤ方式を中心に説明したが、上述した内容は、図８の無線フレームを時間領域で上り／下りリンクに区別することによってＴＤＤ方式にも適用可能である。
【００８５】
図１４には、多重搬送波状況下で通信を行う例を示す。
【００８６】
ＬＴＥ−Ａシステムは、より広い周波数帯域を用いるために、複数の上り／下りリンク周波数ブロックを束ねて、より大きい上り／下りリンク帯域幅を用いる搬送波アグリゲーション（ｃａｒｒｉｅｒ  ａｇｇｒｅｇａｔｉｏｎ又はｂａｎｄｗｉｄｔｈ  ａｇｇｒｅｇａｔｉｏｎ）技術を用いる。多重搬送波システム又は搬送波アグリゲーション（ｃａｒｒｉｅｒ  ａｇｇｒｅｇａｔｉｏｎ、ＣＡ）システムは、広帯域支援のために目標帯域（ｂａｎｄｗｉｄｔｈ）よりも小さい帯域を有する複数の搬送波を束ねて用いるシステムのことをいう。目標帯域よりも小さい帯域を有する複数の搬送波を束ねるとき、束ねられる搬送波の帯域は、既存システムとの互換（ｂａｃｋｗａｒｄ  ｃｏｍｐａｔｉｂｉｌｉｔｙ）のために、既存システムで用いる帯域幅に制限されるとよい。例えば、既存のＬＴＥシステムは、１．４、３、５、１０、１５、２０ＭＨｚの帯域幅を支援し、ＬＴＥシステムから進展したＬＴＥ−Ａ（ＬＴＥ−Ａｄｖａｎｃｅｄ）システムは、ＬＴＥで支援する帯域幅のみを用いて２０ＭＨｚよりも大きい帯域幅を支援することができる。又は、既存システムで使用する帯域幅によらず、新しい帯域幅を定義して搬送波アグリゲーションを支援してもよい。多重搬送波は、搬送波アグリゲーション及び帯域幅アグリゲーションと同じ意味で使われる。また、搬送波アグリゲーションは、隣接した（ｃｏｎｔｉｇｕｏｕｓ）搬送波アグリゲーション、隣接していない（ｎｏｎ−ｃｏｎｔｉｇｕｏｕｓ）搬送波アグリゲーションを総称する。参考として、ＴＤＤで１個のコンポーネント搬送波（ｃｏｍｐｏｎｅｎｔ  ｃａｒｒｉｅｒ、ＣＣ）のみが通信に用いられる場合、図１３の単一搬送波状況（ｎｏｎ−ＣＡ）下における通信に相当する。ここで、ＵＬ  ＣＣ及びＤＬ  ＣＣはそれぞれ、ＵＬリソース（ＵＬ  ｒｅｓｏｕｒｃｅｓ）及びＤＬリソース（ＤＬ  ｒｅｓｏｕｒｃｅｓ）とも呼ばれる。
【００８７】
例えば、図１４を参照すると、上り／下りリンクにそれぞれ５個の２０ＭＨｚのＣＣが束ねられて１００ＭＨｚ帯域幅を支援することができる。それぞれのＣＣは、周波数領域で互いに隣接していても、非−隣接していてもよい。図１４は、便宜上、ＵＬ  ＣＣの帯域幅とＤＬ  ＣＣの帯域幅とがいずれも同一且つ対称である場合を示している。しかし、各ＣＣの帯域幅は独立して定められてもよい。一例として、ＵＬ  ＣＣの帯域幅は、５ＭＨｚ（ＵＬ  ＣＣ０）＋２０ＭＨｚ（ＵＬ  ＣＣ１）＋２０ＭＨｚ（ＵＬ  ＣＣ２）＋２０ＭＨｚ（ＵＬ  ＣＣ３）＋５ＭＨｚ（ＵＬ  ＣＣ４）のように構成されてもよい。また、ＵＬ  ＣＣの個数とＤＬ  ＣＣの個数とが異なる非対称の搬送波アグリゲーションにしてもよい。非対称の搬送波アグリゲーションは、可用周波数帯域の制限により発生することもあり、ネットワーク設定により人為的に発生することもある。一例として、ＢＳがＸ個のＤＬ  ＣＣを管理しても、特定ＵＥが受信可能な周波数帯域はＹ（≦Ｘ）個のＤＬ  ＣＣに限定されることがある。この場合、ＵＥは、Ｙ個のＣＣを通じて伝送されるＤＬ信号／データをモニターすればよい。また、ＢＳがＬ個のＵＬ  ＣＣを管理しても、特定ＵＥが送信可能な周波数帯域はＭ（≦Ｌ）個のＵＬ  ＣＣに限定されることがある。このように、特定ＵＥに限定されたＤＬ  ＣＣあるいはＵＬ  ＣＣを、特定ＵＥでの設定された（ｃｏｎｆｉｇｕｒｅｄ）サービング（ｓｅｒｖｉｎｇ）ＵＬあるいはＤＬ  ＣＣと呼ぶ。ＢＳは、該ＢＳが管理するＣＣのうち一部又は全部を活性化（ａｃｔｉｖａｔｅ）したり、一部のＣＣを非活性化（ｄｅａｃｔｉｖａｔｅ）することで、ＵＥに所定の個数のＣＣを割り当てることができる。ＢＳは活性化／非活性化されるＣＣを変更することができ、活性化／非活性化されるＣＣの個数を変更することができる。一方、ＢＳは、セル−特定あるいはＵＥ−特定にＵＥが優先してモニター／受信すべきＺ個のＤＬ  ＣＣ（ここで、１≦Ｚ≦Ｙ≦Ｘ）を主要（ｍａｉｎ）ＤＬ  ＣＣと構成することができる。また、ＢＳは、セル−特定あるいはＵＥ−特定にＵＥが優先して送信するＮ個のＵＬ  ＣＣ（ここで、１≦Ｎ≦Ｍ≦Ｌ）を主要（ｍａｉｎ）ＵＬ  ＣＣと構成することができる。このように特定ＵＥに限定された主要ＤＬあるいはＵＬ  ＣＣを、特定ＵＥでの設定された（ｃｏｎｆｉｇｕｒｅｄ）サービング（ｓｅｒｖｉｎｇ）ＵＬあるいはＤＬ  ＣＣとも呼ぶ。搬送波アグリゲーションに関する種々のパラメータは、セル−特定（ｃｅｌｌ−ｓｐｅｃｉｆｉｃ）、ＵＥグループ−特定（ＵＥ  ｇｒｏｕｐ−ｓｐｅｃｉｆｉｃ）又はＵＥ−特定（ＵＥ−ｓｐｅｃｉｆｉｃ）に設定することができる。
【００８８】
一応ＢＳがＵＥに利用可能なＣＣをセル−特定あるいはＵＥ−特定に割り当てると、該ＵＥへのＣＣ割当が全面的に再構成されたり、ＵＥがハンドオーバーしない限り、一応割り当てられたＣＣのうち少なくとも一つは非活性化されない。以下では、ＵＥへのＣＣ割当の全面的な再構成でない限り非活性化されないＣＣをＰＣＣ（Ｐｒｉｍａｒｙ  ＣＣ）と称し、ＢＳが自由に活性化／非活性化し得るＣＣをＳＣＣ（Ｓｅｃｏｎｄａｒｙ  ＣＣ）と称する。単一搬送波通信は、１個のＰＣＣをＵＥとＢＳ間の通信に使用し、ＳＣＣは通信に使用しない。一方、ＰＣＣとＳＣＣは制御情報を基準に区別されてもよい。例えば、特定制御情報は特定ＣＣのみを通じて送受信されるように設定されることがあり、このような特定ＣＣをＰＣＣと呼び、残りのＣＣをＳＣＣ（ｓ）と呼ぶことができる。例えば、ＰＵＣＣＨを通じて伝送される制御情報がこのような特定制御情報に相当する。このように、ＰＵＣＣＨ上で伝送される制御情報がＰＣＣのみを通じてＵＥからＢＳへと伝送可能な場合、該ＵＥのＰＵＣＣＨが存在するＵＬ  ＣＣをＵＬ  ＰＣＣと呼び、残りのＵＬ  ＣＣはＵＬＳＣＣ（ｓ）と呼ぶことができる。他の例として、ＵＥ−特定的ＣＣが用いられる場合に、特定ＵＥは、ＤＬ同期シグナル（ｓｙｎｃｈｒｏｎｉｚａｔｉｏｎ  ｓｉｇｎａｌ、ＳＳ）を特定制御情報としてＢＳから受信することができる。この場合、特定ＵＥがＤＬ  ＳＳを受信して初期ＤＬ時間同期を取ったＤＬ  ＣＣ（換言すると、ＢＳのネットワークへの接続を試みるのに用いたＤＬ  ＣＣ）をＤＬ  ＰＣＣと呼び、残りのＤＬ  ＣＣをＤＬ  ＳＣＣ（ｓ）と呼ぶことができる。ＬＴＥ−Ａ  ｒｅｌｅａｓｅ−１０に基づく通信システムでは、多重搬送波通信は各ＵＥ当たり１個のＰＣＣと０個又は１個以上の副ＳＣＣ（ｓ）が通信に用いられる。しかし、これはＬＴＥ−Ａ標準に基づく定義であり、将来、ＵＥ当たり複数のＰＣＣを通信に用いることが許容されるだろう。ＰＣＣは、主ＣＣ（ｐｒｉｍａｒｙ  ＣＣ）、アンカーＣＣ（ａｎｃｈｏｒ  ＣＣ）あるいは主搬送波（ｐｒｉｍａｒｙ  ｃａｒｒｉｅｒ）と呼ぶこともでき、ＳＣＣは、副セル（ｓｅｃｏｎｄａｒｙ  ＣＣ）あるいは副搬送波（ｓｅｃｏｎｄａｒｙ  ＣＣ）と呼ぶこともできる。
【００８９】
ＬＴＥ−Ａは、無線リソースを管理するためにセル（ｃｅｌｌ）の概念を用いる。セルは、下りリンクリソース（ＤＬ  ｒｅｓｏｕｒｃｅｓ）と上りリンクリソース（ＵＬ  ｒｅｓｏｕｒｃｅｓ）との組み合わせ、すなわち、ＤＬ  ＣＣとＵＬ  ＣＣとの組み合わせで定義され、上りリンクリソースは必須要素ではない。しかし、これは、現在ＬＴＥ−Ａ標準における定義であり、将来、セルが上りリンクリソース単独で構成されることも可能になる。したがって、セルは、下りリンクリソース単独、又は下りリンクリソース及び上りリンクリソースの両方で構成可能である。搬送波アグリゲーションが支援される場合に、下りリンクリソース（又は、ＤＬ  ＣＣ）の搬送波周波数（ｃａｒｒｉｅｒ  ｆｒｅｑｕｅｎｃｙ）と上りリンクリソース（又は、ＵＬ  ＣＣ）の搬送波周波数とのリンケージ（ｌｉｎｋａｇｅ）をシステム情報で指示することができる。例えば、システム情報ブロックタイプ２（Ｓｙｓｔｅｍ  Ｉｎｆｏｒｍａｔｉｏｎ  Ｂｌｏｃｋ  ｔｙｐｅ  ２、ＳＩＢ２）リンケージにより、ＤＬリソースとＵＬリソースとの組み合わせを指示することができる。ここで、搬送波周波数とは、各セルあるいはＣＣの中心周波数（ｃｅｎｔｅｒ  ｆｒｅｑｕｅｎｃｙ）を意味する。主周波数（Ｐｒｉｍａｒｙ  ｆｒｅｑｕｅｎｃｙ）（又は、ＰＣＣ）上で動作するセルを主セル（Ｐｒｉｍａｒｙ  Ｃｅｌｌ、ＰＣｅｌｌ）と呼び、副周波数（Ｓｅｃｏｎｄａｒｙ  ｆｒｅｑｕｅｎｃｙ）（又は、ＳＣＣ）上で動作するセルを副セル（Ｓｅｃｏｎｄａｒｙ  Ｃｅｌｌ、ＳＣｅｌｌ）と呼ぶことができる。主周波数（あるいはＰＣＣ）とは、ＵＥが初期接続設定（ｉｎｉｔｉａｌ  ｃｏｎｎｅｃｔｉｏｎ  ｅｓｔａｂｌｉｓｈｍｅｎｔ）過程を行ったり、接続再−設定（ｃｏｎｎｅｃｔｉｏｎ  ｒｅ−ｅｓｔａｂｌｉｓｈｍｅｎｔ）過程を始めるのに用いられる周波数（又はＣＣ）を意味する。ＰＣｅｌｌは、ハンドオーバー過程で指示されたセルのことを指すこともある。副周波数（又はＳＣＣ）とは、ＲＲＣ接続が設定された後に構成可能であり、追加の無線リソースを提供するのに使用可能な周波数（あるいはＣＣ）を意味する。ＰＣｅｌｌとＳＣｅｌｌはサービングセル（ｓｅｒｖｉｎｇ  ｃｅｌｌ）と総称されてもよい。したがって、ＲＲＣ＿ＣＯＮＮＥＣＴＥＤ状態にあるが、搬送波アグリゲーションが設定されていないか、搬送波アグリゲーションを支援しないＵＥの場合は、ＰＣｅｌｌのみで構成されたサービングセルが一つのみ存在する。一方、ＲＲＣ＿ＣＯＮＮＥＣＴＥＤ状態であり、且つ搬送波アグリゲーションが設定されたＵＥの場合は、一つ以上のサービングセルが存在し、全体サービングセルには一つのＰＣｅｌｌと一つ以上のＳＣｅｌｌが含まれる。ただし、将来、サービングセルが複数のＰＣｅｌｌを含むことが許容されることも可能になるだろう。搬送波アグリゲーションのために、ネットワークは初期保安活性化（ｉｎｉｔｉａｌ  ｓｅｃｕｒｉｔｙ  ａｃｔｉｖａｔｉｏｎ）過程が開始された後、接続設定過程で初期に構成されるＰＣｅｌｌに加えて、一つ以上のＳＣｅｌｌを搬送波アグリゲーションを支援するＵＥのために構成することができる。しかし、ＵＥが搬送波アグリゲーションを支援して���、ネットワークはＳＣｅｌｌを付加せずに、ＰＣｅｌｌのみをＵＥのために構成することもできる。ＰＣｅｌｌを主Ｃｅｌｌ（ｐｒｉｍａｒｙ  Ｃｅｌｌ）、アンカーＣｅｌｌ（ａｎｃｈｏｒ  Ｃｅｌｌ）あるいは主搬送波（ｐｒｉｍａｒｙ  ｃａｒｒｉｅｒ）と呼ぶこともでき、ＳＣｅｌｌを、副セル（ｓｅｃｏｎｄａｒｙ  Ｃｅｌｌ）あるいは副搬送波（ｓｅｃｏｎｄａｒｙ  ｃａｒｒｉｅｒ）と呼ぶこともできる。
【００９０】
多重搬送波システムにおいて、ＢＳは、複数のデータユニットを与えられたセル（あるいはＣＣ）上でＵＥに伝送することができ、ＵＥは、サブフレームで当該複数のデータユニットに対するＡＣＫ／ＮＡＣＫを伝送することができる。下りリンクデータ受信のためのＰＤＳＣＨを受信する一つ又は複数のセル（あるいはＤＬ  ＣＣ）をＵＥに割り当てることができる。ＵＥのためのセル（あるいはＤＬ  ＣＣ）は、ＲＲＣシグナリングによって半−静的（ｓｅｍｉ−ｓｔａｔｉｃ）に構成（ｃｏｎｆｉｇｕｒｅ）あるいは再構成可能である。また、ＵＥのためのセル（あるいはＤＬ  ＣＣ）は、Ｌ１／Ｌ２（ＭＡＣ）制御シグナリングによって動的に活性化／非活性化されてもよい。したがって、ＵＥが伝送するＡＣＫ／ＮＡＣＫビットの最大個数は、ＵＥが利用可能なセル（あるいはＤＬ  ＣＣ）によって異なることがある。すなわち、ＵＥが伝送するＡＣＫ／ＮＡＣＫビットの最大個数は、ＲＲＣにより構成／再構成されたり、Ｌ１／Ｌ２シグナリングにより活性化されたＤＬ  ＣＣ（あるいは、構成されたサービングセル）によって異なってくる。
【００９１】
図１５は、基地局で一つのＭＡＣが多重搬送波を管理する概念を説明する。図１６は、ユーザー機器で一つのＭＡＣが多重搬送波を管理する概念を説明する。
【００９２】
図１５及び１６を参照すると、一つのＭＡＣが一つ以上の周波数搬送波を管理及び運営して送受信を行う。一つのＭＡＣで管理される周波数搬送波は互いに隣接（ｃｏｎｔｉｇｕｏｕｓ）する必要がないため、リソースの管理側面でより柔軟（ｆｌｅｘｉｂｌｅ）であるというメリットがある。図１５及び図１６で、一つのＰＨＹは、便宜上、一つのコンポーネント搬送波を意味するとする。ここで、一つのＰＨＹは必ずしも独立したＲＦ（Ｒａｄｉｏ  Ｆｒｅｑｕｅｎｃｙ）デバイスを意味しない。一般に、一つの独立したＲＦデバイスは一つのＰＨＹを意味するが、必ずしもこれに限定されるわけではなく、一つのＲＦデバイスが複数のＰＨＹを含むこともできる。
【００９３】
図１７は、基地局で複数のＭＡＣが多重搬送波を管理する概念を説明する。図１８は、ユーザー機器で複数のＭＡＣが多重搬送波を管理する概念を説明する。図１９は、基地局で複数のＭＡＣが多重搬送波を管理する他の概念を説明する。図２０は、ユーザー機器で複数のＭＡＣが多重搬送波を管理する他の概念を説明する。
【００９４】
図１５及び図１６のような構造の他、図１７乃至図２０のように、複数の搬送波を一つのＭＡＣではなく複数のＭＡＣが制御する構造も可能である。図１７及び図１８のように、それぞれの搬送波をそれぞれのＭＡＣが１：１で制御することもでき、図１９及び図２０のように、一部の搬送波については、それぞれの搬送波をそれぞれのＭＡＣが１：１で制御し、残り１個以上の搬送波を一つのＭＡＣが制御することもできる。
【００９５】
上記のシステムは、１個からＮ個までの複数の搬送波を含むシステムであり、各搬送波は、隣接又は非隣接（ｎｏｎ−ｃｏｎｔｉｇｕｏｕｓ）するように用いられる。これは、上り／下りリンクを問わず共通に適用可能である。ＴＤＤシステムは、それぞれの搬送波内に下りリンクと上りリンクの伝送を含むＮ個の複数の搬送波を運営するように構成され、ＦＤＤシステムは、複数の搬送波を上りリンクと下りリンクにそれぞれ使用するように構成される。ＦＤＤシステムでは、上りリンクと下りリンクで束ねられる搬送波の数及び／又は搬送波の帯域幅が互いに異なる非対称の搬送波アグリゲーションも支援可能である。
【００９６】
上りリンクと下りリンクで束ねられるコンポーネント搬送波の個数が同一であると、全てのコンポーネント搬送波を既存システムと互換可能に構成することができる。しかし、互換性を考慮しないコンポーネント搬送波が本発明から除外されるわけではない。
【００９７】
以下では、説明の便宜のために、ＰＤＣＣＨが下りリンクコンポーネント搬送波＃０で伝送されたとき、該当のＰＤＳＣＨも下りリンクコンポーネント搬送波＃０で伝送されるとして説明するが、交差−搬送波スケジューリング（ｃｒｏｓｓ−ｃａｒｒｉｅｒ  ｓｃｈｅｄｕｌｉｎｇ）が適用されて、該当のＰＤＳＣＨが他の下りリンクコンポーネント搬送波を通じて伝送されてもよいことは明らかである。
【００９８】
図２１及び図２２は、ＡＣＫ／ＮＡＣＫ伝送のためのＰＵＣＣＨフォーマット１ａ及び１ｂのスロットレベル構造を例示する。
【００９９】
図２１には、正規ＣＰにおいてのＰＵＣＣＨフォーマット１ａと１ｂを示す。図２２には、拡張ＣＰにおいてのＰＵＣＣＨフォーマット１ａと１ｂを示す。ＰＵＣＣＨフォーマット１ａと１ｂは、同じ内容の制御情報がサブフレーム内でスロット単位に反復される。各ユーザー機器でＡＣＫ／ＮＡＣＫ信号は、ＣＧ−ＣＡＺＡＣ（Ｃｏｍｐｕｔｅｒ−Ｇｅｎｅｒａｔｅｄ  Ｃｏｎｓｔａｎｔ  Ａｍｐｌｉｔｕｄｅ  Ｚｅｒｏ  Ａｕｔｏ  Ｃｏｒｒｅｌａｔｉｏｎ）シーケンスの互いに異なったサイクリックシフト（ｃｙｃｌｉｃ  ｓｈｉｆｔ：ＣＳ）（周波数ドメインコード）と直交カバーコード（ｏｒｔｈｏｇｏｎａｌ  ｃｏｖｅｒ  ｏｒ  ｏｒｔｈｏｇｏｎａｌ  ｃｏｖｅｒ  ｃｏｄｅ：ＯＣ  ｏｒ  ＯＣＣ）（時間ドメイン拡散コード）とで構成された互いに異なったリソースを通じて伝送される。ＯＣは、例えばウォルシュ（Ｗａｌｓｈ）／ＤＦＴ直交コードを含む。ＣＳの個数が６個であり、ＯＣの個数が３であると、単一アンテナを基準に総１８個のユーザー機器を同じＰＲＢ（Ｐｈｙｓｉｃａｌ  Ｒｅｓｏｕｒｃｅ  Ｂｌｏｃｋ）中に多重化できる。直交シーケンスｗ０，ｗ１，ｗ２，ｗ３は、（ＦＦＴ変調後に）任意の時間ドメインで、又は（ＦＦＴ変調前に）任意の周波数ドメインで適用可能である。ＳＲ（Ｓｃｈｅｄｕｌｉｎｇ  Ｒｅｑｕｅｓｔ）伝送のためのＰＵＣＣＨフォーマット１のスロットレベル構造は、変調方法以外は、ＰＵＣＣＨフォーマット１ａ及び１ｂと同一である。
【０１００】
ＳＲ伝送と半−持続的スケジューリング（ｓｅｍｉ−ｐｅｒｓｉｓｔｅｎｔ  ｓｃｈｅｄｕｌｉｎｇ、ＳＰＳ）に対するＡＣＫ／ＮＡＣＫフィードバックのために、ＣＳ、ＯＣ及びＰＲＢ（Ｐｈｙｓｉｃａｌ  Ｒｅｓｏｕｒｃｅ  Ｂｌｏｃｋ）で構成されたＰＵＣＣＨリソースが、ＲＲＣ（Ｒａｄｉｏ  Ｒｅｓｏｕｒｃｅ  Ｃｏｎｔｒｏｌ）シグナリングを通じてユーザー機器に割り当てられうる。図１２で説明した通り、動的ＡＣＫ／ＮＡＣＫ（あるいは、非持続的スケジューリング（ｎｏｎ−ｐｅｒｓｉｓｔｅｎｔ  ｓｃｈｅｄｕｌｉｎｇ）に対するＡＣＫ／ＮＡＣＫ）フィードバック、及びＳＰＳ解除を指示するＰＤＣＣＨに対するＡＣＫ／ＮＡＣＫフィードバックのために、ＰＵＣＣＨリソースは、ＰＤＳＣＨに対応するＰＤＣＣＨあるいはＳＰＳ解除のためのＰＤＣＣＨの最小（ｌｏｗｅｓｔ  ｏｒ  ｓｍａｌｌｅｓｔ）のＣＣＥインデックスを用いて暗黙的に（ｉｍｐｌｉｃｉｔｌｙ）ユーザー機器に割り当てられうる。
【０１０１】
図２３は、搬送波アグリゲーションが支援される無線通信システムにおいて、上りリンク制御情報（Ｕｐｌｉｎｋ  Ｃｏｎｔｒｏｌ  Ｉｎｆｏｒｍａｔｉｏｎ：ＵＣＩ）が伝送されるシナリオを例示する。便宜上、本例は、ＵＣＩがＡＣＫ／ＮＡＣＫ（Ａ／Ｎ）である場合を仮定する。しかし、これは説明の便宜のためのもので、これに限定されず、ＵＣＩは、チャネル状態情報（例、ＣＱＩ、ＰＭＩ、ＲＩ）、スケジューリング要請情報（例、ＳＲ）のような制御情報も含むことができる。
【０１０２】
図２３は、５個のＤＬ  ＣＣが１個のＵＬ  ＣＣとリンクされた非対称の搬送波アグリゲーションを例示する。例示した非対称の搬送波アグリゲーションは、ＵＣＩ伝送観点で設定されたものであってもよい。すなわち、ＵＣＩのためのＤＬ  ＣＣ−ＵＬ  ＣＣリンケージとデータのためのＤＬ  ＣＣ−ＵＬ  ＣＣリンケージとが互いに異なるように設定されることもある。便宜上、各ＤＬ  ＣＣが最大２つのコードワードを運ぶことができ、各ＣＣに対するＡＣＫ／ＮＡＣＫ応答の個数が、ＣＣ当たりに設定された最大コードワードの個数に依存すると仮定すると（例えば、特定ＣＣで基地局から設定された最大コードワードの個数が２の場合に、該ＣＣで特定ＰＤＣＣＨがコードワードを１個のみ使用しても、これに対するＡＣＫ／ＮＡＣＫ応答は、ＣＣでの最大コードワードの数である２個からなる）、ＵＬ  ＡＣＫ／ＮＡＣＫビットは、各ＤＬ  ＣＣ当たり少なくとも２ビットを必要とする。この場合、５個のＤＬ  ＣＣを通じて受信したデータに対するＡＣＫ／ＮＡＣＫを一つのＵＬ  ＣＣを用いて伝送するためには、少なくとも１０ビットのＡＣＫ／ＮＡＣＫビットが必要である。もし、ＤＬ  ＣＣ別にＤＴＸ（ｄｉｓｃｏｎｔｉｎｕｏｕｓ  ｔｒａｎｓｍｉｓｓｉｏｎ）状態（ｓｔａｔｅ）も別途に区別するためには、ＡＣＫ／ＮＡＣＫ伝送のために少なくとも１２ビット（＝５５＝３１２５＝１１．６１ビット）が必要となる。既存のＰＵＣＣＨフォーマット１ａ／１ｂは２ビットまでＡＣＫ／ＮＡＣＫを送ることができるため、このような構造では、増加したＡＣＫ／ＮＡＣＫ情報を伝送することができない。便宜上、ＵＣＩ情報の量が増加する原因として搬送波アグリゲーションを例示したが、アンテナ個数の増加、ＴＤＤシステム、リレーシステムでのバックホールサブフレームの存在などによってもＵＣＩ情報の量が増加することがある。ＡＣＫ／ＮＡＣＫと同様に、複数のＤＬ  ＣＣに関連した制御情報を一つのＵＬ  ＣＣを用いて伝送する場合にも、伝送されるべき制御情報の量が増加する。例えば、複数のＤＬ  ＣＣに対するＣＱＩ／ＰＭＩ／ＲＩを伝送しなければならない場合にＵＣＩペイロードが増加することがある。
【０１０３】
図２３で、ＵＬアンカーＣＣ（ＵＬ  ＰＣＣあるいはＵＬ主（ｐｒｉｍａｒｙ）ＣＣともいう。）は、ＰＵＣＣＨあるいはＵＣＩが伝送されるＣＣであり、セル−特定／ＵＥ−特定に決定可能である。また、ＤＴＸ状態は、明示的にフィードバックされてもよく、ＮＡＣＫと同じ状態を共有するようにフィードバックされてもよい。
【０１０４】
以下、図面を参照して、増加した上りリンク制御情報を效率的に伝送するための方案を提案する。具体的に、増加した上りリンク制御情報を伝送するための新しいＰＵＣＣＨフォーマット／信号処理過程／リソース割当方法などを提案する。説明のために、本発明で提案する新しいＰＵＣＣＨフォーマットを、ＣＡ（Ｃａｒｒｉｅｒ  Ａｇｇｒｅｇａｔｉｏｎ）ＰＵＣＣＨフォーマット、又は既存ＬＴＥリリース８／９にＰＵＣＣＨフォーマット２まで定義されている点からＰＵＣＣＨフォーマット３と呼ぶ。本発明で提案するＰＵＣＣＨフォーマットの技術的思想は、上りリンク制御情報を伝送し得る任意の物理チャネル（例、ＰＵＳＣＨ）にも同一又は類似の方式で容易に適用可能である。例えば、本発明の実施例は、制御情報を周期的に伝送する周期的ＰＵＳＣＨ構造又は制御情報を非周期的に伝送する非周期的ＰＵＳＣＨ構造にも適用可能である。
【０１０５】
以下の図面及び実施例は、ＰＵＣＣＨフォーマット３に適用されるサブフレーム／スロットレベルのＵＣＩ／ＲＳシンボル構造であり、既存ＬＴＥのＰＵＣＣＨフォーマット１／１ａ／１ｂ（正規ＣＰ）のＵＣＩ／ＲＳシンボル構造を用いる場合を中心に説明する。ただし、図示のＰＵＣＣＨフォーマット３においてサブフレーム／スロットレベルのＵＣＩ／ＲＳシンボル構造は例示のために便宜上定義されたもので、本発明が特定構造に制限されることはない。本発明に係るＰＵＣＣＨフォーマット３においてＵＣＩ／ＲＳシンボルの個数、位置などはシステム設計によって自由に変形可能である。例えば、本発明の実施例に係るＰＵＣＣＨフォーマット３は、既存ＬＴＥのＰＵＣＣＨフォーマット２／２ａ／２ｂのＲＳシンボル構造を用いて定義されてもよい。
【０１０６】
本発明の実施例に係るＰＵＣＣＨフォーマット３は、任意の種類／サイズの上りリンク制御情報を伝送するのに用いることができる。例えば、本発明の実施例に係るＰＵＣＣＨフォーマット３はＨＡＲＱ  ＡＣＫ／ＮＡＣＫ、ＣＱＩ、ＰＭＩ、ＲＩ、ＳＲなどの情報を伝送でき、これらの情報は任意サイズのペイロードを有することができる。説明の便宜上、図面及び実施例では、本発明に係るＰＵＣＣＨフォーマット３がＡＣＫ／ＮＡＣＫ情報を伝送する場合を中心に説明する。
【０１０７】
図２４乃至図２７は、本発明で使用され得るＰＵＣＣＨフォーマット３の構造及びそのための信号処理過程を例示する。特に、図２４乃至図２７は、ＤＦＴ−ベースのＰＵＣＣＨフォーマットの構造を例示する。ＤＦＴ−ベースのＰＵＣＣＨ構造によれば、ＰＵＣＣＨは、ＤＦＴプリコーディングが行われ、ＳＣ−ＦＤＭＡレベルで時間ドメインＯＣ（Ｏｒｔｈｏｇｏｎａｌ  Ｃｏｖｅｒ）が適用されて伝送される。以下では、ＤＦＴ−ベースのＰＵＣＣＨフォーマットをＰＵＣＣＨフォーマット３と総称する。
【０１０８】
図２４は、ＳＦ＝４の直交コード（Ｏｒｔｈｏｇｏｎａｌ  Ｃｏｄｅ、ＯＣ）を用いたＰＵＣＣＨフォーマット３の構造を例示する。図２４を参照すると、チャネルコーディングブロック（ｃｈａｎｎｅｌ  ｃｏｄｉｎｇ  ｂｌｏｃｋ）は、情報ビットａ＿０，ａ＿１，…，ａ＿Ｍ−１（例、多重ＡＣＫ／ＮＡＣＫビット）をチャネルコーディングしてコーディングビット（ｅｎｃｏｄｅｄ  ｂｉｔ、ｃｏｄｅｄ  ｂｉｔ  ｏｒ  ｃｏｄｉｎｇ  ｂｉｔ）（又はコードワード）ｂ＿０，ｂ＿１，…，ｂ＿Ｎ−１を生成する。Ｍは、情報ビットのサイズを表し、Ｎは、コーディングビットのサイズを表す。情報ビットは、上りリンク制御情報（ＵＣＩ）、例えば、複数のＤＬ  ＣＣを通じて受信した複数のデータ（又は、ＰＤＳＣＨ）に対する多重ＡＣＫ／ＮＡＣＫを含む。ここで、情報ビットａ＿０，ａ＿１，…，ａ＿Ｍ−１は、情報ビットを構成するＵＣＩの種類／個数／サイズにかかわらずにジョイントコーディングされる。例えば、情報ビットが複数のＤＬ  ＣＣに対する多重ＡＣＫ／ＮＡＣＫを含む場合に、チャネルコーディングはＤＬ  ＣＣ別、個別ＡＣＫ／ＮＡＣＫビット別に行われず、全体ビット情報を対象に行われ、これにより単一コードワードが生成される。チャネルコーディングは、これに制限されるわけではないが、単純反復（ｒｅｐｅｔｉｔｉｏｎ）、単純コーディング（ｓｉｍｐｌｅｘ  ｃｏｄｉｎｇ）、ＲＭ（Ｒｅｅｄ  Ｍｕｌｌｅｒ）コーディング、パンクチャリングされたＲＭコーディング、ＴＢＣＣ（Ｔａｉｌ−ｂｉｔｉｎｇ  ｃｏｎｖｏｌｕｔｉｏｎａｌ  ｃｏｄｉｎｇ）、ＬＤＰＣ（ｌｏｗ−ｄｅｎｓｉｔｙ  ｐａｒｉｔｙ−ｃｈｅｃｋ）あるいはターボ−コーディングを含む。図示してはいないが、コーディングビットについて、変調次数とリソース量を考慮してレート−マッチング（ｒａｔｅ−ｍａｔｃｈｉｎｇ）が行われてもよい。レートマッチング機能は、チャネルコーディングブロックの一部として含まれてもよく、別途の機能ブロックを用いて行われてもよい。例えば、チャネルコーディングブロックは複数の制御情報に対して（３２，０）ＲＭコーディングを行って単一コードワードを得、これに対して循環バッファーレート−マッチングを行うことができる。
【０１０９】
変調器（ｍｏｄｕｌａｔｏｒ）は、コーディングビットｂ＿０，ｂ＿１，…，ｂ＿Ｎ−１を変調して、変調シンボルｃ＿０，ｃ＿１，…，ｃ＿Ｌ−１を生成する。Ｌは、変調シンボルのサイズを表す。変調は、伝送信号のサイズと位相を変形することによってなされる。変調方法は、例えば、ｎ−ＰＳＫ（Ｐｈａｓｅ  Ｓｈｉｆｔ  Ｋｅｙｉｎｇ）、ｎ−ＱＡＭ（Ｑｕａｄｒａｔｕｒｅ  Ａｍｐｌｉｔｕｄｅ  Ｍｏｄｕｌａｔｉｏｎ）を含む（ｎは、２以上の整数）。具体的に、変調方法には、ＢＰＳＫ（Ｂｉｎａｒｙ  ＰＳＫ）、ＱＰＳＫ（Ｑｕａｄｒａｔｕｒｅ  ＰＳＫ）、８−ＰＳＫ、ＱＡＭ、１６−ＱＡＭ、６４−ＱＡＭなどを用いることができる。
【０１１０】
分周器（ｄｉｖｉｄｅｒ）は、変調シンボルｃ＿０，ｃ＿１，…，ｃ＿Ｌ−１を各スロットに分周する。変調シンボルを各スロットに分周する順序／パターン／方式は特に制限されない。例えば、分周器は、変調シンボルを前から順にそれぞれのスロットに分周することができる（ローカル型方式）。この場合、図示のように、変調シンボルｃ＿０，ｃ＿１，…，ｃ＿Ｌ／２−１はスロット０に分周し、変調シンボルｃ＿Ｌ／２，ｃ＿Ｌ／２＋１，…，ｃ＿Ｌ−１は、スロット１に分周できる。また、変調シンボルはそれぞれのスロットへの分周時にインタリービング（又はパーミュテーション）されてもよい。例えば、偶数変調シンボルは、スロット０に分周し、奇数変調シンボルはスロット１に分周することができる。変調過程と分周過程は互いに順序が換わってもよい。
【０１１１】
ＤＦＴプリコーダ（ｐｒｅｃｏｄｅｒ）は、単一搬送波波形（ｓｉｎｇｌｅ  ｃａｒｒｉｅｒ  ｗａｖｅｆｏｒｍ）を生成するために、それぞれのスロットに分周された変調シンボルに対してＤＦＴプリコーディング（例、１２−ポイントＤＦＴ）を行う。同図で、スロット０に分周された変調シンボルｃ＿０，ｃ＿１，…，ｃ＿Ｌ／２−１は、ＤＦＴシンボルｄ＿０，ｄ＿１，…，ｄ＿Ｌ／２−１としてＤＦＴプリコーディングされ、スロット１に分周された変調シンボルｃ＿Ｌ／２，ｃ＿Ｌ／２＋１，…，ｃ＿Ｌ−１は、ＤＦＴシンボルｄ＿Ｌ／２，ｄ＿Ｌ／２＋１，…，ｄ＿Ｌ−１としてＤＦＴプリコーディングされる。ＤＦＴプリコーディングは、相応する他の線形演算（ｌｉｎｅａｒ  ｏｐｅｒａｔｉｏｎ）（例、ｗａｌｓｈ  ｐｒｅｃｏｄｉｎｇ）に代替されてもよい。
【０１１２】
拡散ブロック（ｓｐｒｅａｄｉｎｇ  ｂｌｏｃｋ）は、ＤＦＴされた信号を、ＳＣ−ＦＤＭＡシンボルレベルで（時間ドメイン）拡散する。ＳＣ−ＦＤＭＡシンボルレベルの時間ドメイン拡散は、拡散コード（シーケンス）を用いて行われる。拡散コードは、準直交コードと直交コードを含む。準直交コードは、これに制限されるわけではないが、ＰＮ（Ｐｓｅｕｄｏ  Ｎｏｉｓｅ）コードを含む。直交コードは、これに制限されるわけではないが、ウォルシュコード、ＤＦＴコードを含む。本明細書は、説明の容易性のために、拡散コードの代表例として直交コードを挙げて説明するが、これは例示であり、直交コードは準直交コードに代替されてもよい。拡散コードサイズ（又は、拡散因子（Ｓｐｒｅａｄｉｎｇ  Ｆａｃｔｏｒ：ＳＦ））の最大値は、制御情報伝送に用いられるＳＣ−ＦＤＭＡシンボルの個数によって制限される。一例として、１スロットで４個のＳＣ−ＦＤＭＡシンボルが制御情報伝送に用いられる場合に、スロット別に長さ４の（準）直交コードｗ０，ｗ１，ｗ２，ｗ３を用いることができる。ＳＦは、制御情報の拡散度を意味し、ユーザー機器の多重化次数（ｍｕｌｔｉｐｌｅｘｉｎｉｇ  ｏｒｄｅｒ）又はアンテナ多重化次数と関連を持つことができる。ＳＦは、１、２、３、４、…のように、システムの要求条件によって可変されてもよく、基地局と端末間にあらかじめ定義されたり、ＤＣＩあるいはＲＲＣシグナリングを通じて端末に知らせられてもよい。例えば、ＳＲＳを伝送するために、制御情報用ＳＣ−ＦＤＭＡシンボルのうちの一つをパンクチャリングする場合に、当該スロットの制御情報にはＳＦの縮小した（例、ＳＦ＝４の代わりにＳＦ＝３）拡散コードを適用することができる。
【０１１３】
上の過程を経て生成された信号は、ＰＲＢ内の副搬送波にマッピングされた後に、ＩＦＦＴを経て時間ドメイン信号に変換される。時間ドメイン信号にはＣＰが付加され、生成されたＳＣ−ＦＤＭＡシンボルはＲＦ端を通じて伝送される。
【０１１４】
５個のＤＬ  ＣＣに対するＡＣＫ／ＮＡＣＫを伝送する場合を挙げて、各過程をより具体的に説明する。それぞれのＤＬ  ＣＣが２個のＰＤＳＣＨを伝送できる場合に、これに対するＡＣＫ／ＮＡＣＫビットは、ＤＴＸ状態を含む場合に１２ビットでよい。ＱＰＳＫ変調とＳＦ＝４時間拡散を想定する場合に、（レートマッチング後の）コーディングブロックサイズは４８ビットでよい。コーディングビットは２４個のＱＰＳＫシンボルに変調され、生成されたＱＰＳＫシンボルは１２個ずつ各スロットに分周される。各スロットで１２個のＱＰＳＫシンボルは１２−ポイントＤＦＴ演算を通じて１２個のＤＦＴシンボルに変換される。各スロットにおいて１２個のＤＦＴシンボルは時間ドメインでＳＦ＝４拡散コードを用いて４個のＳＣ−ＦＤＭＡシンボルに拡散されてマッピングされる。１２個のビットが［２ビット＊１２個の副搬送波＊８個のＳＣ−ＦＤＭＡシンボル］を通じて伝送されるので、コーディングレートは０．０６２５（＝１２／１９２）である。また、ＳＦ＝４の場合に、１  ＰＲＢ当たり最大４個のユーザー機器を多重化することができる。
【０１１５】
図２５は、ＳＦ＝５の直交コード（Ｏｒｔｈｏｇｏｎａｌ  Ｃｏｄｅ、ＯＣ）を用いたＰＵＣＣＨフォーマット３の構造を例示する。
【０１１６】
基本的な信号処理過程は、図２５を参照して説明した通りである。ただし、ＵＣＩ  ＳＣ−ＦＤＭＡシンボルとＲＳ  ＳＣ−ＦＤＭＡシンボルの個数／位置が、図２４のそれと異なる。このとき、拡散ブロック（ｓｐｒｅａｄｉｎｇ  ｂｌｏｃｋ）がＤＦＴプリコーダの前段であらかじめ適用されてもよい。
【０１１７】
図２５で、ＲＳはＬＴＥシステムの構造を継承することができる。例えば、基本シーケンスにサイクリックシフトを適用することができる。データ部分は、ＳＦ＝５により、多重化容量（ｍｕｌｔｉｐｌｅｘｉｎｇ  ｃａｐａｃｉｔｙ）が５となる。しかし、ＲＳ部分は、サイクリックシフト間隔である△ｓｈｉｆｔＰＵＣＣＨによって多重化容量が決定される。例えば、多重化容量は１２／△ｓｈｉｆｔＰＵＣＣＨで与えられる。この場合、△ｓｈｉｆｔＰＵＣＣＨ＝１、△ｓｈｉｆｔＰＵＣＣＨ＝２、△ｓｈｉｆｔＰＵＣＣＨ＝３の場合における多重化容量はそれぞれ１２、６、４となる。図２５で、データ部分の多重化容量はＳＦ＝５によって５となる反面に、ＲＳの多重化容量は、△ｓｈｉｆｔＰＵＣＣＨの場合に４となり、全体多重化容量は、両者のうち、小さい値である４に制約されうる。
【０１１８】
図２６は、スロットレベルで多重化容量が増加し得るＰＵＣＣＨフォーマット３の構造を例示する。
【０１１９】
図２４及び図２５で説明したＳＣ−ＦＤＭＡシンボルレベル拡散をＲＳに適用して全体多重化容量を増加させることができる。図２６を参照すると、スロット内でウォルシュカバー（あるいはＤＦＴコードカバー）を適用すると、多重化容量が２倍に増加する。これにより、△ｓｈｉｆｔＰＵＣＣＨの場合にも多重化容量が８になり、データ区間の多重化容量が低下しなくなる。図２６で、［ｙ１  ｙ２］＝［１  １］あるいは［ｙ１  ｙ２］＝［１  −１］や、その線形変換形態（例えば、［ｊ  ｊ］［ｊ  −ｊ］、［１  ｊ］［１  −ｊ］など）もＲＳのための直交カバーコードとして用いることができる。
【０１２０】
図２７は、サブフレームレベルで多重化容量が増加し得るＰＵＣＣＨフォーマット３の構造を例示する。
【０１２１】
スロット−レベルで周波数ホッピングを適用しないと、スロット単位にウォルシュカバーを適用することによって、多重化容量を再び２倍に増加させることができる。ここで、上述した通り、直交カバーコードには［ｘ１  ｘ２］＝［１  １］又は［１  −１］を用いることができ、その変形形態を用いることもできる。
【０１２２】
参考として、ＰＵＣＣＨフォーマット３の処理過程は、図２４乃至図２７に示した順序に拘わらない。
【０１２３】
搬送波アグリゲーションにおける多重搬送波は、ＰＣｅｌｌとＳＣｅｌｌとに区別されてもよい。ＵＥは、ＰＣｅｌｌ及び／又はＳＣｅｌｌの下りリンクから受信された一つ以上のＰＤＣＣＨ或いはＰＤＣＣＨのないＰＤＳＣＨに対する応答を束ねて、ＰＣｅｌｌの上りリンクを用いてＰＵＣＣＨ上で伝送する。このように、該当の応答が一つの上りリンクＰＵＣＣＨを通じて伝送される、複数のＰＵＣＣＨを含むサブフレーム及び／又はＣＣをバンドリングウィンドウと称する。本発明の説明においていう時間ドメイン或いはＣＣドメインバンドリングは、論理ＡＮＤ演算を意味するが、定義によっては論理ＯＲ演算などの他の方法を用いてもよい。すなわち、以下でいう時間ドメイン或いはＣＣドメインバンドリングとは、単一ＰＵＣＣＨフォーマットを用いたＡＣＫ／ＮＡＣＫ応答において複数のサブフレーム或いは複数のＣＣに渡る複数のＡＣＫ／ＮＡＣＫを少ないビット数で表現するための方法を総称する。すなわち、Ｘ−ビットのＡＣＫ／ＮＡＣＫ情報を、Ｘ≧ＹのＹ−ビットで表現するための任意の方法を総称する。
【０１２４】
ＣＡ  ＴＤＤにおいて各ＣＣに対する多重ＡＣＫ／ＮＡＣＫ応答は、ＰＵＣＣＨフォーマット１ａ／１ｂを使用するチャネル選択、ＰＵＣＣＨフォーマット３、ＰＵＣＣＨフォーマット３を使用するチャネル選択などにより伝送されればよい。これらのＰＵＣＣＨフォーマットに対するＰＵＣＣＨリソースインデックスは、暗黙的（ｉｍｐｌｉｃｉｔ）マッピングが用いられてもよく、明示的（ｅｘｐｌｉｃｉｔ）マッピングが用いられてもよく、暗黙的マッピングと明示的マッピングとが複合的に用いられてもよい。暗黙的マッピングには、例えば、該当のＰＤＣＣＨの最低ＣＣＥインデックスに基づいてＰＵＣＣＨリソースインデックスを誘導する方法がある。明示的マッピングには、例えば、該当のＰＤＣＣＨ内のＡＲＩ（ＡＣＫ／ＮＡＣＫ  Ｒｅｓｏｕｒｃｅ  Ｉｎｄｉｃａｔｏｒ）値によって該当のＰＵＣＣＨリソースインデックスを、ＲＲＣ構成などによりあらかじめ定められたセット中で指示したり誘導する方法がある。
ＤＬに対するＡＣＫ／ＮＡＣＫフィードバックがサブフレームｎで必要な場合は、下記の３通りに区別することができる。
【０１２５】
●ケース１：サブフレームｎ−ｋで検出されたＰＤＣＣＨにより指示されるＰＤＳＣＨに対してＡＣＫ／ＮＡＣＫフィードバックが必要である。ここで、ｋ∈Ｋであり、Ｋは、サブフレームインデックス（ｎ）及びＵＬ−ＤＬ構成によって変わり、且つＭ個の元素（ｅｌｅｍｅｎｔ）からなる（｛ｋ０，ｋ１，…ｋＭ−１｝）。表３に、Ｋ：｛ｋ０，ｋ１，…ｋＭ−１｝を例示する。ケース１は、一般的なＡＣＫ／ＮＡＣＫフィードバックが必要なＰＤＳＣＨに関する。以下の説明では、ケース１を「ＰＤＳＣＨ  ｗｉｔｈ  ＰＤＣＣＨに対するＡＣＫ／ＮＡＣＫ」と称する。
【０１２６】
●ケース２：サブフレームｎ−ｋ内の下りリンクＳＰＳ（Ｓｅｍｉ−Ｐｅｒｓｉｓｔｅｎｔ  Ｓｃｈｅｄｕｌｉｎｇ）解除（ｒｅｌｅａｓｅ）を指示するＰＤＣＣＨに対するＡＣＫ／ＮＡＣＫフィードバックが必要である。ここで、ｋ∈Ｋであり、Ｋは、ケース１で説明した通りである。ケース２のＡＣＫ／ＮＡＣＫは、ＳＰＳ解除のためのＰＤＣＣＨに対するＡＣＫ／ＮＡＣＫフィードバックを意味する。一方、ＤＬ  ＳＰＳ解除に対するＡＣＫ／ＮＡＣＫフィードバックは行われるが、ＳＰＳ活性化（ａｃｔｉｖａｔｉｏｎ）を指示するＰＤＣＣＨに対するＡＣＫ／ＮＡＣＫフィードバックは行われない。以下の説明では、ケース２を「ＤＬ  ＳＰＳ解除に対するＡＣＫ／ＮＡＣＫ」と称する。
【０１２７】
●ケース３：サブフレームｎ−ｋで検出された対応ＰＤＣＣＨのないＰＤＳＣＨ伝送に対するＡＣＫ／ＮＡＣＫフィードバックが必要である。ここで、ｋ∈Ｋであり、Ｋはケース１で説明した通りである。ケース３は、ＰＤＣＣＨのないＰＤＳＣＨに関するもので、ＳＰＳ  ＰＤＳＣＨに対するＡＣＫ／ＮＡＣＫフィードバックを意味する。以下の説明では、ケース３を「ＤＬ  ＳＰＳに対するＡＣＫ／ＮＡＣＫ」と称する。
【０１２８】
以下では、上記のようなＡＣＫ／ＮＡＣＫフィードバックを必要とする、対応するＰＤＣＣＨを有するＰＤＳＣＨ、ＤＬ  ＳＰＳ解除のためのＰＤＳＣＨ、対応するＰＤＣＣＨのないＰＤＳＣＨを、ＤＬ割当或いはＤＬ伝送と総称する。
【０１２９】
【表３】
0005985498.tif 000007
ＦＤＤの場合、Ｍは常に１であり、Ｋは常に｛ｋ０｝＝｛４｝である。
【０１３０】
図２８は、ＴＤＤ  ＵＬ−ＤＬ構成を例示する。特に、図２８は、４個のＤＬ伝送に対して１個のＵＬ  ＡＣＫ／ＮＡＣＫフィードバックを行う４ＤＬ：１ＵＬ構成を説明するための図である。
【０１３１】
ＴＤＤ  ＵＬ−ＤＬ構成２の場合に、図２８（ａ）を参照すると、サブフレームｎ−８、ｎ−７、ｎ−４、ｎ−６でのＤＬ伝送に対するＡＣＫ／ＮＡＣＫ（／ＤＴＸ）応答が、サブフレームナンバーが２であるサブフレームｎで、一つのＡＣＫ／ＮＡＣＫフィードバックとしてＢＳに伝送されている。
【０１３２】
ＴＤＤ  ＵＬ−ＤＬ構成４の場合に、図２８（ｂ）を参照すると、サブフレームｎ−６、ｎ−６、ｎ−４、ｎ−７でのＤＬ伝送に対するＡＣＫ／ＮＡＣＫ（／ＤＴＸ）応答が、サブフレームナンバーが３であるサブフレームｎで、一つのＡＣＫ／ＮＡＣＫフィードバックとしてＢＳに伝送されている。
【０１３３】
以下では、説明の便宜のために、下記の仮定を前提として本発明の実施例を説明する。しかし、本発明の実施例が下記の仮定下でのみ実施されるものではない。
【０１３４】
（１）一つのＰＣｅｌｌと一つ以上のＳＣｅｌｌが存在可能である。
【０１３５】
（２）該当のＰＤＣＣＨを有するＰＤＳＣＨ（ＰＤＳＣＨ  ｗｉｔｈ  ｃｏｒｒｅｓｐｏｎｄｉｎｇ  ＰＤＣＣＨ）はＰＣｅｌｌ及びＳＣｅｌｌに存在できる。
【０１３６】
（３）ＤＬ  ＳＰＳ解除を指示するＰＤＣＣＨはＰＣｅｌｌにのみ存在できる。
【０１３７】
（４）該当のＰＤＣＣＨのないＰＤＳＣＨ（＝ＳＰＳ  ＰＤＳＣＨ）はＰＣｅｌｌにのみ存在できる。
【０１３８】
（５）ＰＣｅｌｌからＳＣｅｌｌへのクロス−スケジューリングは支援され得る。
【０１３９】
（６）ＳＣｅｌｌからＰＣｅｌｌへのクロス−スケジューリングは支援されない。
【０１４０】
（７）ＳＣｅｌｌから他のＳＣｅｌｌへのクロス−スケジューリングは支援され得る。
【０１４１】
本発明は、ＣＡ  ＴＤＤ環境においてＰＤＣＣＨのないＳＰＳ（以下、ＳＰＳ  ＰＤＳＣＨ）及び一つ以上のＰＤＣＣＨに対するＡＣＫ／ＮＡＣＫが同時に必要な場合に、これらＡＣＫ／ＮＡＣＫを伝送する実施例を提供する。
【０１４２】
一方、多重搬送波システムにおいて、ＵＥにＤＴＸ状態が発生することがある。例えば、Ｎ個のコンポーネント搬送波が構成され、ＢＳがＮよりも小さいＮ’個のコンポーネント搬送波上にのみデータをスケジューリングすると、Ｎ−Ｎ’個のコンポーネント搬送波はＤＴＸ状態になる。他の例として、ＵＥが、特定コンポーネント搬送波がＤＬ用として割り当てられたが、この特定コンポーネント搬送波の検出に失敗した場合に、該特定コンポーネント搬送波はＤＴＸ状態となる。ＵＥのＤＴＸ状態をＢＳが認知することは、ＩＲ（Ｉｎｃｒｅｍｅｎｔａｌ  Ｒｅｄｕｎｄａｎｃｙ）ベースのＨＡＲＱにおいてパフォーマンスに影響を及ぼすことができる。例えば、ＤＴＸが発生すると、ＵＥはＰＤＣＣＨが伝送されたという事実自体を認知できず、ＰＤＳＣＨのデコーディングされたソフトビット結果値をソフトバッファーに保存することができない。そのため、ＤＴＸが発生すると、ＢＳは、ＨＡＲＱ再伝送時にＲＶ（Ｒｅｄｕｎｄａｎｃｙ  Ｖｅｒｓｉｏｎ）を変化させなかったり、システムビット（ｓｙｓｔｅｍａｔｉｃ  ｂｉｔ）を可能な限り多く含めて伝送をしなければならない。しかし、ＢＳがユーザー機器のＤＴＸ状態を知らず、他のＲＶの値をもって再伝送を行うと、再伝送時にＲＶが変化することからシステムビットが損失され、システム処理量（ｔｈｒｏｕｇｈｐｕｔ）に悪影響を及ぼすことがある。このような理由から、ＡＣＫ／ＮＡＣＫ伝送においてＤＴＸ状態が区別されることが好ましい。
【０１４３】
本発明の実施例は、ＡＣＫ／ＮＡＣＫ伝送においてＤＴＸ状態を区別する方法を下記の２通りに区別することができる。
【０１４４】
方法１）ＤＴＸ状態を別に定義して該当の情報を伝送
本発明の方法１は、ＵＤＡＩ（≧１）個のＰＤＣＣＨ伝送に対するＡＣＫ／ＮＡＣＫ及びＮＳＰＳ（≧０）個のＳＰＳ  ＰＤＳＣＨ伝送に対するＡＣＫ／ＮＡＣＫが同時に必要であり、バンドリングウィンドウ内で一つ以上のＤＴＸ状態が発生する場合に、この場合に対するＡＣＫ／ＮＡＣＫ応答を、（バンドルされた）ＮＡＣＫと区別される他の応答として伝送する。また、本発明の方法１は、ＵＤＡＩ（≧１）個のＰＤＣＣＨ伝送に対するＡＣＫ／ＮＡＣＫ及びＰＤＣＣＨのないＮＳＰＳ（≧０）個のＳＰＳ  ＰＤＳＣＨ伝送に対するＡＣＫ／ＮＡＣＫが同時に必要であり、ＡＣＫ／ＮＡＣＫフィードバックが要求される時間上で最も早い、或いはＡＣＫ／ＮＡＣＫフィードバックが要求されるサブフレームインデックス上における最先頭のサブフレームでＤＴＸが発生する場合に、この場合に対するＡＣＫ／ＮＡＣＫ応答を、（バンドルされた）ＮＡＣＫと区別される他の応答として伝送することを提案する。ここで、ＵＤＡＩは、サブフレームｎ−ｋ（ｋ∈Ｋ）でＵＥにより検出された割当ＰＤＳＣＨを有するＰＤＣＣＨ、及びＤＬ  ＳＰＳ解除を表すＰＤＣＣＨの総個数を表し、ＮＳＰＳは、サブフレームｎ−ｋ（ｋ∈Ｋ）で該当のＰＤＣＣＨのないＰＤＳＣＨ伝送の個数を表す。ここで、ＤＴＸ状態が発生したということは、ＵＥが、基地局から割り当てられたＰＤＣＣＨのうち一つ以上のＰＤＣＣＨの検出に失敗したことを意味する。この場合、ＵＥは、ＤＴＸ状態を、ＰＤＣＣＨで伝送されるＤＡＩを用いて判断することができる。下記の表は、ＤＡＩの値を例示するものである。
【０１４５】
【表４】
0005985498.tif 000008
表４で、特定サブフレームで検出されたＶＤＡＩＵＬ値は、サブフレームｎ−ｋ（ｋ∈Ｋ）のうち、該特定サブフレームまでにおける、割当ＰＤＳＣＨ伝送を有するＰＤＣＣＨ及びＤＬ  ＳＰＳ解除を表すＰＤＣＣＨの累積（ａｃｃｕｍｕｌａｔｉｖｅ）個数を意味し、サブフレームごとにアップデートされる。該当のＵＥのためのＰＤＳＣＨ伝送もなく、ＤＬ  ＳＰＳ解除を表すＰＤＣＣＨもない場合に、該当のＵＥに対するＶＤＡＩＵＬは４に設定される。
【０１４６】
例えば、ＵＥがＤＡＩ＝０１を有する１個のＰＤＣＣＨを受信した場合、ＤＡＩはサブフレームごとにアップデートされるから、該ＵＥは、ＤＡＩ＝００を有するＰＤＣＣＨを紛失（ｍｉｓｓ）したことがわかる。
【０１４７】
方法２）ＤＴＸ状態の場合に該当の情報を伝送しない
本発明の方法２は、一つ以上のＰＤＣＣＨ及びＰＤＣＣＨのないＳＰＳに対するＡＣＫ／ＮＡＣＫが同時に必要であり、バンドリングウィンドウ内で一つ以上のＤＴＸ状態が発生する場合に、（バンドルされた）ＮＡＣＫと区別するべく、この場合に対するＡＣＫ／ＮＡＣＫ応答を伝送しない。また、本発明の方法２は、一つ以上のＰＤＣＣＨ及びＰＤＣＣＨのないＳＰＳに対するＡＣＫ／ＮＡＣＫが同時に必要であり、ＡＣＫ／ＮＡＣＫフィードバックが必要な時間上或いはサブフレームインデックス上における最先頭のサブフレームでＤＴＸ状態が発生する場合に、（バンドルされた）ＮＡＣＫと区別するべく、この場合に対するＡＣＫ／ＮＡＣＫ応答を伝送しない。
【０１４８】
前述の方法１及び方法２は、ＦＤＤにおいても、バンドリングＡＣＫ／ＮＡＣＫが行われる時に用いられてもよいが、説明の便宜のために、ＴＤＤにおいてバンドリングＡＣＫ／ＮＡＣＫが行われる場合を挙げて本発明の実施例を説明する。また、ＡＣＫ／ＮＡＣＫバンドリングは、ＰＵＣＣＨフォーマット３で用いられてもよいが、説明の便宜のために、チャネル選択（ｃｈａｎｎｅｌ  ｓｅｌｅｃｔｉｏｎ）を用いる場合を例にして本発明の実施例を説明する。また、一つのＡＣＫ／ＮＡＣＫフィードバックのための４ＤＬ：１ＵＬであるＴＤＤ構成において、時間ドメインバンドリングに適用される場合を例にして本発明の実施例を説明する。ここで、各ＣＣ当たりＤＡＩは、互いに独立的にＣＣ当たり累積ＰＤＣＣＨの個数を表す。説明の便宜のために、ＣＣ別ＡＣＫ／ＮＡＣＫ情報が２ビットで伝送されると仮定する。また、一つのＵＥのためのＰＤＣＣＨ及びＳＰＳ  ＰＤＳＣＨは、一つのＤＬサブフレームにおいてＣＣ当たり一つのみ伝送されると仮定する。一つのサブフレームで多重コードワードがＵＥのために伝送される場合に、該当のサブフレームに対するＡＣＫ／ＮＡＣＫ応答、すなわち、ＰＤＣＣＨ当たり或いはＳＰＳ  ＰＤＳＣＨ当たりＡＣＫ／ＮＡＣＫ応答は、コードワード間バンドリングである空間（ｓｐａｔｉａｌ）バンドリングを用いて１ビットで生成されると仮定する。空間バンドリングは、複数のコードワードのそれぞれに対するＡＣＫ／ＮＡＣＫ応答の既に定義された論理演算（例えば、論理ＡＮＤ演算）により行われることが可能である。以下では、一つのＡＣＫ／ＮＡＣＫ応答は、一つのＰＤＳＣＨ或いは一つのＰＤＳＣＨに対するＡＣＫ／ＮＡＣＫ情報を意味し、多重コードワード伝送が適用された場合、一つのＡＣＫ／ＮＡＣＫ応答は空間バンドリングにより生成されたＡＣＫ／ＮＡＣＫを意味する。一つのＣＣ上に複数のＤＬサブフレームが構成された場合に、これら複数のＤＬサブフレームのそれぞれに一対一で対応する複数のＡＣＫ／ＮＡＣＫ応答が生成され、これら複数のＡＣＫ／ＮＡＣＫ応答は時間ドメインでバンドリングされることで当該ＣＣに対する一つのＡＣＫ／ＮＡＣＫ情報で表現されてもよい。ＣＣに対するＤＴＸ状態まで考慮されると、各ＤＬ伝送に対してＡＣＫ／ＮＡＣＫ／ＤＴＸ応答が検出されるはずであるが、以下では、説明の便宜のために、ＡＣＫ／ＮＡＣＫ応答の他、ＡＣＫ／ＮＡＣＫ／ＤＴＸ応答もＡＣＫ／ＮＡＣＫ応答と称し、且つＡＣＫ／ＮＡＣＫ情報の他、ＡＣＫ／ＮＡＣＫ／ＤＴＸ情報もＡＣＫ／ＮＡＣＫ情報と称する。
【０１４９】
図２９は、チャネル選択によるＡＣＫ／ＮＡＣＫ伝送を例示する。
【０１５０】
図２９を参照すると、例えば、２ビットＡＣＫ／ＮＡＣＫのためのＰＵＣＣＨフォーマット１ｂに対して、２個のＰＵＣＣＨリソース（ＰＵＣＣＨリソース＃０及び＃１）が設定されている。もし、３ビットのＡＣＫ／ＮＡＣＫ情報を伝送する場合、３ビットのＡＣＫ／ＮＡＣＫ情報のうち２ビットは、ＰＵＣＣＨフォーマット１ｂを通じて表現でき、残り１ビットは２個のＰＵＣＣＨリソースのいずれのリソースを選択するかによって表現できる。例えば、ＰＵＣＣＨリソース＃０を用いてＵＣＩが伝送される場合には「０」を意味し、ＰＵＣＣＨリソース＃１を用いてＵＣＩが伝送される場合には「１」を意味するとあらかじめ定義することができる。これにより、２個のＰＵＣＣＨリソースのうち一つを選択することによって１ビット（０又は１）を表現することができるので、ＰＵＣＣＨフォーマット１ｂを通じて表現される２ビットのＡＣＫ／ＮＡＣＫ情報と共に、追加的な１ビットのＡＣＫ／ＮＡＣＫ情報を表現することが可能になる。言い換えると、一つのＰＵＣＣＨリソースが明示的に運ぶｎビットは、そもそも、最大２ｎ個のＡＣＫ／ＮＡＣＫ状態を表現することができる。これに対し、チャネル選択に使われるｍ個（ｍ＞１）のＰＵＣＣＨリソースのうちｘ個（ｍ≧ｌ≧ｘ）のＰＵＣＣＨリソースがＡＣＫ／ＮＡＣＫ情報伝送に選択される場合、表現可能なＡＣＫ／ＮＡＣＫ状態の個数が最大（２ｎ）＊（ｍＣｘ）個と増加する。例えば、図２９を参照すると、最大（２１）＊（２Ｃ１）＝４個のＡＣＫ／ＮＡＣＫ状態を、２ビットのＰＵＣＣＨフォーマット１ｂを用いたチャネル選択をＡＣＫ／ＮＡＣＫ伝送に適用することによって表現することができる。
【０１５１】
チャネル選択は、ＣＣの個数によらずに適用されてもよいが、説明の便宜のために、２個のＣＣに対するＡＣＫ／ＮＡＣＫ情報がＰＵＣＣＨフォーマット１ｂを用いたチャネル選択により伝送される場合を例にして、本発明の実施例を説明する。
【０１５２】
図３０乃至図３７は、ＤＴＸ状態まで表現するＡＣＫ／ＮＡＣＫ情報を伝送するための本発明の実施例を説明するための図である。図３０乃至図３７では、便宜上、対応するＰＤＣＣＨのないＳＰＳ  ＰＤＳＣＨは図示しなかったが、本発明の実施例は、対応するＰＤＣＣＨのないＳＰＳ  ＰＤＳＣＨを含め、ＡＣＫ／ＮＡＣＫフィードバックが必要ないずれのＤＬ伝送にも適用可能である。図３０乃至図３７では、ＣＣ０上でＵＥがＤＡＩ＝００のＰＤＣＣＨをＡＣＫ状態として受信し、ＤＡＩ＝０１の次のＰＤＣＣＨは紛失（ｍｉｓｓｉｎｇ）するとする。ＣＣ１上で、該ＵＥは、ＤＡＩ＝００のＰＤＣＣＨを紛失し、ＤＡＩ＝０１のＰＤＣＣＨはＡＣＫ状態として受信し、ＤＡＩ＝１０のＰＤＣＣＨはＮＡＣＫ状態として受信するとする。図３０乃至図３７は、２個のＤＬ  ＣＣのみを例示しているが、その他の個数のＤＬ  ＣＣに対しても本発明の実施例が同様の方式で適用されてもよい。
【０１５３】
図３０乃至図３７を参照すると、ＵＥは、ＰＤＣＣＨ内のＤＡＩを用いて紛失（ｍｉｓｓｉｎｇ）されたＰＤＣＣＨがあるか否かを検出することができる。ＵＥは、バンドルされたＡＣＫ／ＮＡＣＫ情報を、検出されたＰＤＣＣＨ及び／又は紛失されたＰＤＣＣＨに対するＡＣＫ／ＮＡＣＫとして生成することができる。例えば、ＵＥは、ＣＣ１上で受信したＰＤＣＣＨ及び／又はＳＰＳ  ＰＤＳＣＨに対して伝送すべきバンドルされたＮＡＣＫを生成することができる。ＵＥは、ＣＣ１上でＤＡＩ＝０１のＰＤＣＣＨを初めて受信するので、ＤＡＩ＝０１よりも小さい値を有するＰＤＣＣＨ、すなわち、ＤＡＩ＝００のＰＤＣＣＨを紛失したことがわかる。ただし、時間ドメインで最後のＰＤＣＣＨが紛失された場合、ＵＥは、該最後のＰＤＣＣＨが紛失されたことがわからなくなる。すなわち、所定のＣＣ上で最後のＰＤＣＣＨが紛失されると、ＵＥにとって当該ＣＣに対する正確なＡＣＫ／ＮＡＣＫ状態が把握できないという問題が発生する。このような問題を解決するために、本発明のＵＥは、該当のＣＣに対するＡＣＫ／ＮＡＣＫ状態を、マッピング実施例１乃至マッピング実施例１３のいずれか一つによって、２ビットのＡＣＫ／ＮＡＣＫ情報ビットｂ０ｂ１で表現し、ＰＵＣＣＨ上で伝送することができる。該ＡＣＫ／ＮＡＣＫ情報ビットは、ＰＵＣＣＨフォーマット１ａ／１ｂを用いてチャネル選択により伝送されてもよく、ＰＵＣＣＨフォーマット３により伝送されてもよく、ＰＵＣＣＨフォーマット３を用いてチャネル選択により伝送されてもよい。
【０１５４】
以下では、ＰＤＣＣＨを有するＰＤＳＣＨの紛失、ＳＰＳ解除のためのＰＤＣＣＨの紛失、又はＰＤＣＣＨのないＰＤＳＣＨ（ＳＰＳ  ＰＤＳＣＨ）の紛失、すなわち、ＤＬ伝送の紛失をＡＣＫ／ＮＡＣＫ情報の伝送により表現する方法を提示する本発明の実施例を説明する。参考として、以下のマッピング実施例において、各ＡＣＫ／ＮＡＣＫ状態の情報ビットへのマッピングは例示に過ぎない。ＡＣＫ／ＮＡＣＫ状態と情報ビットとのマッピング関係が異なっても、ＰＤＣＣＨ或いはＳＰＳ  ＰＤＳＣＨの紛失を処理する方法が同一であれば、同じマッピング実施例に属すると見なせばよい。
【０１５５】
［ＡＣＫ／ＮＡＣＫ  ｗｉｔｈ  ＤＡＩ］
マッピング実施例１乃至マッピング実施例３は、バンドルされたＡＣＫ／ＮＡＣＫがＡＣＫの場合に、該当のＣＣに対するＡＣＫ／ＮＡＣＫ情報が、純粋ＡＣＫ／ＮＡＣＫ情報の他に、最後に検出されたＰＤＣＣＨ内のＤＡＩ値をさらに表す形態で、各ＡＣＫ／ＮＡＣＫ状態を情報ビットにマッピングする。
【０１５６】
＜マッピング実施例１＞
表５は、マッピング実施例１に係る多重ＡＣＫ／ＮＡＣＫ応答と（ｂ０，ｂ１）間のマッピングを例示する。
【０１５７】
【表５】
0005985498.tif 000009
マッピング実施例１は、所定ＣＣに対するバンドルされたＡＣＫ／ＮＡＣＫがＡＣＫである場合、ＡＣＫ状態として受信された最後のＤＡＩの値によって異なるＡＣＫ／ＮＡＣＫ情報を生成する。表５を参照すると、ＡＣＫである最後のＰＤＣＣＨのＤＡＩが００（＝０）又は１１（＝３）であれば、該当のＣＣに対する２ビットＡＣＫ／ＮＡＣＫは０１になり、ＡＣＫである最後のＰＤＣＣＨのＤＡＩが０１であれば、該当のＣＣに対する２ビットＡＣＫ／ＮＡＣＫは１０になり、ＡＣＫである最後のＰＤＣＣＨのＤＡＩが１０であれば、該当のＣＣに対する２ビットＡＣＫ／ＮＡＣＫは１１になる。マッピング実施例１によれば、ＵＥにより成功的に初めて受信されたＤＡＩがＡＣＫ／ＮＡＣＫ情報と共に伝送されるので、ＢＳは、当該ＵＥのために該当のＣＣにおいて最後のＡＣＫと表示されたＤＡＩを運ぶＰＤＣＣＨ以前に伝送したＰＤＣＣＨ及び／又はＳＰＳ  ＰＤＳＣＨが紛失されたことがわかる。また、該ＢＳは、少なくとも、最後のＡＣＫと表示されたＤＡＩを運ぶＰＤＣＣＨとそれ以前のＰＤＣＣＨが当該ＵＥに成功的に受信されたことがわかる。
【０１５８】
表５及び図３０を参照すると、ＣＣ０上でＤＡＩ＝００のＰＤＣＣＨが成功的に受信され、ＣＣ０に対するバンドルされたＡＣＫ／ＮＡＣＫはＡＣＫであるから、ＵＥは、ＣＣ０のために２ビットのＡＣＫ／ＮＡＣＫ情報０１を生成することができる。ＣＣ１に対するバンドルされたＡＣＫ／ＮＡＣＫがＮＡＣＫであるから、ＤＡＩ値によらず、ＵＥは、ＣＣ１のために２ビットのＡＣＫ／ＮＡＣＫ情報００を生成することができる。
【０１５９】
＜マッピング実施例２＞
表６は、マッピング実施例２に係る多重ＡＣＫ／ＮＡＣＫ応答と（ｂ０，ｂ１）間のマッピングを例示する。
【０１６０】
【表６】
0005985498.tif 000010
最後のＰＤＣＣＨ以外のＰＤＣＣＨが紛失された場合、ＵＥは、当該ＰＤＣＣＨが紛失されたことを検出できる。この場合、マッピング実施例１によれば、ＵＥは紛失されたＤＬ伝送があることを表す情報を、該当のＣＣに対するＡＣＫ／ＮＡＣＫ情報に含めてＢＳに伝送する。すなわち、マッピング実施例１によれば、該当のＣＣにＮＡＣＫと判断されたＰＤＣＣＨ及びＳＰＳ  ＰＤＳＣＨがないということに加えて、紛失されたＰＤＣＣＨの有無も表すことができる。マッピング実施例２は、マッピング実施例１と違い、紛失されたＰＤＣＣＨの存在に関する情報を、一般的なＡＣＫ／ＮＡＣＫと区別して伝送したり、何らの応答も伝送しないことによって表す。
【０１６１】
表６及び図３１を参照すると、ＵＥは、ＣＣ０上でＤＡＩ＝００のＰＤＣＣＨのみをＡＣＫと検出するが、ＤＡＩ＝０１のＰＤＣＣＨは紛失され、該当のＰＤＣＣＨが紛失されたことを検出できず、よって、該ＵＥはＣＣ０のために２ビットのＡＣＫ／ＮＡＣＫ情報０１を生成する。該ＵＥは、ＣＣ１上でＤＡＩ＝０１のＰＤＣＣＨを初めて検出することから、ＤＡＩ＝００のＰＤＣＣＨが紛失されたことを検出することができる。
【０１６２】
マッピング実施例２によれば、ＵＥでＰＤＣＣＨの紛失が検出された場合、該当のＣＣに対するＡＣＫ／ＮＡＣＫ応答は、ＤＴＸ状態を表す情報ビットの形態でＢＳに伝送される。ＤＴＸ状態は、他のＡＣＫ／ＮＡＣＫ状態を表す情報ビットと同じ情報ビットにマッピングされてもよい。マッピング実施例２によれば、ＵＥでＰＤＣＣＨの紛失が検出された場合、該当のＣＣに対するＡＣＫ／ＮＡＣＫ応答を当該ＢＳに伝送しない。この場合、ＣＣに対するＡＣＫ／ＮＡＣＫ情報の非伝送（ｎｏｔ  ｒａｎｓｍｉｓｓｉｏｎ）そのものが、当該ＣＣで紛失されたＰＤＣＣＨがあるということを表す。
【０１６３】
表６を参照すると、ＵＥは、少なくとも一つのＤＬ伝送が紛失されたか或いはＤＬ伝送が全く受信されなかったか（以下、ＤＴＸ状態）をチェックし、特定ＣＣに対するＡＣＫ／ＮＡＣＫ状態がそれに該当すれば、ＤＴＸ状態の定義によってＡＣＫ／ＮＡＣＫ伝送或いは非伝送（ｎｏ  ｔｒａｎｓｍｉｓｓｉｏｎ）を行い、それに該当しなければ、他のＡＣＫ／ＮＡＣＫ状態を選択する。
【０１６４】
＜マッピング実施例３＞
表７は、マッピング実施例３に係る多重ＡＣＫ／ＮＡＣＫ応答と（ｂ０，ｂ１）間のマッピングを例示する。
【０１６５】
【表７】
0005985498.tif 000011
マッピング実施例２は、一つ以上のＤＬ伝送が紛失された状態又は何らのＤＬ伝送も受信されていない状態を、該当のＣＣに対するＡＣＫ／ＮＡＣＫ情報を伝送しないか或いはＤＴＸを表す情報ビットにマッピングして伝送することによって表す。すなわち、マッピング実施例２は、該当のＣＣでＰＤＣＣＨ及びＳＰＳ  ＰＤＳＣＨの少なくとも一つ、すなわち、少なくとも一つのＤＬ伝送が紛失された場合を、他の場合と区別して表す。これと違い、マッピング実施例３は、各サブフレームに対するＡＣＫ／ＮＡＣＫ応答のうち、最初のＤＬ伝送（例えば、ＤＡＩ＝００のＰＤＣＣＨ）が紛失された場合又は何らのＤＬ伝送が受信されていない場合を、他の場合と区別して表す。
【０１６６】
表７及び図３１を参照すると、ＵＥは、ＣＣ０上でＤＡＩ＝００のＰＤＣＣＨを初めて検出し、それ以降はいかなるＤＬ伝送も受信できず、ＣＣ０に対して２ビットのＡＣＫ／ＮＡＣＫ情報０１を生成する。該ＵＥは、ＣＣ１上でＤＡＩ＝０１のＰＤＣＣＨを初めて検出することから、ＤＡＩ＝００のＰＤＣＣＨが紛失されたことが検出できる。マッピング実施例３に係るＵＥは、最初のＰＤＣＣＨが紛失されたＣＣ１に対するＡＣＫ／ＮＡＣＫ情報を、ＤＴＸ状態に対応する情報ビットとしてＢＳに伝送する。或いは、マッピング実施例３に係るＵＥは、最初のＰＤＣＣＨが紛失されたＣＣ１に対するＡＣＫ／ＮＡＣＫ情報を当該ＢＳに伝送しない。この場合、ＣＣ１に対するＡＣＫ／ＮＡＣＫ情報の非伝送そのものが、ＣＣ１の最初のＤＬ伝送が紛失されたということを表すこととなる。
【０１６７】
表７を参照すると、ＵＥは、最初のＤＬ伝送が紛失されたか或いはＤＬ伝送が全く受信されなかったか（以下、ＤＴＸ状態）をチェックし、特定ＣＣに対するＡＣＫ／ＮＡＣＫ状態がそれに該当すれば、ＤＴＸ状態の定義によってＡＣＫ／ＮＡＣＫ伝送或いは非伝送（ｎｏ  ｔｒａｎｓｍｉｓｓｉｏｎ）を行い、それに該当しなければ、他のＡＣＫ／ＮＡＣＫ状態を選択する。
【０１６８】
［ＡＣＫ／ＮＡＣＫ  ｗｉｔｈ  ＡＣＫ−ｃｏｕｎｔｅｒ］
マッピング実施例１乃至実施例３は、情報ビットが該当のＣＣの（バンドルされた）ＡＣＫ或いは（バンドルされた）ＮＡＣＫを表現するだけでなく、バンドルされたＡＣＫを構成するＡＣＫ応答のうち最後のＡＣＫ応答に対するＰＤＣＣＨのＤＡＩ値も表現する。これに比べて、マッピング実施例４乃至マッピング実施例６は、バンドルされたＡＣＫ／ＮＡＣＫがＡＣＫの場合に、該当のＣＣに対するＡＣＫ／ＮＡＣＫ情報が、純粋ＡＣＫ／ＮＡＣＫ情報の他に、ＡＣＫ−カウンタ（ＡＣＫ−ｃｏｕｎｔｅｒ）も表せるような形態で、各ＡＣＫ／ＮＡＣＫ状態を情報ビットにマッピングする。ここで、ＡＣＫ−カウンタは、ＡＣＫ応答の個数を意味する
【０１６９】
＜マッピング実施例４＞
表８は、マッピング実施例４に係る多重ＡＣＫ／ＮＡＣＫ応答と（ｂ０，ｂ１）間のマッピングを例示する。
【０１７０】
【表８】
0005985498.tif 000012
ＣＣにおけるＤＬ伝送（ＰＤＣＣＨ或いはＳＰＳ  ＰＤＳＣＨ）の紛失がＵＥにより検出されても、該ＣＣにおけるＤＬ伝送の紛失が、該ＣＣに対するＡＣＫ／ＮＡＣＫ情報において別に区別されないという点で、マッピング実施例４はマッピング実施例１に類似している。マッピング実施例１に係るＡＣＫ／ＮＡＣＫ情報が該当のＣＣでＡＣＫ状態として検出された最後のＤＡＩ値を表すのに対し、マッピング実施例４に係るＡＣＫ／ＮＡＣＫ情報は、該当のＣＣの（バンドルされた）ＡＣＫの生成に参加するＡＣＫ応答の個数を表す。ＣＣ別に各サブフレームに対して１個のＡＣＫ／ＮＡＣＫ応答が存在するとすれば、４個のＤＬサブフレームに対するＡＣＫ情報の生成に参加するＡＣＫ応答の個数は、１個〜４個となる。
【０１７１】
表８及び図３２を参照すると、ＣＣ０上で１個のＰＤＣＣＨが成功的に受信されるので、ＵＥは、ＣＣ０においてＡＣＫのＤＬ伝送が１個であるということを表す２ビットのＡＣＫ／ＮＡＣＫ情報０１を生成すればよい。ＣＣ１に対するバンドルされたＡＣＫ／ＮＡＣＫがＮＡＣＫであるから、ＡＣＫの個数によらず、該ＵＥはＣＣ１のために２ビットのＡＣＫ／ＮＡＣＫ情報００を生成する。
【０１７２】
＜マッピング実施例５＞
表９は、マッピング実施例５に係る多重ＡＣＫ／ＮＡＣＫ応答と（ｂ０，ｂ１）間のマッピングを例示する。
【０１７３】
【表９】
0005985498.tif 000013
最後のＰＤＣＣＨ以外のＰＤＣＣＨが紛失された場合に、ＵＥは、当該ＰＤＣＣＨが紛失されたことが検出できる。この場合、マッピング実施例４（或いはマッピング実施例１）によれば、ＵＥは、紛失されたＰＤＣＣＨがあるということを表す情報を、該当のＣＣに対するＡＣＫ／ＮＡＣＫ情報に含めてＢＳに伝送する。マッピング実施例４によれば、該当のＣＣにＮＡＣＫと判断されたＰＤＣＣＨ及びＳＰＳ  ＰＤＳＣＨがないということに加えて、ＡＣＫ−カウンタも該当のＣＣに対するＡＣＫ情報により表現することができる。マッピング実施例５は、マッピング実施例４とは違い、紛失されたＤＬ伝送が存在するＣＣに対するＡＣＫ／ＮＡＣＫ情報は、ＤＴＸ状態を表現するために別に定義して伝送したり、全く伝送しないことによって表現する。
【０１７４】
表９及び図３３を参照すると、ＵＥは、ＣＣ０上でＤＡＩ＝００のＰＤＣＣＨのみをＡＣＫと検出するが、ＤＡＩ＝０１のＰＤＣＣＨは紛失され、このＤＡＩ＝０１のＰＤＣＣＨが紛失されたことが検出できず、ＣＣ０のために２ビットのＡＣＫ／ＮＡＣＫ情報０１を生成する。該ＵＥは、ＣＣ１上でＤＡＩ＝０１のＰＤＣＣＨを初めて検出することから、ＤＡＩ＝００のＰＤＣＣＨが紛失されたことが検出できるので、ＣＣ１のためには、００を生成せずに、ＤＴＸに対応する情報ビットを生成する。このＤＴＸに対応する情報ビットは００、０１、１０、１１のいずれか一つとあらかじめ定められていればよい。すなわち、ＤＴＸ状態は、他のＡＣＫ／ＮＡＣＫ状態と重複する情報ビットの形態で伝送されることが可能である。また、マッピング実施例５によれば、ＵＥでＰＤＣＣＨの紛失が検出された場合、該当のＣＣに対するＡＣＫ／ＮＡＣＫ応答がＢＳに全く伝送されなくてもよい。この場合、ＣＣに対するＡＣＫ／ＮＡＣＫ情報の非伝送そのものが、当該ＣＣで紛失されたＰＤＣＣＨがあるということを表すこととなる。
【０１７５】
表９を参照すると、ＵＥは、ＤＴＸ（或いはＮ／Ａ）であるかチェックし、特定ＣＣに対するＡＣＫ／ＮＡＣＫ状態がそれに該当すれば、ＤＴＸ（或いはＮ／Ａ）状態の定義によってＡＣＫ／ＮＡＣＫ伝送或いは非伝送（ｎｏ  ｔｒａｎｓｍｉｓｓｉｏｎ）を行い、それに該当しなければ、他のＡＣＫ／ＮＡＣＫ状態を選択する。
【０１７６】
＜マッピング実施例６＞
表１０は、マッピング実施例６に係る多重ＡＣＫ／ＮＡＣＫ応答と（ｂ０，ｂ１）間のマッピングを例示する。
【０１７７】
【表１０】
0005985498.tif 000014
マッピング実施例５は、一つ以上のＤＬ伝送が紛失された状態又は何らのＤＬ伝送も受信されなかった状態を、該当のＣＣに対するＡＣＫ／ＮＡＣＫ情報を伝送しなかったり或いはＤＴＸを表す情報ビットにマッピングして伝送することによって表す。すなわち、マッピング実施例５は、該当のＣＣでＰＤＣＣＨ及びＳＰＳ  ＰＤＳＣＨのうち少なくとも一つ、すなわち、少なくとも一つのＤＬ伝送が紛失された場合を、他の場合と区別して表す。これと違い、マッピング実施例６は、各サブフレームに対するＡＣＫ／ＮＡＣＫ応答のうち最初のＤＬ伝送（例えば、ＤＡＩ＝００のＰＤＣＣＨ）が紛失された場合又は何らのＤＬ伝送も受信されなかった場合を、他の場合と区別して表す。
【０１７８】
表１０及び図３３を参照すると、ＵＥは、ＣＣ０上でＤＡＩ＝００のＰＤＣＣＨを初めて検出し、それ以降は何らＤＬ伝送も受信できないので、ＣＣ０に対して２ビットのＡＣＫ／ＮＡＣＫ情報０１を生成する。該ＵＥは、ＣＣ１上でＤＡＩ＝０１のＰＤＣＣＨを初めて検出することから、ＤＡＩ＝００のＰＤＣＣＨが紛失されたことが検出できる。マッピング実施例６に係るＵＥは、最初のＤＬ伝送が紛失されたＣＣ１に対するＡＣＫ／ＮＡＣＫ情報を、ＤＴＸ状態に対応する情報ビットとしてＢＳに伝送する。或いは、マッピング実施例６に係るＵＥは、最初のＤＬ伝送が紛失されたＣＣ１に対するＡＣＫ／ＮＡＣＫ情報をＢＳに伝送しない。この場合、ＣＣ１に対するＡＣＫ／ＮＡＣＫ情報の非伝送そのものが、ＣＣ１の最初のＤＬ伝送が紛失されたということを表すこととなる。
【０１７９】
表１０を参照すると、ＵＥは、ＤＴＸ（或いはＮ／Ａ）状態であるかチェックし、特定ＣＣに対するＡＣＫ／ＮＡＣＫ状態がそれに該当すれば、ＤＴＸ（或いはＮ／Ａ）状態の定義によってＡＣＫ／ＮＡＣＫ伝送或いは非伝送を行い、それに該当しなければ、他のＡＣＫ／ＮＡＣＫ状態を選択する。
【０１８０】
［ＡＣＫ−ｃｏｕｎｔｅｒ  ａｓ  ＡＣＫ／ＮＡＣＫ］
マッピング実施例７乃至マッピング実施例９は、バンドルされたＡＣＫ／ＮＡＣＫがＡＣＫの場合に、該当のＣＣに対するＡＣＫ／ＮＡＣＫ情報をＡＣＫ−カウンタ（ＡＣＫ−ｃｏｕｎｔｅｒ）の形態で伝送する。ここで、ＡＣＫ−カウンタは、ＡＣＫ応答の個数を意味する。
【０１８１】
＜マッピング実施例７＞
表１１は、マッピング実施例７に係る多重ＡＣＫ／ＮＡＣＫ応答と（ｂ０，ｂ１）間のマッピングを例示する。
【０１８２】
【表１１】
0005985498.tif 000015
表１１及び図３４を参照すると、ＣＣ０上で１個のＰＤＣＣＨが成功的に受信され、２番目のＰＤＣＣＨは紛失されたが、ＵＥは、該２番目のＰＤＣＣＨの紛失を検出できず、ＣＣ０でＡＣＫのＤＬ伝送が１個であることを表す２ビットのＡＣＫ／ＮＡＣＫ情報０１を生成する。一方、ＣＣ１ではＤＡＩ＝０１のＰＤＣＣＨを検出することから、ＵＥは、ＣＣ１でＤＡＩ＝００のＰＤＣＣＨが紛失されたことが検出できる。これは、ＡＣＫ−カウンタ＝Ｎｏｎｅに該当する。ＵＥは、実際に該当のＣＣで検出されたＡＣＫ応答の個数によらず、ＣＣ１のために、ＣＣ１で少なくとも一つのＤＬ伝送が紛失されたことを表す２ビットのＡＣＫ／ＮＡＣＫ情報００を生成する。
【０１８３】
もし、ＡＣＫ−カウンタ＝０の場合、例えば、ＣＣにおいて伝送された全てのＤＬ伝送がＮＡＣＫである場合にも、００の情報ビットが該当のＣＣに対するＡＣＫ／ＮＡＣＫ情報として生成される。
【０１８４】
＜マッピング実施例８＞
表１２は、マッピング実施例８に係る多重ＡＣＫ／ＮＡＣＫ応答と（ｂ０，ｂ１）間のマッピングを例示する。
【０１８５】
【表１２】
0005985498.tif 000016
最後のＰＤＣＣＨ以外のＰＤＣＣＨが紛失された場合、ＵＥは、当該ＰＤＣＣＨが紛失されたことが検出できる。この場合、マッピング実施例８によれば、ＵＥは、紛失されたＰＤＣＣＨがあることを表す情報を、該当のＣＣに対するＡＣＫ／ＮＡＣＫ情報に含めてＢＳに伝送する。すなわち、マッピング実施例８によれば、該当のＣＣにＮＡＣＫと判断されたＰＤＣＣＨ及びＳＰＳ  ＰＤＳＣＨがないということに加えて、紛失されたＤＬ伝送の有無も該当のＣＣに対するＡＣＫ／ＮＡＣＫ情報により指示することができる。マッピング実施例８は、マッピング実施例７と違い、紛失されたＰＤＣＣＨの存在に関する情報を、一般的なＡＣＫ／ＮＡＣＫと区別して伝送したり何らの応答を伝送しないことによって表す。
【０１８６】
表１２及び図３５を参照すると、ＵＥは、ＣＣ０上でＤＡＩ＝００のＰＤＣＣＨのみをＡＣＫと検出するが、ＤＡＩ＝０１のＰＤＣＣＨは紛失され、該ＰＤＣＣＨが紛失されたことを検出できず、ＣＣ０のために２ビットのＡＣＫ／ＮＡＣＫ情報０１を生成する。該ＵＥは、ＣＣ１上でＤＡＩ＝０１のＰＤＣＣＨを初めて検出することから、ＤＡＩ＝００のＰＤＣＣＨが紛失されたことが検出できる。そのため、ＵＥは、実際にＣＣ１で検出されたＡＣＫ応答の個数によらず、ＣＣ１のために、ＣＣ１で少なくとも一つのＤＬ伝送が紛失されたことを表す２−ビットのＡＣＫ／ＮＡＣＫ情報００を生成する。ＤＴＸ状態に対応する情報ビットではなく、ＡＣＫ−カウンタ＝１に対応する情報ビットをＡＣＫ／ＮＡＣＫ情報として生成する。このＤＴＸ状態に対応する情報ビットは００、０１、１０、１１の一つとあらかじめ定められていればよい。すなわち、ＤＴＸ状態は、他のＡＣＫ／ＮＡＣＫ状態と重複する情報ビットの形態で伝送されることが可能である。また、マッピング実施例８によれば、ＵＥでＰＤＣＣＨの紛失が検出された場合、該当のＣＣに対するＡＣＫ／ＮＡＣＫ応答はＢＳに伝送されなくてもよい。この場合、ＣＣに対するＡＣＫ／ＮＡＣＫ情報の非伝送そのものが、ＣＣで紛失されたＰＤＣＣＨがあるということを表すこととなる。
【０１８７】
表１２を参照すると、ＵＥは、ＤＴＸ（或いはＮ／Ａ）状態であるかチェックし、特定ＣＣに対するＡＣＫ／ＮＡＣＫ状態がそれに該当すれば、ＤＴＸ（或いはＮ／Ａ）状態の定義によってＡＣＫ／ＮＡＣＫ伝送或いは非伝送を行い、それに該当しなければ、他のＡＣＫ／ＮＡＣＫ状態を選択する。
【０１８８】
＜マッピング実施例９＞
表１３は、マッピング実施例９に係る多重ＡＣＫ／ＮＡＣＫ応答と（ｂ０，ｂ１）間のマッピングを例示する。
【０１８９】
【表１３】
0005985498.tif 000017
マッピング実施例８は、一つ以上のＤＬ伝送が紛失された状態又は何らのＤＬ伝送も受信されなかった状態を、該当のＣＣに対するＡＣＫ／ＮＡＣＫ情報を伝送しなかったり或いはＤＴＸを表す情報ビットにマッピングして伝送することによって表す。すなわち、マッピング実施例８は、該当のＣＣでＰＤＣＣＨ及びＳＰＳ  ＰＤＳＣＨのうち少なくとも一つ、すなわち、少なくとも一つのＤＬ伝送が紛失された場合を、他の場合と区別して表す。これと違い、マッピング実施例９は、各サブフレームに対するＡＣＫ／ＮＡＣＫ応答のうち最初のＤＬ伝送（例えば、ＤＡＩ＝００のＰＤＣＣＨ）が紛失された場合又は何らのＤＬ伝送も受信されなかった場合を、他の場合と区別して表す。
【０１９０】
表１３及び図３５を参照すると、ＵＥは、ＣＣ０上でＤＡＩ＝００のＰＤＣＣＨを初めて検出し、それ以降は何らＤＬ伝送も受信できず、ＣＣ０に対するＡＣＫ／ＮＡＣＫ状態をＡＣＫ−カウンタ＝１のＡＣＫと判断し、２ビットのＡＣＫ／ＮＡＣＫ情報０１を生成する。ＵＥは、ＣＣ１上でＤＡＩ＝０１のＰＤＣＣＨを初めて検出することから、ＤＡＩ＝００のＰＤＣＣＨが紛失されたことが検出できる。マッピング実施例９に係るＵＥは、最初のＤＬ伝送が紛失されたＣＣ１に対するＡＣＫ／ＮＡＣＫ情報を、ＤＴＸ状態に対応する情報ビットとしてＢＳに伝送する。或いは、マッピング実施例９に係るＵＥは、最初のＤＬ伝送が紛失されたＣＣ１に対するＡＣＫ／ＮＡＣＫ情報をＢＳに伝送しない。この場合、ＣＣ１に対するＡＣＫ／ＮＡＣＫ情報の非伝送そのものが、ＣＣ１の最初のＤＬ伝送が紛失されたということを表すこととなる。
【０１９１】
表１３を参照すると、ＵＥは、ＤＴＸ（或いはＮ／Ａ）状態であるかチェックし、特定ＣＣに対するＡＣＫ／ＮＡＣＫ状態がそれに該当すれば、ＤＴＸ（或いはＮ／Ａ）状態の定義によってＡＣＫ／ＮＡＣＫ伝送或いは非伝送を行い、それに該当しなければ、他のＡＣＫ／ＮＡＣＫ状態を選択する。
【０１９２】
［Ｃｏｎｔｉｎｕｏｕｓ  ＡＣＫ−ｃｏｕｎｔｅｒ  ａｓ  ＡＣＫ／ＮＡＣＫ］
ＵＥは、各ＣＣ別にＰＤＣＣＨ中のＤＡＩを用いて、紛失されたＰＤＣＣＨがあるか否かを探知してもよい。ＡＣＫ／ＮＡＣＫバンドリングによってＮＡＣＫが伝送される場合、ＢＳは、該バンドルされたＮＡＣＫを構成するＡＣＫ／ＮＡＣＫ応答に該当する全てのＤＬ伝送／割当に対して再伝送（ｒｅｔｒａｎｓｍｉｓｓｉｏｎ、ＨＡＲＱ）を行わなければならない。そのため、一つのＡＣＫ／ＮＡＣＫフィードバックにおいて、最大限のＡＣＫ応答がＢＳに伝送されることが、ＢＳによる余計な再伝送を低減する点で好ましい。したがって、本発明のマッピング実施例１０乃至マッピング実施例１３は、ＡＣＫ情報を極力保存して再伝送を減らすべく、各ＣＣに対するＡＣＫ／ＮＡＣＫ応答をバンドリングした純粋バンドルされたＡＣＫ／ＮＡＣＫの他、最初のＤＬ伝送からの連続（ｃｏｎｔｉｇｕｏｕｓ）ＡＣＫ−カウンタもＡＣＫ／ＮＡＣＫフィードバックに用いる。本発明において、連続ＡＣＫ−カウンタは、時間領域における連続したＤＬ伝送に対して定義されてもよく、これと異なる方法により定義されてもよい。例えば、ＰＤＣＣＨがあるＤＬ伝送に対して時間領域で連続したＡＣＫ−カウンタを使用しながら、ＰＤＣＣＨがないＤＬ伝送は、検出されたＰＤＣＣＨがあるＤＬ伝送の先頭或いは末尾に位置させた後、全体ＡＣＫ−カウンタを計算してもよい。本発明は、連続ＡＣＫ−カウンタを構成するためのＡＣＫ／ＮＡＣＫ応答の順序を定める方法に制約されない。以下では、便宜上、時間領域で連続したＤＬ伝送を基準にしてＡＣＫ−カウンタを定義して本発明の実施例を説明する。最初のＤＬ伝送からの連続ＡＣＫ−カウンタとは、ＡＣＫ／ＮＡＣＫフィードバックが必要な最初のＤＬ伝送からカウントされた連続したＡＣＫの個数を意味する。最初のＤＬ伝送に対する応答はＡＣＫであるが、中間にＮＡＣＫ或いはＤＴＸ応答が存在する場合は、このＮＡＣＫ或いはＤＴＸからはいずれも紛失されたと見なし、該ＮＡＣＫ或いはＤＴＸまでの連続ＡＣＫの数のみをＡＣＫ／ＮＡＣＫ情報としてフィードバックする。一つ以上のＡＣＫ／ＮＡＣＫ応答がバンドリングされて伝送される場合に、ＵＥからＣＣに対するバンドルされたＮＡＣＫを受信したＢＳは、該ＣＣ上で伝送されたＤＬ伝送の全てに対する再伝送を行うようになる。しかし、連続ＡＣＫ−カウンタを用いてＡＣＫ／ＮＡＣＫフィードバックが行われると、ＮＡＣＫ応答又はＤＴＸ応答以前のＡＣＫ応答に該当する再伝送は不要になり、再伝送を必要とするＤＬ伝送が低減する。
【０１９３】
＜マッピング実施例１０＞
表１４は、マッピング実施例１０に係る多重ＡＣＫ／ＮＡＣＫ応答と（ｂ０，ｂ１）間のマッピングを例示する。
【０１９４】
【表１４】
0005985498.tif 000018
表１４及び図３６を参照すると、ＣＣ０上で最初のＤＬ伝送であるＰＤＣＣＨを有するＰＤＳＣＨが成功的に受信される。このＣＣ０上で２番目のＰＤＣＣＨは紛失され、ＵＥは、該紛失された２番目のＰＤＣＣＨに該当するＰＤＳＣＨを検出できず、よって、ＣＣ０において「最初の伝送からの連続ＡＣＫ−カウンタ」＝１に該当する（ｂ０，ｂ１）＝（０，１）にマッピングする。一方、ＣＣ１では、ＤＡＩ＝０１のＰＤＣＣＨを検出することから、ＵＥは、ＣＣ１でＤＡＩ＝００のＰＤＣＣＨが紛失されたことが検出できる。したがって、最初のＤＬ伝送に対するＡＣＫ／ＮＡＣＫ応答がＡＣＫでないから、「最初のＤＬ伝送からの連続ＡＣＫ−カウンタ」は０になり、表１４により（ｂ０，ｂ１）＝（０，０）にマッピングする。表１４を参照すると、ＵＥは、実際に該当のＣＣで検出されたＡＣＫ応答の個数によらず、ＣＣ１のために、ＣＣ１で最初のＤＬ伝送がＡＣＫでないことを表す（ｂ０，ｂ１）＝（０，０）にマッピングする。
【０１９５】
＜マッピング実施例１１＞
表１５は、マッピング実施例１１に係る多重ＡＣＫ／ＮＡＣＫ応答と（ｂ０，ｂ１）間のマッピングを例示する。
【０１９６】
【表１５】
0005985498.tif 000019
マッピング実施例１０によれば、ＣＣ１に対するＡＣＫ／ＮＡＣＫ情報は、最初のＤＬ伝送に対する応答がＡＣＫでないことを表すことはできるが、該最初のＤＬ伝送に対する応答がＮＡＣＫかＤＴＸかを区別することはできない。マッピング実施例１１は、マッピング実施例１０と違い、紛失されたＤＬ伝送の存在に関する情報を、一般的なＡＣＫ／ＮＡＣＫと区別して伝送したり、何らの応答を伝送しないことによって表す。マッピング実施例１１によれば、ＣＣ１に対するＡＣＫ／ＮＡＣＫ応答は、ＮＡＣＫではなく、該当のＣＣに紛失されたＰＤＳＣＨが存在することを表すために定義されたＤＴＸ状態を指示する情報ビットにより表現されたり、または全く伝送されない。
【０１９７】
表１５及び図３７を参照すると、ＣＣ０上で、最初のＤＬ伝送であるＰＤＣＣＨを有するＰＤＳＣＨが成功的に受信される。ＣＣ０上で２番目のＰＤＣＣＨは紛失され、ＵＥは、この紛失された２番目のＰＤＣＣＨに該当するＰＤＳＣＨを検出できない。そのため、ＵＥは、ＣＣ０において「最初のＤＬ伝送からの連続ＡＣＫ−カウンタ」＝１に該当する２ビットのＡＣＫ／ＮＡＣＫ情報０１を生成すればよい。一方、ＣＣ１では、ＤＡＩ＝０１のＰＤＣＣＨを検出することから、ＵＥは、ＣＣ１でＤＡＩ＝００のＰＤＣＣＨが紛失されたことを検出する。したがって、ＵＥは、ＣＣ１のためには、ＮＡＣＫに対応する情報ビットではなく、少なくとも一つのＤＬ伝送の紛失或いは受信されたＤＬ伝送がないということに対応する情報ビットをＡＣＫ／ＮＡＣＫ情報として生成する。表１５を参照すると、ＤＴＸ状態に対応する情報ビットがＣＣ１のためのＡＣＫ／ＮＡＣＫ情報として生成される。このＤＴＸ状態は、００、０１、１０、１１のいずれか一つにマッピングされるようにあらかじめ定められていればよい。すなわち、ＤＴＸ状態は、他のＡＣＫ／ＮＡＣＫ状態と重複する情報ビットの形態で伝送されることが可能である。或いは、マッピング実施例１１によれば、ＵＥでＤＬ伝送の紛失が検出された場合、該当のＣＣに対するＡＣＫ／ＮＡＣＫ応答はＢＳに全く伝送されなくてもよい。この場合、ＣＣに対するＡＣＫ／ＮＡＣＫ情報の非伝送そのものが、当該ＣＣで紛失されたＤＬ伝送があるということを表すこととなる。
【０１９８】
表１５を参照すると、ＵＥは、ＤＴＸ（或いはＮ／Ａ）状態であるかチェックし、特定ＣＣに対するＡＣＫ／ＮＡＣＫ状態がそれに該当すれば、ＤＴＸ（或いはＮ／Ａ）状態の定義によってＡＣＫ／ＮＡＣＫ伝送或いは非伝送を行い、それに該当しなければ、他のＡＣＫ／ＮＡＣＫ状態を選択する。
【０１９９】
＜マッピング実施例１２＞
表１６は、マッピング実施例１２に係る多重ＡＣＫ／ＮＡＣＫ応答と（ｂ０，ｂ１）間のマッピングを例示する。
【０２００】
【表１６】
0005985498.tif 000020
マッピング実施例１１は、一つ以上のＤＬ伝送が紛失された状態又は何らのＤＬ伝送も受信されなかった状態を、該当のＣＣに対するＡＣＫ／ＮＡＣＫ情報を伝送しなかったり或いはＤＴＸを表す情報ビットにマッピングして伝送することによって表す。すなわち、マッピング実施例１１は、該当のＣＣで少なくとも一つのＤＬ伝送が紛失された場合を、他の場合と区別して表す。これと違い、マッピング実施例１２は、各サブフレームに対するＡＣＫ／ＮＡＣＫ応答のうち最初のＤＬ伝送（例えば、ＤＡＩ＝００のＰＤＣＣＨ）が紛失された場合又は何らのＤＬ伝送も受信されなかった場合を、他の場合と区別して表す。
【０２０１】
表１６及び図３７を参照すると、ＣＣ０上で、最初のＤＬ伝送であるＰＤＣＣＨを有するＰＤＳＣＨが成功的に受信される。このＣＣ０上で２番目のＰＤＣＣＨは紛失され、ＵＥは、該紛失された２番目のＰＤＣＣＨに該当するＰＤＳＣＨを検出できない。そのため、ＵＥは、ＣＣ０において「最初のＤＬ伝送からの連続ＡＣＫ−カウンタ」＝１に該当する２ビットのＡＣＫ／ＮＡＣＫ情報０１を生成すればよい。一方、ＣＣ１ではＤＡＩ＝０１のＰＤＣＣＨを検出することから、ＵＥは、ＣＣ１でＤＡＩ＝００のＰＤＣＣＨが紛失されたことを検出する。したがって、ＵＥは、ＣＣ１のためには、ＮＡＣＫに対応する情報ビットではなく、少なくとも最初のＤＬ伝送の紛失或いは受信されたＤＬ伝送がないということに対応する情報ビットをＡＣＫ／ＮＡＣＫ情報として生成する。表１６を参照すると、ＤＴＸ状態に対応する情報ビットが、ＣＣ１のためのＡＣＫ／ＮＡＣＫ情報として生成される。このＤＴＸ状態は、００、０１、１０、１１のいずれか一つにマッピングされるようにあらかじめ定められていればよい。すなわち、ＤＴＸ状態は、他のＡＣＫ／ＮＡＣＫ状態と重複する情報ビットにマッピングされて伝送されることが可能である。或いは、マッピング実施例１２によれば、ＵＥで最初のＤＬ伝送の紛失が検出された場合、該当のＣＣに対するＡＣＫ／ＮＡＣＫ応答はＢＳに全く伝送されなくてもよい。この場合、ＣＣに対するＡＣＫ／ＮＡＣＫ情報の非伝送そのものが、ＣＣで紛失されたＤＬ伝送があるということを表すこととなる。
【０２０２】
表１６を参照すると、ＵＥは、ＤＴＸ（或いはＮ／Ａ）状態であるかチェックし、特定ＣＣに対するＡＣＫ／ＮＡＣＫ状態がそれに該当すれば、ＤＴＸ（或いはＮ／Ａ）状態の定義によってＡＣＫ／ＮＡＣＫ伝送を行い、それに該当しなければ、他のＡＣＫ／ＮＡＣＫ状態を選択する。
【０２０３】
＜マッピング実施例１３及び１４＞
マッピング実施例７乃至マッピング実施例１２では、ＡＣＫ−カウンタを４まで表現したが、マッピング実施例４乃至マッピング実施例１２は、より大きいＡＣＫ−カウンタ（例えば、８又は９）まで支援するように構成されてもよい。より大きいＡＣＫ−カウンタは、ＡＣＫ／ＮＡＣＫ情報の伝送ビット数を増加させることによって具現してもよく、４までのＡＣＫ−カウンタに対する情報ビットに５以上のＡＣＫ−カウンタを重複マッピングすることによって、同一の伝送ビット数で具現してもよい。重複マッピングにより、より大きいＡＣＫ−カウンタを具現する場合、ＡＣＫ−カウンタ＝０（或いは、Ｎｏｎｅ）の状態は、重複マッピングを排除することによって、ＡＣＫがない状態と区別付けることが好ましい。ＡＣＫ−カウンタ＝０のＡＣＫ／ＮＡＣＫ状態を、他のＡＣＫ／ＮＡＣＫ状態と同じＡＣＫ／ＮＡＣＫ情報ビットにマッピングしなし、４よりも大きいＡＣＫ−カウンタが支援され得るマッピング実施例を例示すると、下記の通りである。
【０２０４】
表１７は、マッピング実施例１３に係る多重ＡＣＫ／ＮＡＣＫ応答と（ｂ０，ｂ１）間のマッピングを例示する。表１８は、マッピング実施例１４に係る多重ＡＣＫ／ＮＡＣＫ応答と（ｂ０，ｂ１）間のマッピングを例示する。
【０２０５】
【表１７】
0005985498.tif 000021
【０２０６】
【表１８】
0005985498.tif 000022
マッピング実施例１３は、ＵＥが少なくても一つのＤＬ伝送が紛失されたことを検出したり、何らのＤＬ伝送を受信できなかった場合、該当のＣＣに対するＡＣＫ／ＮＡＣＫ情報がＤＴＸ状態或いはＮ／Ａ（ｎｏｔ  ａｐｐｌｉｃａｂｌｅ）状態に対応する。マッピング実施例１４は、ＵＥが最初のＤＬ伝送を紛失したり何らのＤＬ伝送を受信できなかった場合、該当のＣＣに対するＡＣＫ／ＮＡＣＫ情報がＤＴＸ状態或いはＮ／Ａ状態に対応する。以下では、ＤＴＸ（或いはＮ／Ａ）状態をＡＣＫ−カウンタ＝０の状態と総称する。
【０２０７】
４以上のＡＣＫ−カウンタを有する状態は、ＡＣＫ−カウンタ＝０の状態がマッピングされた情報ビット以外の残りＡＣＫ／ＮＡＣＫ状態の情報ビットに重複してマッピングされる。例えば、（最初のＤＬ伝送からの連続）ＡＣＫ−カウンタ１、４、７に該当するＡＣＫ／ＮＡＣＫ状態はいずれも、同じ情報ビット０１にマッピングされ、（最初のＤＬ伝送からの連続）ＡＣＫ−カウンタ２、５、８に該当するＡＣＫ／ＮＡＣＫ状態はいずれも、同じ情報ビット１０にマッピングされ、（最初のＤＬ伝送からの連続）ＡＣＫ−カウンタ３、６、９に該当するＡＣＫ／ＮＡＣＫ状態はいずれも、同じ情報ビット１１に重複マッピングされる。
【０２０８】
［重複マッピング誤りの最小化］
一方、表５乃至表１８を参照すると、４個以上の多重ＡＣＫ／ＮＡＣＫ応答を表すＡＣＫ／ＮＡＣＫ情報が伝送されなければならない場合に、少なくとも１個のＡＣＫ／ＮＡＣＫ状態は、他のＡＣＫ／ＮＡＣＫ状態がマッピングされた情報ビットに重複してマッピングされることがわかる。このように重複マッピングが存在する場合は、同じ情報ビットにマッピングされたＡＣＫ／ＮＡＣＫ状態により情報損失が発生することがある。例えば、一つのＡＣＫ／ＮＡＣＫフィードバックのためのＤＬ：ＵＬ比率が４：１の場合、すなわち、４個のＤＬサブフレームに対するＡＣＫ／ＮＡＣＫ応答が束ねられて一つのＵＬサブフレームで伝送される場合を仮定する。ＢＳが４個のＤＬサブフレームの全てにＵＥのためのＤＬ伝送或いはＤＬ割当を行う場合に、該ＵＥは、各ＤＬサブフレームで該当のＤＬ伝送をＡＣＫ、ＮＡＣＫ、ＤＴＸのいずれか一つの状態として受信する。ここで、ＤＴＸは、該当のＤＬ伝送を全く受信できなかった場合或いは紛失した場合を表す。
【０２０９】
以下では、表９を参照して、重複マッピングの問題点、及び重複マッピングによる問題点を低減できるマッピング実施例を説明する。以下の表で、Ａ、Ｎ、Ｄはそれぞれ、ＡＣＫ、ＮＡＣＫ、ＤＴＸを意味する。また、Ｎ／Ｄは、ＮＡＣＫ又はＤＴＸを意味し、ａｎｙは、ＡＣＫ、ＮＡＣＫ、ＤＴＸのいずれか任意の状態を意味する。以下の表で、ＵＥがＤＬ伝送に対してＡＣＫを検出する確率は０．９（９０％）、ＮＡＣＫを検出する確率は０．０９（９％）、紛失する確率（或いはＤＴＸを検出する確率）を０．０１（１％）と仮定する。ただし、以下の説明で言及される誤り確率は、ＰＤＣＣＨの検出確率は考慮せずに計算された。通常、ＰＤＣＣＨの検出確率は０．９９（９９％）程度と非常に大きく設計されるので、誤り確率に及ぼす影響が少ないわけである。
【０２１０】
【表１９】
0005985498.tif 000023
表１９で、「Ａ」はＡＣＫ応答を意味し、「Ｎ」はＮＡＣＫ応答を意味し、「Ｎ／Ｄ」はＮＡＣＫ／ＤＴＸ応答を意味し、「Ｄ」はＤＴＸ応答を意味する。「ａｎｙ」は任意の応答を意味する。
【０２１１】
表１９を参照すると、ＡＣＫ／ＮＡＣＫ状態１とＡＣＫ／ＮＡＣＫ状態４とが同じＡＣＫ／ＮＡＣＫ情報（０１）に重複している。ＡＣＫ／ＮＡＣＫ状態１のＡＣＫ／ＮＡＣＫ情報とＡＣＫ／ＮＡＣＫ状態４のＡＣＫ／ＮＡＣＫ情報とが衝突することになる。このように重複した状態を有するＡＣＫ／ＮＡＣＫ情報を受信する場合、ＢＳは、このＡＣＫ／ＮＡＣＫ情報が表す状態を正確に解析することが不可能になる。例えば、一つのＡＣＫ／ＮＡＣＫフィードバックのためにＢＳが構成したＤＬ：ＵＬの比が４：１であり、４個のＤＬサブフレームにスケジューリングされたＤＬ伝送がある場合に、０１のＡＣＫ／ＮＡＣＫフィードバックを受信したＢＳは、このＡＣＫ／ＮＡＣＫフィードバックがＡＣＫ／ＮＡＣＫ状態１を表すものであるか、ＡＣＫ／ＮＡＣＫ状態４を表すものであるかが区別できなくなる。ＵＥがＡＣＫ／ＮＡＣＫ状態４のＡＣＫ／ＮＡＣＫフィードバックをＢＳに伝送したが、ＢＳがこのＡＣＫ／ＮＡＣＫフィードバックをＡＣＫ／ＮＡＣＫ状態１と解析すると、ＮＡＣＫとＡＣＫを誤って解析するＮＡＣＫ−ｔｏ−ＡＣＫ誤りが発生する。一般に、システム設計及び運用に当たって、ＮＡＣＫ−ｔｏ−ＡＣＫ誤りは０．０１％（＝０．０００１）よりも小さいことが要求される。しかし、上記ＡＣＫ／ＮＡＣＫ状態４が起きる確率は０．０９（９％）であり、これは一般的なＮＡＣＫ−ｔｏ−ＡＣＫ誤りの最大許容値を超えており、ＨＡＲＱ過程に大きな問題を招く可能性がある。そのため、当該状態は、低い誤り率でＨＡＲＱを行うために、より少ないＡが含まれているＡＣＫ／ＮＡＣＫ状態４として常に見なされることが好ましい。
【０２１２】
また、ＡＣＫ／ＮＡＣＫフィードバックのためのＤＬ：ＵＬ比が４：１であっても、実際にＢＳが特定ＵＥにスケジューリングするＤＬサブフレームの個数はそれと異なることがある。すなわち、ＡＣＫ／ＮＡＣＫフィードバックのためのＤＬ：ＵＬ比は、一つのＵＬサブフレームで一緒にフィードバックされ得る最大個数のＤＬサブフレームの比を意味し、これよりも小さい個数を有するＡＣＫ／ＮＡＣＫフィードバックも效率的に支援されなければならない。例えば、一つのＡＣＫ／ＮＡＣＫフィードバックのために４ＤＬ：１ＵＬが構成された場合に、４個のＡＣＫ／ＮＡＣＫ応答の同時伝送のみが支援されるのではなく、１個、２個、或いは３個のＡＣＫ／ＮＡＣＫ応答の同時伝送も效率的に支援されなければならない。しかし、同一情報ビットに重複してマッピングされるＡＣＫ／ＮＡＣＫ状態により、ＢＳは、重複マッピングされた情報ビットを用いて伝送されたＡＣＫ／ＮＡＣＫフィードバックからは正確なＡＣＫ／ＮＡＣＫ情報が確認できなくなる。この理由から、上記ＢＳによるスケジューリングが制約されることがある。例えば、表１９を参照すると、０１のＡＣＫ／ＮＡＣＫ情報を受信したＢＳは、Ａが多く含まれているＡＣＫ／ＮＡＣＫ状態１に該当するスケジューリングは行わず、常に、Ａが相対的に少なく含まれているＡＣＫ／ＮＡＣＫ状態に該当するスケジューリングを行うことによって、再伝送が必要なＤＬ伝送をＡＣＫと誤解して再伝送を行わない誤りを低減することができる。例えば、一つのＡＣＫ／ＮＡＣＫフィードバックのために４ＤＬ：１ＵＬが構成された場合に、ＢＳは、前の３個のＤＬサブフレームでのみＤＬ再伝送を行うことによって、再伝送が必要なＤＬ伝送をＡＣＫと誤解して再伝送を行わない誤りを減らすことができる。ただし、このようなスケジューリングの制約は、システム処理量（ｔｈｒｏｕｇｈｐｕｔ）の側面で好ましくない。
【０２１３】
以下では、ＡＣＫ／ＮＡＣＫ状態の重複マッピングによる誤りを最小化する実施例を提案する。
【０２１４】
本発明の一実施例は、重複したＡＣＫ／ＮＡＣＫ状態マッピングの使用に対する誤りを最小化するために、重複した状態の一つ以上の状態に追加条件を使用する。
【０２１５】
本発明の一実施例は、重複したＡＣＫ／ＮＡＣＫ状態マッピングの使用に対する誤りを最小化するために、重複した状態のうち一つ以上の状態にＮＡＣＫが存在しない場合という追加条件を使用する。例えば、重複した状態のうち一つ以上の状態は、検出された或いは伝送されるべき多重ＡＣＫ／ＮＡＣＫのうち、ＮＡＣＫが一つも存在しない場合にのみ使用されるように制約されてもよい。ＢＳは、このような制約を用いて、重複した状態に対応するＡＣＫ／ＮＡＣＫ応答を解析する際に、それら重複した状態間の混同を最小化することができる。
【０２１６】
本発明の一実施例は、重複したＡＣＫ／ＮＡＣＫ状態マッピングの使用に対する誤りを最小化するために、重複した状態のうち一つ以上の状態にＤＴＸ（或いは紛失）が存在しない場合という追加条件を使用する。例えば、重複した状態のうち一つ以上の状態は、検出された或いは伝送されるべき多重ＡＣＫ／ＮＡＣＫのうち、ＤＴＸ（或いは紛失）が一つも存在しない場合にのみ使用されるように制約されてもよい。ＢＳは、このような制約を用いて、重複した状態に対応するＡＣＫ／ＮＡＣＫ応答を解析する際に、それら重複した状態間の混同を最小化することができる。
【０２１７】
＜マッピング実施例１５＞
表２０は、表１６のように、連続ＡＣＫ−カウンタが１の場合と４の場合が、同じマッピング値を有する。しかし、表２０では、表１６と違い、０１に重複してマッピングされる状態のうち、連続ＡＣＫ−カウンタが１の場合については、ＮＡＣＫが一つも含まれていない状態か否かをさらに判断される。例えば、表２０を参照すると、検出されたＮＡＣＫが存在しなく、且つ連続ＡＣＫが１個であるＡＣＫ／ＮＡＣＫ状態は０１にマッピングされる。連続ＡＣＫが１個であるが、検出されたＮＡＣＫが存在するＡＣＫ／ＮＡＣＫ状態は、その他（ｏｔｈｅｒｗｉｓｅ）の状態に該当し、００にマッピングされる。ここで、その他の状態とは、表２０で特定されている状態に属しない残りを総称する。すなわち、ＡＣＫ／ＮＡＣＫ状態１、２、３、４、５及び７の場合に属しない残りの状態がその他の状態に該当する。
【０２１８】
【表２０】
0005985498.tif 000024
表２０で、最初のＤＬ伝送がＮＡＣＫである状態は、その他（ｏｔｈｅｒｗｉｓｅ）の状態と同じ情報ビット００にマッピングされる。最初のＤＬ伝送からＮＡＣＫが含まれていると、いずれにせよ全体再伝送が必要とされるわけである。そのため、最初のＤＬ伝送がＮＡＣＫである状態は、その他の状態と区別されることなく使用されてもよい。すなわち、下記の表によって、多重ＡＣＫ／ＮＡＣＫ応答が情報ビットにマッピングされてもよい。
【０２１９】
【表２１】
0005985498.tif 000025
マッピング実施例１５において、該当のＡＣＫ／ＮＡＣＫ状態と情報ビットｂ０，ｂ１との正確なマッピング関係は、表２０又は表２１と異なってもよい。マッピング実施例１５は、［Ａ，Ａ，Ａ，Ａ］及び［Ａ，Ｄ，Ｄ，Ｄ］を同じ情報ビットにマッピングするという点に特徴がある。
【０２２０】
＜マッピング実施例１６＞
表２２では、表２１と同様、連続ＡＣＫ−カウンタが１の場合と４の場合が、同じマッピング値を有する。しかし、表２２は、表２１と違い、０１に重複してマッピングされる状態のうち、連続ＡＣＫ−カウンタが１の場合については、追加条件が適用される。例えば、表２２を参照すると、連続ＡＣＫが１個であり、他のＡＣＫ／ＮＡＣＫ応答が全てＤＴＸであるＡＣＫ／ＮＡＣＫ状態は、０１にマッピングされる。連続ＡＣＫが１個であるが、他のＡＣＫ／ＮＡＣＫ応答のいずれかでもＤＴＸでないＡＣＫ／ＮＡＣＫ状態は、その他（ｏｔｈｅｒｗｉｓｅ）の状態に該当し、００にマッピングされる。ここで、その他の状態とは、表２２で特定している状態に属しない残りを総称する。すなわち、ＡＣＫ／ＮＡＣＫ状態１、２、３、４及び６の場合に属しない残りがその他の状態に該当する。
【０２２１】
マッピング実施例１６は、［Ａ，Ａ，Ａ，Ａ］及び［Ａ，Ｄ，Ｄ，Ｄ］を同じ情報ビットにマッピングするという点に特徴がある。表２１を用いて、表１９のようにしてＡＣＫ／ＮＡＣＫ状態の確率を再び求めると、下記表２２の通りである。
【０２２２】
【表２２】
0005985498.tif 000026
表２２で、「Ａ」はＡＣＫ応答を意味し、「Ｎ」はＮＡＣＫ応答を意味し、「Ｎ／Ｄ」はＮＡＣＫ／ＤＴＸ応答を意味し、「Ｄ」はＤＴＸ応答を意味する。「ａｎｙ」は、任意の応答を意味する。
【０２２３】
表２２で、その他（ｏｔｈｅｒｗｉｓｅ）は、［Ａ，Ａ，Ａ，Ａ］、［Ａ，Ａ，Ａ，Ｎ／Ｄ］、［Ａ，Ａ，Ｎ／Ｄ，ａｎｙ］、［Ａ，Ｄ，Ｄ，Ｄ］、［Ｄ，ａｎｙ，ａｎｙ，ａｎｙ］以外のＡＣＫ／ＮＡＣＫシーケンスを総称する。例えば、［Ｎ，ａｎｙ，ａｎｙ，ａｎｙ］のＡＣＫ／ＮＡＣＫシーケンス、最初のＡＣＫの後に少なくとも一つのＮＡＣＫを含むＡＣＫ／ＮＡＣＫシーケンスなどが、その他（ｏｔｈｅｒｗｉｓｅ）に該当する。
【０２２４】
表２２を参照すると、［Ａ、Ｄ、Ｄ、Ｄ］の発生確率は０．００００００９であり、一般のＮＡＣＫ−ｔｏ−ＡＣＫ誤りの最大許容値である０．０００１よりも遥かに小さい。そのため、０１のＡＣＫ／ＮＡＣＫフィードバックを受信したＢＳは、常に［Ａ，Ａ，Ａ，Ａ］であるＡＣＫ／ＮＡＣＫ状態１を表示するＡＣＫ／ＮＡＣＫ情報を受信したと見なせばよい。ＵＥが、［Ａ，Ｎ／Ｄ，ａｎｙ，ａｎｙ］であるＡＣＫ／ＮＡＣＫ状態４を伝送しようとした場合、ＮＡＣＫ−ｔｏ−ＡＣＫ誤りが発生するが、ＡＣＫ／ＮＡＣＫ状態４の発生確率がＮＡＣＫ−ｔｏ−ＡＣＫ誤りの最大許容値よりも遥かに小さいので、無視されてもよい。したがって、マッピング実施例１６によれば、ＢＳは、特別なスケジューリング制約無しで自由にＵＥにリソースを割り当て、該ＵＥからのＡＣＫ／ＮＡＣＫフィードバックを受信／解析することが可能になる。
【０２２５】
マッピング実施例１６は、１ＤＬ：１ＵＬ、２ＤＬ：１ＵＬ、３ＤＬ：１ＵＬ或いは４ＤＬ：１ＵＬに対するＡＣＫ／ＮＡＣＫフィードバックに適用されてもよい。マッピング実施例１６のように、［Ａ，Ａ，Ａ，Ａ］及び［Ａ，Ｄ，Ｄ，Ｄ］を同じ情報ビットにマッピングする場合、ＢＳがＵＥにＤＬ伝送をスケジューリングしたＤＬサブフレームの個数が４よりも小さいと、［Ａ，Ａ，Ａ，Ａ］が発生することがなく、よって、一つのＡＣＫ／ＮＡＣＫフィードバックのための３ＤＬ：１ＵＬ構成からは重複マッピングが発生しなくなるという効果がある。
【０２２６】
連続ＡＣＫ−カウンタは、一部のＡＣＫでも正確にＢＳに伝達することによって再伝送を最小化する効果を奏するということは、上述した通りである。表２２のようにＡＣＫ／ＮＡＣＫ状態を情報ビットにマッピングする場合、一つのＡＣＫ／ＮＡＣＫフィードバックのための２ＤＬ：１ＵＬ構成では、連続ＡＣＫ−カウンタを使用する意味が大きくない。しかし、連続ＡＣＫ−カウンタの使用意味は、ＡＣＫ／ＮＡＣＫフィードバックのためのＤＬ：ＵＬ比が大きくなるほど増大する。したがって、３ＤＬ：１ＵＬ或いは４ＤＬ：１ＵＬで連続ＡＣＫ−カウンタを支援する方が、２ＤＬ：１ＵＬ或いは１ＤＬ：１ＵＬにおけるより、より大きい利得を得ることができる。
【０２２７】
以下では、９ＤＬ：１ＵＬにおけるＡＣＫ／ＮＡＣＫ応答を情報ビットにマッピングする実施例を説明する。以下の実施例は、いかなるＴＤＤ構成（１ＤＬ：１ＵＬ、２ＤＬ：１ＵＬ、３ＤＬ：１ＵＬ、４ＤＬ：１ＵＬ、９ＤＬ：１ＵＬなど）で使用されてもよい。或いは、９ＤＬ：１ＵＬでのみ使用され、残りのＴＤＤ構成では表２１が使用されるように定義されてもよい。
【０２２８】
＜マッピング実施例１７＞
表２３は、９ＤＬ：１ＵＬのＡＣＫ／ＮＡＣＫフィードバックを支援可能なマッピング実施例１７に係るＡＣＫ／ＮＡＣＫ応答と（ｂ０，ｂ１）間のマッピングを例示する。
【０２２９】
【表２３】
0005985498.tif 000027
マッピング実施例１７は、マッピング実施例１５を拡張して９ＤＬ：１ＵＬ構成を支援する。例えば、マッピング実施例１５が９ＤＬ：１ＵＬ構成にまで支援できるように表２０を拡張することができる。ここで、９ＤＬ：１ＵＬは、稀に発生する構成である。したがって、マッピング実施例１７は、９ＤＬ：１ＵＬ構成においての最適化よりは、４ＤＬ：１ＵＬまでの構成で最適化された方法であるマッピング実施例１５を９ＤＬ：１ＵＬ構成にまで拡張することに意義がある。表２０で、最初のＤＬ伝送からの連続ＡＣＫ−カウンタが５乃至９の場合はいずれも、他のＡＣＫ／ＮＡＣＫ状態と重複することになる。この場合、マッピング実施例１５のように、「ＮＡＣＫがなければ」の条件を追加することで、一つのＣＣに対する多重ＡＣＫ／ＮＡＣＫ応答を一つのＡＣＫ／ＮＡＣＫ情報により表現してもよい。表２３は、表２０を９ＤＬ：１ＵＬ構成の支援のために拡張した例を表す。
【０２３０】
表２３で、最初のＤＬ割当がＮＡＣＫである状態は、その他（ｏｔｈｅｒｗｉｓｅ）状態と同じ情報ビット００にマッピングされ、最初のＤＬ割当からＮＡＣＫが含まれるため、いずれにせよ全体再伝送が必要である。そのため、最初のＤＬ割当がＮＡＣＫである状態は、その他の状態と区別されることなく使用されてもよい。
【０２３１】
＜マッピング実施例１８＞
表２４は、９ＤＬ：１ＵＬのＡＣＫ／ＮＡＣＫフィードバックを支援可能なマッピング実施例１８に係るＡＣＫ／ＮＡＣＫ応答と（ｂ０，ｂ１）間のマッピングを例示する。
【０２３２】
【表２４】
0005985498.tif 000028
表２４は、９ＤＬ：１ＵＬのＡＣＫ／ＮＡＣＫフィードバックを支援するために表２０を拡張した他の例を表す。表２５は、表２０の例でさらに重複する状態に、すなわち、ＡＣＫ−カウンタ＝５乃至９の状態に「ＮＡＣＫ或いは紛失（／ＤＴＸ）がなければ」という条件を追加して生成されたものである。このように、紛失（或いはＤＴＸ）の条件を追加することで、他のＡＣＫ／ＮＡＣＫ状態が相互に重複する確率を下げることができる。
【０２３３】
表２４で、最初のＤＬ伝送がＮＡＣＫである状態は、その他（ｏｔｈｅｒｗｉｓｅ）状態と同じ情報ビット００にマッピングされ、最初のＤＬ伝送からＮＡＣＫが含まれるため、いずれにせよ全体再伝送が必要である。そのため、最初のＤＬ伝送がＮＡＣＫである状態は、その他の状態と区別されることなく使用されてもよい。
【０２３４】
＜マッピング実施例１９＞
表２５は、９ＤＬ：１ＵＬのＡＣＫ／ＮＡＣＫフィードバックを支援可能なマッピング実施例１９に係るＡＣＫ／ＮＡＣＫ応答と（ｂ０，ｂ１）間のマッピングを例示する。
【０２３５】
【表２５】
0005985498.tif 000029
マッピング実施例１８は、紛失（或いはＤＴＸ）に対する条件を、ＡＣＫ−カウンタが４よりも大きい場合（例えば、９ＤＬ：１ＵＬ構成）だけでなく、ＡＣＫ−カウンタが４以下（例えば、１ＤＬ：１ＵＬ、２ＤＬ：１ＵＬ、３ＤＬ：１ＵＬ、４ＤＬ：１ＵＬ）である場合にも適用して、マッピング実施例１５を拡張したものである。これに対し、マッピング実施例１９は、紛失（／ＤＴＸ）に関する条件を、ＡＣＫ−カウンタが４よりも大きい場合にのみ適用して、マッピング実施例１５を拡張したものである。
【０２３６】
表２５で、最初のＤＬ伝送がＮＡＣＫである状態は、その他（ｏｔｈｅｒｗｉｓｅ）の状態と同じ情報ビット００にマッピングされ、最初のＤＬ伝送からＮＡＣＫが含まれるため、いずれにせよ全体再伝送が必要である。そのため、最初のＤＬ伝送がＮＡＣＫである状態は、その他の状態と区別されることなく使用されてもよい。
【０２３７】
マッピング実施例１６乃至マッピング実施例１８において、ＮＡＣＫの存在有無或いはＮＡＣＫ／紛失（／ＤＴＸ）の存在有無は、重複した状態のうち、ＡＣＫの個数が大きい状態に適用される。しかし、多数のＡＣＫ／ＮＡＣＫフィードバックが必要な場合には、ＡＣＫの個数が小さい状態の発生確率が、ＡＣＫの個数が多い状態の発生確率よりも高い。例えば、（Ａ，Ａ，Ａ，Ｄ，Ｄ，Ｄ，Ｄ，Ｄ，Ｄ）のＡＣＫ／ＮＡＣＫ状態は、（０．９３）＊（０．０１６）＝７．２９００＊１０−０１３の発生確率を有し、（Ａ，Ａ，Ａ，Ａ，Ａ，Ａ，Ｄ，Ｄ，Ｄ）のＡＣＫ／ＮＡＣＫ状態は、（０．９６）＊（０．０１３）＝５．３１４４＊１０−００７の発生確率を有するのに対し、（Ａ，Ａ，Ａ，Ａ，Ａ，Ａ，Ａ，Ａ，Ａ）のＡＣＫ／ＮＡＣＫ状態は、（０．９９）＝０．３８７４の発生確率を有する。しかし、（Ａ，Ａ，Ａ，Ｎ／Ｄ，ａｎｙ，ａｎｙ，ａｎｙ，ａｎｙ，ａｎｙ）のＡＣＫ／ＮＡＣＫ状態は、（０．９３）＊（０．０９＋０．０１）＝０．０７２９の発生確率を有する。このように、（Ａ，Ａ，Ａ，Ｎ／Ｄ，ａｎｙ，ａｎｙ，ａｎｙ，ａｎｙ，ａｎｙ）の確率は、だいぶ大きい確率であるから、ＢＳが、重複したＡＣＫ／ＮＡＣＫ状態を解析する際に問題が発生することがある。
【０２３８】
この問題を解決するために、９ＤＬ：１ＵＬ構成のためのＡＣＫ／ＮＡＣＫフィードバックをさらに定義するとき、重複した状態のうち、連続ＡＣＫ−カウンタが小さい状態においてＮＡＣＫが存在するか否か、或いはＮＡＣＫ／紛失（／ＤＴＸ）が存在するか否かを検査することができる。マッピング実施例２０、２１、２２は、マッピング実施例１７、１８、１９を当該方法により変更したものである。
【０２３９】
＜マッピング実施例２０＞
表２６は、マッピング実施例２０に係るＡＣＫ／ＮＡＣＫ応答と（ｂ０，ｂ１）間のマッピングを例示する。
【０２４０】
【表２６】
0005985498.tif 000030
＜マッピング実施例２１＞
表２７は、マッピング実施例２１に係るＡＣＫ／ＮＡＣＫ応答と（ｂ０，ｂ１）間のマッピングを例示する。
【０２４１】
【表２７】
0005985498.tif 000031
＜マッピング実施例２２＞
表２８は、マッピング実施例２２に係るＡＣＫ／ＮＡＣＫ応答と（ｂ０，ｂ１）間のマッピングを例示する。
【０２４２】
【表２８】
0005985498.tif 000032
マッピング実施例２０乃至マッピング実施例２２において、大きい連続ＡＣＫ−カウンタ、例えば、７〜９にも、一律性のために、低い連続ＡＣＫ−カウンタと同様にＮＡＣＫの存在有無に関する条件或いはＮＡＣＫ／紛失（／ＤＴＸ）の存在有無に関する条件を表示した。しかし、大きい連続ＡＣＫ−カウンタ＝７、８、９では当該条件が排除されてもよい。大きい連続ＡＣＫ−カウンタ＝７、８、９では、多い個数のＡＣＫにより、ＮＡＣＫの存在有無に関する条件或いはＮＡＣＫ／紛失（／ＤＴＸ）存在の有無に関する条件の適用が、該当のＡＣＫ／ＮＡＣＫ状態の発生確率にさほど影響を及ぼさないわけである。
【０２４３】
［ＡＣＫ／ＮＡＣＫ  ｔｒａｎｓｍｉｓｓｉｏｎ  ｗｉｔｈ  ｃｈａｎｎｅｌ  ｓｅｌｅｃｔｉｏｎ］
複数のＣＣに対するＡＣＫ／ＮＡＣＫ情報が、一つのＡＣＫ／ＮＡＣＫフィードバック段階（ｉｎｓｔａｎｃｅ）に伝送される場合に、マッピング実施例１乃至マッピング実施例２２で説明した、各ＣＣのＡＣＫ／ＮＡＣＫ状態を表すｂ０ｂ１は、実際に伝送される値でないこともある。その代わりに、各ＣＣのｂ０ｂ１は、複数ＣＣに対するＡＣＫ／ＮＡＣＫ情報を伝送リソース及び伝送ビットにマッピングする時に使われる媒介情報としての役割を果たしてもよい。
【０２４４】
図３８は、ＰＵＣＣＨフォーマット１ｂを使用するチャネル選択を用いて、４ビットのＡＣＫ／ＮＡＣＫ情報を伝送する方法を例示する。
【０２４５】
マッピング実施例１乃至マッピング実施例２２において、各ＣＣ当たりＡＣＫ／ＮＡＣＫ状態はｂ０ｂ１にマッピングされ、複数のＣＣのそれぞれに対して生成されたｂ０ｂ１の組み合わせに該当するＡＣＫ／ＮＡＣＫ情報が、チャネル選択により伝送されてもよい。例えば、ＣＣ０のＡＣＫ／ＮＡＣＫ状態は０１にマッピングされ、ＣＣ１のＡＣＫ／ＮＡＣＫ状態は００にマッピングされることで、ＣＣ０及びＣＣ１のために０１００に対応するＡＣＫ／ＮＡＣＫ情報がＢＳに伝送されなければならないとしよう。このＡＣＫ／ＮＡＣＫ情報の伝送にＰＵＣＣＨフォーマット１ｂが用いられる場合、ＰＵＣＣＨフォーマット１ｂが搬送できる情報ビットは２ビットであるから、一つのＰＵＣＣＨリソースだけでは４ビットの情報０１００をＢＳに伝送することができない。したがって、実際に一つのＰＵＣＣＨリソース上で伝送されるビット数は２ビットであるが、チャネル選択を適用することによって追加２ビットをさらに表現する。例えば、一つのＰＵＣＣＨリソースが搬送できるＡＣＫ／ＮＡＣＫ伝送情報が２ビットであるとすれば、ＵＥは、４個のＰＵＣＣＨリソースのうち１個のＰＵＣＣＨリソースを選択し、該選択されたＰＵＣＣＨリソースで当該ＡＣＫ／ＮＡＣＫ伝送情報をＢＳに伝送することで、４ビットのＡＣＫ／ＮＡＣＫ情報を当該ＢＳに伝送することが可能になる。すなわち、ＡＣＫ／ＮＡＣＫ伝送情報により表現される２ビット情報、及び４個のＰＵＣＣＨリソースのうち一つのＰＵＣＣＨリソースの選択により表現される２ビットが、２個のＣＣに対するＡＣＫ／ＮＡＣＫ情報としてＢＳにフィードバックされることとなる。
【０２４６】
参考として、前述したマッピング実施例によれば、各ＣＣ上の４個のＤＬ伝送に対するＡＣＫ／ＮＡＣＫ応答が２−ビット情報ｂ０ｂ１にマッピングされる場合、複数のＡＣＫ／ＮＡＣＫ状態が同じｂ０ｂ１にマッピングされる場合が発生する。例えば、マッピング実施例１及び表５を参照すると、最後に検出されたＰＤＣＣＨのＤＡＩ＝００であるバンドルされたＡＣＫ（ＡＣＫ／ＮＡＣＫ状態１）、及び最後に検出されたＰＤＣＣＨのＤＡＩ＝１１であるバンドルされたＡＣＫ（ＡＣＫ／ＮＡＣＫ状態２）が、同一にｂ０ｂ１＝００にマッピングされる。他の例として、マッピング実施例１６及び表２２を参照すると、［Ａ，Ａ，Ａ，Ａ］順のＡＣＫ／ＮＡＣＫ／ＤＴＸ応答で構成されたＡＣＫ／ＮＡＣＫ状態１、及び［Ａ、Ｄ、Ｄ、Ｄ］順のＡＣＫ／ＮＡＣＫ／ＤＴＸ応答で構成されたＡＣＫ／ＮＡＣＫ状態２が、同一のｂ０ｂ１にマッピングされる。
【０２４７】
２個のＣＣのうら一つのＣＣの複数のＡＣＫ／ＮＡＣＫ状態が同一のｂ０ｂ１にマッピングされる場合、これら複数のＡＣＫ／ＮＡＣＫ状態と組み合わせる他のＣＣのＡＣＫ／ＮＡＣＫ状態が一定であれば、これら複数のＡＣＫ／ＮＡＣＫ状態のそれぞれと他のＣＣの一定ＡＣＫ／ＮＡＣＫ状態との組み合わせは、いずれも一つのＡＣＫ／ＮＡＣＫ情報にマッピングされる。例えば、マッピング実施例１６及び表２２を参照すると、ＣＣ０に対するＡＣＫ／ＮＡＣＫ応答が［Ａ，Ａ，Ａ，Ａ］であり、ＣＣ１のＡＣＫ／ＮＡＣＫ状態が１１、１０、０１、００、Ｎ／Ａのいずれか一つ、例えば、１１である場合、ＣＣ１のＡＣＫ／ＮＡＣＫ状態及びＣＣ２のＡＣＫ／ＮＡＣＫ状態に基づいて生成されたＡＣＫ／ＮＡＣＫ情報がＸであるとしよう。ＣＣ１のＡＣＫ／ＮＡＣＫ応答がマッピングされるｂ０ｂ１が１１である限り、ＣＣ０のＡＣＫ／ＮＡＣＫ応答が［Ａ，Ａ，Ａ，Ａ］ではなく［Ａ，Ｄ，Ｄ，Ｄ］であっても、同じＡＣＫ／ＮＡＣＫ情報Ｘが生成される。ただし、ＣＣ１のＡＣＫ／ＮＡＣＫ応答が、１１ではなく他のｂ０ｂ１にマッピングされると、ＣＣ０のＡＣＫ／ＮＡＣＫ応答シーケンスが［Ａ，Ａ，Ａ，Ａ］或いは［Ａ，Ｄ，Ｄ，Ｄ］であっても、Ｘ以外の他の値が、ＣＣ０及びＣＣ１に対するＡＣＫ／ＮＡＣＫ情報として生成されるはずである。
【０２４８】
一方、同じ情報ビットにマッピングされる一つのＣＣのＡＣＫ／ＮＡＣＫ状態と、同じ情報ビットにマッピングされる他のＣＣのＡＣＫ／ＮＡＣＫ状態との組み合わせはいずれも、同じＡＣＫ／ＮＡＣＫ情報にマッピングされる。例えば、マッピング実施例１及び表５を参照すると、バンドルされたＡＣＫ／ＮＡＣＫ応答がＡＣＫであり、且つ最後の検出されたＤＡＩが００であるＡＣＫ／ＮＡＣＫ状態（ＡＣＫ／ＮＡＣＫ状態１）と、バンドルされたＡＣＫ／ＮＡＣＫ応答がＡＣＫであり、且つ最後の検出されたＰＤＣＣＨのＤＡＩが１１であるＡＣＫ／ＮＡＣＫ状態（ＡＣＫ／ＮＡＣＫ状態２）は両方とも００にマッピングされる。そのため、（ＣＣ０＝ＡＣＫ／ＮＡＣＫ状態１、ＣＣ１＝ＡＣＫ／ＮＡＣＫ状態１）、（ＣＣ０＝ＡＣＫ／ＮＡＣＫ状態１、ＣＣ１＝ＡＣＫ／ＮＡＣＫ状態２）、（ＣＣ０＝ＡＣＫ／ＮＡＣＫ状態２、ＣＣ１＝ＡＣＫ／ＮＡＣＫ状態１）、（ＣＣ０＝ＡＣＫ／ＮＡＣＫ状態２、ＣＣ１＝ＡＣＫ／ＮＡＣＫ状態２）である、ＣＣ０のＡＣＫ／ＮＡＣＫ状態とＣＣ１のＡＣＫ／ＮＡＣＫ状態との組み合わせからは、同じＡＣＫ／ＮＡＣＫ情報（例えば、００００）が生成される。他の例として、マッピング実施例１及び表２２を参照すると、［Ａ，Ａ，Ａ，Ａ］と［Ａ，Ｄ，Ｄ，Ｄ］がいずれも、同じｂ０ｂ１にマッピングされる。そのため、（ＣＣ０のＡＣＫ／ＮＡＣＫ応答シーケンス、ＣＣ１のＡＣＫ／ＮＡＣＫ応答シーケンス）＝（［Ａ，Ａ，Ａ，Ａ］、［Ａ，Ａ，Ａ，Ａ］）、（［Ａ，Ａ，Ａ，Ａ］、［Ａ，Ｄ，Ｄ，Ｄ］）、（［Ａ，Ｄ，Ｄ，Ｄ］、［Ａ，Ａ，Ａ，Ａ］）、（［Ａ，Ｄ，Ｄ，Ｄ］、［Ａ，Ｄ，Ｄ，Ｄ］）からはいずれも、同じＡＣＫ／ＡＣＫ情報（例えば、１０１０）が生成される。
【０２４９】
このように、複数のＣＣ（例えば、２個のＣＣ）に対するＡＣＫ／ＮＡＣＫ情報を、制限された大きさの伝送ビットを用いて表すには、チャネル選択が使用されてもよい。そのために、複数のＣＣに対するＡＣＫ／ＮＡＣＫ情報、伝送リソース及び伝送ビット間のマッピング関係を定義する、マッピング表を構成することができる。
【０２５０】
例えば、下記のように、２個のＣＣに対するＡＣＫ／ＮＡＣＫ状態を表すｂ０ｂ１が下記のような形態でチャネル選択用マッピング表にマッピングされるとしよう。
【０２５１】
（１）「００」は、（主に）ＮＡＣＫを指示する状態であり、チャネル選択のためのマッピング表の「Ｎ，Ｎ」状態にマッピングされ得る。
【０２５２】
（２）「０１」は、（主に）一つのＡＣＫを指示する状態であり、チャネル選択のためのマッピング表の「Ａ，Ｎ」状態にマッピングされ得る。
【０２５３】
（３）「１０」は、（主に）２個のＡＣＫを指示する状態であり、チャネル選択のためのマッピング表の「Ｎ，Ａ」状態にマッピングされ得る。
【０２５４】
（４）「１１」は、（主に）３個のＡＣＫを指示する状態であり、チャネル選択のためのマッピング表の「Ａ，Ａ」にマッピングされ得る。
【０２５５】
参考として、上述の実施例において、Ｎ／Ａは、該当のＣＣでは伝送すべき情報がないことを意味する。マッピング実施例１乃至マッピング実施例２２では、説明の便宜のために、１個のＣＣを仮定し、該当のＣＣに対するＡＣＫ／ＮＡＣＫ状態がＮ／Ａにマッピングされる場合、該当のＣＣではＡＣＫ／ＮＡＣＫ情報が伝送されないとした。しかし、一つのＣＣに対するＡＣＫ／ＮＡＣＫ情報が、該当のＣＣではなく他のＣＣで伝送され得るように、特定状態にマッピングされてもよい。一つのＣＣに対するＡＣＫ／ＮＡＣＫがＮ／Ａ状態である場合に、すなわち、非伝送（ｎｏ  ｔｒａｎｓｍｉｓｓｉｏｎ）状態である場合に、２個のＣＣに対するＡＣＫ／ＮＡＣＫ状態は「Ｄ，Ｄ」（ＤＴＸ）状態にマッピングされてもよい。
【０２５６】
上述したマッピング実施例１乃至マッピング実施例２２で例示した表は、２個のＣＣのそれぞれのＡＣＫ／ＮＡＣＫ状態を、「Ｎ，Ｎ」、「Ａ，Ｎ」、「Ｎ，Ａ」、「Ａ，Ａ」のいずれか一つ（或いは「Ｎ，Ｎ」、「Ａ，Ｎ」、「Ｎ，Ａ」、「Ａ，Ａ」、「Ｄ，Ｄ」のいずれか一つ）にマッピングするのに用いられてもよい。例えば、表２０は、２個のＣＣに対するＡＣＫ／ＮＡＣＫ情報をチャネル選択用マッピング表にマッピングするために、下記のように用いられてもよい。
【０２５７】
【表２９】
0005985498.tif 000033
表２９（或いは表２０）を、チャネル選択のためのマッピング表に用いることができる。例えば、２個のＣＣが構成された場合、（論理的に）１番目のＣＣに対するＡＣＫ／ＮＡＣＫ応答から、表２９を用いてｂ０、ｂ１（或いはＨＡＲＱ−ＡＣＫ（０）、ＨＡＲＱ−ＡＣＫ（１））の状態が得られ、（論理的に）２番目のＣＣに対するＡＣＫ／ＮＡＣＫ応答から、表２９を用いてｂ２、ｂ３（或いはＨＡＲＱ−ＡＣＫ（２）、ＨＡＲＱ−ＡＣＫ（３））の状態が得られる。ここで、ＣＣの順序は、あらかじめ定められてもよく、ＰＣｅｌｌ及びＳＣｅｌｌを区別することによって定められてもよい。例えば、ＰＣｅｌｌに対するＡＣＫ／ＮＡＣＫ応答から、ｂ０、ｂ１（或いはＨＡＲＱ−ＡＣＫ（０）、ＨＡＲＱ−ＡＣＫ（１））が構成され、ＳＣｅｌｌに対するＡＣＫ／ＮＡＣＫ応答からｂ２、ｂ３（或いはＨＡＲＱ−ＡＣＫ（２）、ＨＡＲＱ−ＡＣＫ（３））が構成されてもよい。その後、ｂ０、ｂ１、ｂ２、ｂ３（或いはＨＡＲＱ−ＡＣＫ（０）、ＨＡＲＱ−ＡＣＫ（１）、ＨＡＲＱ−ＡＣＫ（２）、ＨＡＲＱ−ＡＣＫ（３））が４−ビット伝送のためのチャネル選択用マッピング表を用いて伝送されればよい。マッピング実施例１乃至マッピング実施例２２で説明した通り、表２９は、一つのＡＣＫ／ＮＡＣＫフィードバックのための４ＤＬ：１ＵＬ構成でのみ用いられてもよく、３ＤＬ：１ＵＬ構成などの他の構成でも同一に用いられてもよい。
【０２５８】
例えば、表３０又は表３１をチャネル選択用マッピング表として用いることができる。表３０及び表３１は、チャネル選択のためのマッピング表をそれぞれ例示したものである。特に、表３０は、１−ビット伝送から２−ビット、３−ビット、４−ビットまでの伝送に使用可能なチャネル選択用マッピング表を例示し、表３１は、１−ビット伝送から２−ビット、３−ビット、４−ビットまでの伝送に使用可能な汎用のチャネル選択用マッピング表を例示する。
【０２５９】
【表３０】
0005985498.tif 000034
【０２６０】
【表３１】
0005985498.tif 000035
表３０及び表３１で、ｎ（１）ＰＵＣＣＨｉは、チャネル選択に使用可能なＰＵＣＣＨリソースのうち、ｉ番目のＰＵＣＣＨリソースに該当するＰＵＣＣＨリソースｉを表す。４個のＰＵＣＣＨリソースがチャネル選択に使用される場合に、ｉ＝０，１，２，３になる。表３１で、ｎ（ｐ）ＰＵＣＣＨｉ＝ＤＴＸは、Ｎ／Ａ（伝送しない）を意味する。一方、（ａ０，ａ１）は、一つのＰＵＣＣＨリソースで伝送される２−ビットの伝送情報であり、２−ビット情報は、ＱＰＳＫ変調を経て４個の複素変調シンボル１，−１，ｊ，−ｊのいずれか一つに変調される。すなわち、（ａ０，ａ１）は、２−ビットの伝送ビット或いはコンステレーションシンボル（ｃｏｎｓｔｅｌｌａｔｉｏｎ）を表す。複素変調シンボル１，−１，ｊ，−ｊは、伝送ビット（ａ０，ａ１）の信号コンステレーション上の位置を表す。例えば、表３２によって２ビット伝送情報（ａ０，ａ１）が複素変調シンボルに変調され、一つのＰＵＣＣＨリソース上で伝送される。
【０２６１】
【表３２】
0005985498.tif 000036
以下では、本発明のマッピング実施例のマッピング関係を用いて、２個のＣＣに対するＡＣＫ／ＮＡＣＫ情報をチャネル選択を用いて伝送する方法についてより具体的に説明する。マッピング実施例のうちマッピング実施例１６を用い、チャネル選択を用いて２個のＣＣに対するＡＣＫ／ＮＡＣＫ情報がＵＥからＢＳに伝送される方法を説明するが、他のマッピング実施例に、以下に説明する方法が同様に適用されてもよい。
【０２６２】
表２０、又は表２０を変形した表２１に基づいて構成された表２２を参照すると、２個のＣＣに対して生成可能なＡＣＫ／ＮＡＣＫ状態の組み合わせは、下記のように総３６個となる。
【０２６３】
【表３３−１】
0005985498.tif 000037
【０２６４】
【表３３−２】
0005985498.tif 000038
表３３で、（Ｎ，Ｎ）、（Ａ，Ｎ）、（Ｎ，Ａ）、（Ａ，Ａ）、（Ｄ，Ｄ）は、上に言及した規則に基づいて、ＣＣのＡＣＫ／ＮＡＣＫ状態「００」、「０１」、「１０」、「１１」、「Ｎ／Ａ」からそれぞれ誘導されたものである。表３１でＭ＝４の場合のマッピング関係に基づいて、表３３の（ｂ０，ｂ１，ｂ２，ｂ３）、ＰＵＣＣＨリソース及び変調シンボル間のマッピング関係を、下記のように表現することができる。
【０２６５】
【表３４−１】
0005985498.tif 000039
【０２６６】
【表３４−２】
0005985498.tif 000040
表３３及び表３４で、「Ａ」はＡＣＫ応答を意味し、「Ｎ」はＮＡＣＫ応答を意味し、「Ｎ／Ｄ」はＮＡＣＫ／ＤＴＸ応答を意味し、「Ｄ」はＤＴＸ応答を意味する。「ａｎｙ」は任意の応答を意味する。［Ａ，Ａ，Ａ，Ａ］、［Ａ，Ａ，Ａ，Ｎ／Ｄ］、［Ａ，Ａ，Ｎ／Ｄ，ａｎｙ］、［Ａ，Ｄ，Ｄ，Ｄ］、［Ｄ，ａｎｙ，ａｎｙ，ａｎｙ］以外のＡＣＫ／ＮＡＣＫシーケンスは、「Ｏｔｈｅｒｗｉｓｅ」に属すればよい。
【０２６７】
表３４で、（ａ０，ａ１）値は、信号コンステレーションの変調シンボル（コンステレーションシンボル（ｃｏｎｓｔｅｌｌａｔｉｏｎ）ともいう。）と２進ビット間のマッピング関係を示した表３２から誘導されたものである。
【０２６８】
表３４を参照すると、（ｂ０，ｂ１，ｂ２，ｂ３）が同一であれば、同一の複素変調シンボルに変調され、同一のＰＵＣＣＨリソースを用いて伝送されることがわかる。すなわち、（ｂ０，ｂ１，ｂ２，ｂ３）が同一であれば、フィードバックされるＡＣＫ／ＮＡＣＫ情報が同一であることがわかる。例えば、表３４で、１、４、１９、２２は、各ＣＣのＡＣＫ／ＮＡＣＫ応答シーケンスが異なっているが、場合１、４、１９、２２を表すＡＣＫ／ＮＡＣＫ情報はいずれも、伝送ビット（１，０）の形態で、ＰＵＣＣＨリソースインデックスがｎ（１）ＰＵＣＣＨ２のＰＵＣＣＨリソースを用いて伝送される。
【０２６９】
図３９は、表３４の一部を示すものである。図３９は、特に、表３４に挙げられたケースのうち、ＣＣのいずれか一つのＡＣＫ／ＮＡＣＫ状態が［Ａ，Ａ，Ａ，Ａ］或いは［Ａ，Ｄ，Ｄ，Ｄ］に該当するケースの一部を表すものである。
【０２７０】
図３９を参照すると、第１のＣＣ（或いは第２のＣＣ）のＡＣＫ／ＮＡＣＫ状態が同一であれば、残りＣＣのＡＣＫ／ＮＡＣＫ状態［Ａ，Ａ，Ａ，Ａ］と［Ａ，Ｄ，Ｄ，Ｄ」は、同じＰＵＣＣＨリソース内の同じ情報ビット或いは同じ信号コンステレーションの変調シンボルにマッピングされ、同じＡＣＫ／ＮＡＣＫ情報を表すことがわかる。例えば、ケース７で、第１のＣＣに対するＡＣＫ／ＮＡＣＫ応答は［Ａ，Ａ，Ａ，Ｎ／Ｄ］の順であり、第２のＣＣに対するＡＣＫ／ＮＡＣＫ応答は［Ａ，Ａ，Ａ，Ａ］の順である。ケース１０で、第１のＣＣに対するＡＣＫ／ＮＡＣＫ応答は［Ａ，Ａ，Ａ，Ｎ／Ｄ］の順であってケース７と同一であるが、第２のＣＣに対するＡＣＫ／ＮＡＣＫ応答は、［Ａ，Ｄ，Ｄ，Ｄ］の順であってケース７と異なる。しかし、本発明のマッピング実施例は、同じ情報ビット（ｂ０，ｂ１）にマッピングされるＡＣＫ／ＮＡＣＫ状態は同一なものとして取扱う。マッピング実施例１６によれば、［Ａ，Ａ，Ａ，Ａ］と［Ａ，Ｄ，Ｄ，Ｄ」は同じ情報ビットにマッピングされる。したがって、第１のＣＣに対するＡＣＫ／ＮＡＣＫ応答のシーケンスが同一であれば、第２のＣＣに対するＡＣＫ／ＮＡＣＫシーケンス［Ａ，Ａ，Ａ，Ａ］と［Ａ，Ｄ，Ｄ，Ｄ」は、同じＰＵＣＣＨリソース上の同一の伝送情報（ａ０，ａ１）にマッピングされ、同じＡＣＫ／ＮＡＣＫ情報値を有する。図３９を参照すると、ケース７及びケース１０は両方も、同じＰＵＣＣＨリソース（ｎ（１）ＰＵＣＣＨ２）上の（ａ０，ａ１）＝（１，１）にマッピングされることで、ＢＳに伝送されるＡＣＫ／ＮＡＣＫ情報が同一になる。他の例として、ケース３及びケース２１で、第１のＣＣに対するＡＣＫ／ＮＡＣＫシーケンス［Ａ，Ａ，Ａ，Ａ］と［Ａ，Ｄ，Ｄ，Ｄ」は、第２のＣＣに対するＡＣＫ／ＮＡＣＫシーケンスが両方とも［Ａ，Ａ，Ｎ／Ｄ，ａｎｙ］と、同一であるため、いずれも、同じＰＵＣＣＨリソース（ｎ（１）ＰＵＣＣＨ２）上の同じ伝送情報（ａ０，ａ１）＝（１，０）にマッピングされることで、ＢＳに伝送されるＡＣＫ／ＮＡＣＫ情報が同一となる。
【０２７１】
２個のＣＣのうちいずれか一ＣＣに対するＡＣＫ／ＮＡＣＫシーケンスが同一であれば、該一ＣＣのＡＣＫ／ＮＡＣＫシーケンス及び残りＣＣのＡＣＫ／ＮＡＣＫシーケンス［Ａ，Ａ，Ａ，Ａ］に基づいてＢＳにフィードバックされるＡＣＫ／ＮＡＣＫ情報は、該一ＣＣのＡＣＫ／ＮＡＣＫシーケンス及び残りＣＣのＡＣＫ／ＮＡＣＫシーケンス［Ａ，Ｄ，Ｄ，Ｄ］に基づいてＢＳにフィードバックされるＡＣＫ／ＮＡＣＫ情報と同一でなければならない。例えば、ケース７及びケース１０を参照すると、第１のＣＣのＡＣＫ／ＮＡＣＫシーケンス［Ａ，Ａ，Ａ，Ｎ／Ｄ］及び第２のＣＣのＡＣＫ／ＮＡＣＫシーケンス［Ａ，Ａ，Ａ，Ａ］に対応するＡＣＫ／ＮＡＣＫ情報と、第１のＣＣのＡＣＫ／ＮＡＣＫシーケンス［Ａ，Ａ，Ａ，Ｎ／Ｄ］及び第２のＣＣのＡＣＫ／ＮＡＣＫシーケンス［Ａ，Ａ，Ａ，Ａ］に対応するＡＣＫ／ＮＡＣＫ情報とは同一であるため、ケース７のＡＣＫ／ＮＡＣＫ情報とケース１０は、同じ（ａ０，ａ１）にマッピングされるだけでなく、同じＰＵＣＣＨリソースを用いて伝送され、同じＡＣＫ／ＮＡＣＫ情報がＢＳに伝送されることがわかる。
【０２７２】
一方、２個のＣＣのうちいずれか一ＣＣに対するＡＣＫ／ＮＡＣＫシーケンスが［Ａ，Ａ，Ａ，Ａ］或いは［Ａ，Ｄ，Ｄ，Ｄ］であり、残りＣＣに対するＡＣＫ／ＮＡＣＫシーケンスが［Ａ，Ａ，Ａ，Ａ］或いは［Ａ，Ｄ，Ｄ，Ｄ］であるとしよう。この場合、可能なＡＣＫ／ＮＡＣＫシーケンスの組み合わせは総４個であり、これら４個の組み合わせはいずれも、同じＰＵＣＣＨリソース上の同じ伝送ビット（ａ０，ａ１）にマッピングされることで、これら４個の組み合わせらに対して、同じＡＣＫ／ＮＡＣＫ情報がＢＳに伝送される。本発明の一実施例によれば、［Ａ，Ａ，Ａ，Ａ］と［Ａ，Ｄ，Ｄ，Ｄ」が同等な状態として取り扱われるわけである。したがって、図３９を参照すると、ケース１、ケース２、ケース１９、ケース２２に基づくＡＣＫ／ＮＡＣＫ情報はいずれも同一になる。ケース１、ケース２、ケース１９、ケース２２に該当するＡＣＫ／ＮＡＣＫ情報はいずれも、同じ（ａ０，ａ１）（例えば、１０）に変調されてＢＳに伝送される。なお、ケース１、ケース２、ケース１９、ケース２２に該当するＡＣＫ／ＮＡＣＫ情報がいずれも同一であるため、同じＰＵＣＣＨリソース（例えば、ｎ（１）ＰＵＣＣＨ２に該当するＰＵＣＣＨリソース）上で伝送される。
【０２７３】
チャネル選択に用いられるマッピング表は、ＢＳとＵＥにあらかじめ定義されている。チャネル選択を用いたＡＣＫ／ＮＡＣＫ伝送の場合、ＡＣＫ／ＮＡＣＫ情報は、ＰＵＣＣＨリソースの選択＋ＰＵＣＣＨリソースが運ぶ伝送ビット或いは信号コンステレーションの変調シンボルにより特定される。したがって、ＢＳは、ＵＥから受信したＰＵＣＣＨ及び該ＰＵＣＣＨが運ぶＡＣＫ／ＮＡＣＫ伝送情報に基づいて、該ＵＥが伝送しようとしたＡＣＫ／ＮＡＣＫ情報がわかる。例えば、図３９を参照すると、ＢＳがｎ（１）ＰＵＣＣＨ０に該当するＰＵＣＣＨリソース上で（ａ０，ａ１）＝（０，１）を受信した場合、該ＢＳは、自身に保存されているマッピングテーブルに基づいて、ＵＥがフィードバックしたＡＣＫ／ＮＡＣＫ情報がケース３及びケース２１のいずれか一方てあることがわかる。すなわち、ＢＳは、ｎ（１）ＰＵＣＣＨ０に該当するＰＵＣＣＨリソース上で受信した（ａ０，ａ１）＝（０，１）に基づいて、ＵＥが第１のＣＣ上で［Ａ，Ａ，Ａ，Ａ］或いは［Ａ，Ｄ，Ｄ，Ｄ］のＡＣＫ／ＮＡＣＫ応答を検出し、且つ第２のＣＣ上で［Ａ，Ａ，Ｎ／Ｄ，ａｎｙ］のＡＣＫ／ＮＡＣＫ応答を検出したと判断できる。このとき、ＢＳが第１のＣＣを通じて４個のサブフレームの全てでＤＬ伝送を行った場合、ＢＳは、［Ａ，Ｄ，Ｄ，Ｄ］の発生確率が非常に低いから、第１のＣＣに対するＡＣＫ／ＮＡＣＫフィードバックを［Ａ，Ａ，Ａ，Ａ］と解析することが可能である。また、ＢＳが第１のＣＣを通じて前の３サブフレームでのみＤＬ伝送を行った場合、ＢＳは、［Ａ，Ａ，Ａ，Ａ］のＡＣＫ／ＮＡＣＫフィードバックは可能でないと見なし、ＵＥが第１のＣＣで［Ａ，Ｄ，Ｄ，Ｄ］のＡＣＫ／ＮＡＣＫ応答を検出したと解析することができる。
【０２７４】
他の例として、図３９を参照すると、ＢＳがｎ（１）ＰＵＣＣＨ０に該当するＰＵＣＣＨリソース上で（ａ０，ａ１）＝（１，０）を受信した場合、ＢＳは、ＵＥが第１のＣＣ及び第２のＣＣで検出したＡＣＫ／ＮＡＣＫ応答がケース１、４、１９、２２のいずれか一方であると判断できる。
【０２７５】
ＢＳは、ＵＥから受信したＡＣＫ／ＮＡＣＫ情報に基づいて第１のＣＣ及び／又は第２のＣＣを通じて伝送されたＤＬ伝送の再伝送を決定することができる。例えば、ＢＳが第２のＣＣ上で４個のＰＤＣＣＨ及び／又はＳＰＳ  ＰＤＳＣＨを伝送した場合、ＢＳが［Ａ，Ｄ，Ｄ，Ｄ］に該当するＡＣＫ／ＮＡＣＫ情報を受信すると、該ＢＳは、ＡＣＫに該当する最初のＤＬ伝送以外の残りＤＬ伝送をＵＥに再伝送することができる。ただし、ＤＴＸと判断されたＤＬ伝送については、ＢＳが実際に伝送したが、ＵＥに到達しなかったものである場合もあり、ＢＳが初めからＵＥに割り当てなかったものである場合もある。そのため、ＤＴＸに該当するとしても、ＢＳがＵＥに初めからスケジューリングしなかったＰＤＣＣＨ及び／又はＳＰＳ  ＰＤＳＣＨは、再伝送されない。
【０２７６】
図３９のケースによれば、ＣＣのＡＣＫ／ＮＡＣＫ状態は［Ａ，Ａ，Ａ，Ａ］である場合も、［Ａ，Ｄ，Ｄ，Ｄ］である場合もある。この場合、ＢＳは、該当のＣＣのＡＣＫ／ＮＡＣＫ状態が［Ａ，Ａ，Ａ，Ａ］であると判断し、該当のＣＣ上で伝送されたＤＬ伝送に対する再伝送を行わなくて済む。マッピング実施例１６で説明した通り、［Ａ，Ｄ，Ｄ，Ｄ］の発生確率が顕著に低いわけである。
【０２７７】
ＢＳプロセッサ４００ｂは、ＵＥのために一つ以上のＣＣを構成し、該一つ以上のＣＣにＵＥのためのＤＬ伝送（ＰＤＣＣＨ及び／又はＳＰＳ  ＰＤＳＣＨなど）を伝送／割当することができる。ＢＳプロセッサ４００ｂは、各ＣＣを通じてそのＣＣに割り当てられたＤＬ伝送を伝送するようにＢＳ送信器１００ｂを制御する。
【０２７８】
ＵＥ受信器３００ａは、ＢＳから一つ以上のＤＬ  ＣＣの割り当てを受け、該一つ以上のＤＬ  ＣＣを通じてＰＤＣＣＨ及び／又はＳＰＳ  ＰＤＳＣＨなどのＤＬ伝送を受信する。ＵＥ受信器３００ａは、ＤＬ  ＣＣを受信或いは検出することができる。
【０２７９】
本発明の一実施例によって構成されたＵＥプロセッサ４００ａは、一つのＡＣＫ／ＮＡＣＫフィードバックとして共に伝送されるべき、各ＣＣ上の一つ以上のＤＬ伝送に対してＡＣＫ／ＮＡＣＫ応答を検出することができる。例えば、各ＣＣで伝送された４個のＤＬ伝送に対するＡＣＫ／ＮＡＣＫ応答が一つのＡＣＫ／ＮＡＣＫフィードバックの形態で共に伝送されなければならない場合、ＵＥプロセッサ４００ａは、それら４個のＤＬ伝送のそれぞれに対するＡＣＫ／ＮＡＣＫ応答を各ＣＣ上で検出するようにＵＥ受信器３００ａを制御することができる。
【０２８０】
ＵＥプロセッサ４００ａは、各ＣＣで検出されたＡＣＫ／ＮＡＣＫ応答を用いて、一つ以上のＣＣに対するＡＣＫ／ＮＡＣＫ情報を、一つのＡＣＫ／ＮＡＣＫフィードバックとしてＢＳに伝送するようにＵＥ送信器１００ａを制御することができる。例えば、２個のＣＣがＵＥのために構成された場合、２個のＣＣのそれぞれで検出されたＡＣＫ／ＮＡＣＫ応答を一つのＡＣＫ／ＮＡＣＫ情報として構成し、該ＡＣＫ／ＮＡＣＫ情報をＢＳに一つのＵＬ伝送タイミングに伝送することができる。ＵＥプロセッサ４００ａは、［Ａ，Ａ，Ａ，Ａ］の順に検出されたＡＣＫ／ＮＡＣＫ応答と［Ａ，Ｄ，Ｄ，Ｄ］の順に検出されたＡＣＫ／ＮＡＣＫ応答とを同一に取り扱うことができる。すなわち、他のＣＣのＡＣＫ／ＮＡＣＫ応答が同一であれば、一つのＣＣのＡＣＫ／ＮＡＣＫ状態が［Ａ，Ａ，Ａ，Ａ］であるか［Ａ，Ｄ，Ｄ，Ｄ］であるかは、ＢＳにフィードバックされるＡＣＫ／ＮＡＣＫ情報の構成に影響を及ぼさない。例えば、表３４或いは図３９を参照すると、ケース３及びケース２１、或いはケース１３及びケース１６のように、一つのＣＣに対するＡＣＫ／ＮＡＣＫシーケンスが同一であれば、他のＣＣに対するＡＣＫ／ＮＡＣＫシーケンス［Ａ，Ａ，Ａ，Ａ］と［Ａ，Ｄ，Ｄ，Ｄ」は、同じ伝送ビットにマッピングされ、該伝送ビットは該当の複素変調シンボルに変調されて同じＰＵＣＣＨリソース上でＢＳに伝送される。
【０２８１】
ＵＥプロセッサ４００ａは、チャネル選択のためのマッピングテーブルを用いて、複数のＣＣに対するＡＣＫ／ＮＡＣＫ情報のためのＰＵＣＣＨリソースを選択し、伝送情報（ａ０，ａ１）を生成することができる。ＵＥプロセッサ４００ａは、選択されたＰＵＣＣＨリソース上で当該生成された伝送情報（ａ０，ａ１）を伝送するようにＵＥ送信器１００ａを制御することができる。ＵＥプロセッサ４００ａは、この伝送情報（ａ０，ａ１）をＱＰＳＫ変調を用いて複素変調シンボルに変調するように変調マッパー３０５を制御することができる。ＵＥ送信器１００ａは、ＵＥプロセッサ４００ａの制御下に複素変調シンボルを当該選択されたＰＵＣＣＨリソース上で伝送する。
【０２８２】
ＢＳプロセッサ４００ｂは、一つのＡＣＫ／ＮＡＣＫフィードバックの対象となる下りリンクサブフレームを知っており、ＵＥがどの上りリンクサブフレームで当該下りリンクサブフレームに対するＡＣＫ／ＮＡＣＫ情報を伝送するかを知っている。そのため、ＢＳプロセッサ４００ｂは、ＢＳ受信器３００ｂを制御して、上記上りリンクサブフレームで、ＵＥがＡＣＫ／ＮＡＣＫ情報の伝送のために使用可能な複数のＰＵＣＣＨリソースをモニターすることができる。ＢＳ受信器３００ｂは、これら複数のＰＵＣＣＨリソースの一つで当該ＵＥが伝送したＡＣＫ／ＮＡＣＫ情報を受信することができる。
【０２８３】
ＢＳプロセッサ４００ｂは、ＵＥのＡＣＫ／ＮＡＣＫ情報がフィードバックされたＰＵＣＣＨリソース、及び該ＰＵＣＣＨリソース上で伝送された（ａ０，ａ１）の値から、ＵＥに下りリンクサブフレームで一つ以上のＣＣ、例えば、２個のＣＣを通じて伝送したＤＬ伝送が、そのＵＥで成功的に受信されたか否かが判断できる。ＢＳプロセッサ４００ｂは、ＵＥから受信したＡＣＫ／ＮＡＣＫ情報に基づいて、本発明の実施例の一つによってＣＣ別ＡＣＫ／ＮＡＣＫ状態を決定することができる。２個のＣＣに対するＡＣＫ／ＮＡＣＫ情報がチャネル選択を用いてＢＳに伝送された場合を挙げると、ＢＳプロセッサ４００ｂは、ＵＥのＡＣＫ／ＮＡＣＫフィードバックに用いられたＰＵＣＣＨリソース、及びＰＵＣＣＨリソースが運ぶ伝送情報を用いて、該ＵＥが伝送したＡＣＫ／ＮＡＣＫ情報を決定することができる。ＢＳプロセッサ４００ｂは、チャネル選択用マッピングテーブルを用いて、ＵＥが伝送したＡＣＫ／ＮＡＣＫ情報に対応する各ＣＣのＡＣＫ／ＮＡＣＫ状態を決定することができる。例えば、表３４又は図３９を参照すると、ＢＳプロセッサ４００ｂは、ＵＥ受信器３００ａがｎ（１）ＰＵＣＣＨ０、ｎ（１）ＰＵＣＣＨ１、ｎ（１）ＰＵＣＣＨ２、ｎ（１）ＰＵＣＣＨ３のうちｎ（１）ＰＵＣＣＨ０のＰＵＣＣＨリソースにおいて（ａ０，ａ１）＝（１，０）である伝送情報から、２個のＣＣのＡＣＫ／ＮＡＣＫ情報がケース１、４、１９、２２のいずれか一つであるということがわかる。
【０２８４】
ＢＳプロセッサ４００ｂは、ＵＥにより成功的に受信されなかったＤＬ伝送に対する再伝送を行うようにＢＳ送信器１００ｂを制御することができる。また、ＢＳプロセッサ４００ｂは、ＵＥにより成功的に受信されたＤＬ伝送に対しては再伝送を行う代わりに、新しいＤＬ伝送を割り当て、ＢＳ送信器１００ｂを制御して新しいＤＬ伝送を該ＵＥに伝送することができる。ＢＳプロセッサ４００ｂは、ＣＣのＡＣＫ／ＮＡＣＫ状態が［Ａ，Ａ，Ａ，Ａ］である可能性もあり、［Ａ，Ｄ，Ｄ，Ｄ］である可能性もあり、且つＢＳが当該ＣＣを通じてＤＬ伝送を行ったサブフレームが４個である場合には、該ＣＣのＡＣＫ／ＮＡＣＫ状態が［Ａ，Ａ，Ａ，Ａ］であると見なし、該ＣＣに新しいＤＬ伝送を割り当てることができる。例えば、表３４或いは図３９を参照すると、ＢＳ受信器３００ｂがｎ（１）ＰＵＣＣＨ３のＰＵＣＣＨリソース上で（ａ０，ａ１）＝（１，１）である伝送情報を受信し、且つＢＳが該ＣＣを通じてＤＬ伝送を行ったサブフレームが４個である場合に、ＢＳプロセッサ４００ｂは、第１のＣＣのＡＣＫ／ＮＡＣＫ応答を［Ａ，Ａ，Ａ，Ａ］、第２のＣＣのＡＣＫ／ＮＡＣＫ応答を［Ａ，Ａ，Ａ，Ｎ／Ｄ］と決定することができる。ＢＳプロセッサ４００ｂは、第２のＣＣ上の１番目乃至３番目のＤＬ伝送に該当するパケットを空けるようにＢＳメモリー２００ｂを制御し、第２のＣＣに一つ以上のＤＬ伝送を新しく割り当てることができる。ＢＳプロセッサ４００ｂは、４番目に伝送したＤＬ伝送を再伝送するようにＢＳ送信器１００ｂを制御することができる。ＢＳプロセッサ４００ｂは、第１のＣＣ上で伝送したＤＬ伝送を空けるようにＢＳメモリー２００ｂを制御し、第１のＣＣ上に新しいＤＬ伝送を割り当てることができる。
【０２８５】
ＢＳ送信器１００ｂがＣＣを通じて、一つのＡＣＫ／ＮＡＣＫフィードバックのための複数のＤＬサブフレームのうち、時間領域で先頭３個以下のサブフレームのみでＤＬ伝送を行い（或いは、一つのＡＣＫ／ＮＡＣＫフィードバックのための複数のＤＬサブフレームのうち、時間領域で最後のサブフレーム以外のＤＬサブフレームでＤＬ伝送を行い）、且つＣＣのＡＣＫ／ＮＡＣＫ状態が［Ａ，Ａ，Ａ，Ａ］である可能性もあり、［Ａ，Ｄ，Ｄ，Ｄ］の可能性もある場合に、ＢＳプロセッサ４００ｂは、ＣＣのＡＣＫ／ＮＡＣＫ状態が［Ａ，Ａ，Ａ，Ａ］である場合は発生しないので、［Ａ，Ｄ，Ｄ，Ｄ］と見なし、ＤＬ伝送の有無によって、該ＣＣに再伝送或いは新しいＤＬ伝送を割り当てることができる。例えば、表３４或いは図３９を参照すると、ＢＳ受信器３００ｂがｎ（１）ＰＵＣＣＨ３のＰＵＣＣＨリソース上で（ａ０，ａ１）＝（１，１）であるＡＣＫ／ＮＡＣＫ情報を受信したが、ＢＳ送信器１００ｂが第１のＣＣを通じてＤＬ伝送を行ったサブフレームが、一つのＡＣＫ／ＮＡＣＫフィードバックのためのサブフレームのうち最後のサブフレームを含まない場合に、第１のＣＣのＡＣＫ／ＮＡＣＫ応答が［Ａ，Ａ，Ａ，Ａ］である場合は発生しないので、ＢＳプロセッサ４００ｂは、第１のＣＣに対するＡＣＫ／ＮＡＣＫ応答は［Ａ，Ｄ，Ｄ，Ｄ］を表すと見なし、第２のＣＣに対するＡＣＫ／ＮＡＣＫ応答を［Ａ，Ａ，Ａ，Ｎ／Ｄ］と決定することができる。ＢＳプロセッサ４００ｂは、第１のＣＣ上のＤＬ伝送の有無によって、第１のＣＣに再伝送或いは新しいＤＬ伝送を割り当てることができる。ＢＳプロセッサ４００ｂは、第２のＣＣ上の１番目乃至３番目のＤＬ伝送に該当するパケットを空けるようにＢＳメモリー２００ｂを制御し、第２のＣＣに一つ以上のＤＬ伝送を新しく割り当てることができる。ＢＳプロセッサ４００ｂは、４番目に伝送したＤＬ伝送を再伝送するようにＢＳ送信器１００ｂを制御することができる。
【０２８６】
上述の実施例において、複数のＣＣのうち一つはＰＣＣで、残りはＳＣＣであばよい。２個のＣＣが構成された場合、一つはＰＣＣであり、残り一つはＳＣＣでよい。表３４で、第１のＣＣはＰＣＣであり、第２のＣＣはＳＣＣでよい。また、ここで、ＰＣＣ及びＳＣＣは、ＰＣｅｌｌ及びＳＣｅｌｌをそれぞれ表すように変換して用いられてもよい。
【０２８７】
上述の実施例において、チャネル選択に用いられる複数のＰＵＣＣＨリソースは、関連しているＰＤＣＣＨ伝送に用いられたリソースに基づいて（例えば、ｎＣＣＥに基づいて）一定の規則により暗黙的に決定されてもよく、ＢＳの上位レイヤーにより決定されてＵＥにシグナリングされる値であってもよい。或いは、ＰＤＣＣＨ伝送に用いられたリソース、及びＢＳが上位レイヤーシグナリングによってＵＥに提供した値に基づいて、所定の規則に従って決定される値であってもよい。いずれの場合にも、ＢＳとＵＥは、ＵＥがＡＣＫ／ＮＡＣＫフィードバックに使用可能なＰＵＣＣＨリソースを知っているので、ＢＳは、当該ＰＵＣＣＨリソースをモニターでき、ＵＥがＡＣＫ／ＮＡＣＫ情報の伝送に使用したＰＵＣＣＨリソースが複数のＰＵＣＣＨリソースのいずれかであるかに基づいて追加ビット情報を知ることができる。
【０２８８】
以上開示された本発明の好ましい実施例についての詳細な説明は、当業者が本発明を具現して実施できるように提供された。以上では本発明の好適な実施例を参照して説明したが、当該技術の分野における熟練した当業者には、本発明の領域から逸脱しない範囲内で本発明を様々に修正及び変更できるということが理解されるであろう。したがって、本発明は、ここに開示されている実施形態に制限されるものではなく、ここに開示されている原理及び新規な特徴と一致する最も広い範囲を与えるためのものである。
本願明細書は、例えば、以下の項目も提供する。
（項目１）
無線通信システムにおいてユーザー機器が基地局に上りリンク（ＵＬ）制御情報を伝送する方法であって、
第１の搬送波上の４個の下りリンク（ＤＬ）伝送のそれぞれに対する４個の第１のＡＣＫ（ＡＣＫｎｏｗｌｅｄｇｅｍｅｎｔ）／ＮＡＣＫ（Ｎｅｇａｔｉｖｅ  ＡＣＫ）／ＤＴＸ（Ｄｉｓｃｏｎｔｉｎｕｏｕｓ  Ｔｒａｎｓｍｉｓｓｉｏｎ）応答［ｘ（０），ｘ（１），ｘ（２），ｘ（３）］（ここで、ｘ（ｉ）（０≦ｉ≦３）は、前記第１の搬送波上のｉ番目のＤＬ伝送に対するＡＣＫ／ＮＡＣＫ／ＤＴＸ応答）を検出することと、
第２の搬送波上の４個のＤＬ伝送のそれぞれに対する４個の第２のＡＣＫ／ＮＡＣＫ／ＤＴＸ応答［ｙ（０），ｙ（１），ｙ（２），ｙ（３）］（ここで、ｙ（ｉ）（０≦ｉ≦３）は、前記第２の搬送波上のｉ番目のＤＬ伝送に対するＡＣＫ／ＮＡＣＫ／ＤＴＸ応答）を検出することと、
［ｘ（０），ｘ（１），ｘ（２），ｘ（３）］及び［ｙ（０），ｙ（１），ｙ（２），ｙ（３）］に基づいて、複数の物理上りリンク制御チャネル（ｐｈｙｓｉｃａｌ  ｕｐｌｉｎｋ  ｃｏｎｔｒｏｌ  ｃｈａｎｎｅｌ、ＰＵＣＣＨ）リソースのうち一つを選択し、前記伝送ビットを生成してチャネル選択を行うことと、
前記選択されたＰＵＣＣＨリソース上で前記生成された伝送ビットを伝送することと、を具備し、
［ｙ（０），ｙ（１），ｙ（２），ｙ（３）］が同一であれば、［ｘ（０），ｘ（１），ｘ（２），ｘ（３）］＝［ＡＣＫ，ＡＣＫ，ＡＣＫ，ＡＣＫ］及び［ｘ（０），ｘ（１），ｘ（２），ｘ（３）］＝［ＡＣＫ，ＤＴＸ，ＤＴＸ，ＤＴＸ］に対して同じ伝送ビットが生成される、上りリンク制御情報伝送方法。
（項目２）
前記［ｙ（０），ｙ（１），ｙ（２），ｙ（３）］が同一であれば、［ｘ（０），ｘ（１），ｘ（２），ｘ（３）］＝［ＡＣＫ，ＡＣＫ，ＡＣＫ，ＡＣＫ］及び［ｘ（０），ｘ（１），ｘ（２），ｘ（３）］＝［ＡＣＫ，ＤＴＸ，ＤＴＸ，ＤＴＸ］に対して同じＰＵＣＣＨリソースが選択される、項目１に記載の上りリンク制御情報伝送方法。
（項目３）
下記のケースに対して同じ伝送ビットが生成される、項目２に記載の上りリンク制御情報伝送方法。
【表３５】
0005985498.tif 000041
（項目４）
前記ケース１〜４に対して同じＰＵＣＣＨリソースが選択される、項目３に記載の上りリンク制御情報伝送方法。
（項目５）
前記第１の搬送波及び前記第２の搬送波のいずれか一つは主セル（Ｐｒｉｍａｒｙ  Ｃｅｌｌ）に該当し、残りの搬送波は副セル（Ｓｅｃｏｎｄａｒｙ  Ｃｅｌｌ）に該当する、項目１乃至４のいずれか１項に記載の上りリンク制御情報伝送方法。
（項目６）
前記チャネル選択は、マッピングテーブルによって行われ、該マッピングテーブルは、下記表のマッピング関係を含み、
【表３６】
0005985498.tif 000042
ここで、ｎ（１）ＰＵＣＣＨｉは、前記複数のＰＵＣＣＨリソースのうち、ＰＵＣＣＨリソースｉ（０≦ｉ≦３）を意味し、ａ０，ａ１は、伝送ビット或いはコンステレーションシンボル（ｃｏｎｓｔｅｌｌａｔｉｏｎ）を意味する、項目５に記載の上りリンク制御情報伝送方法。
（項目７）
無線通信システムにおいて基地局がユーザー機器から上りリンク（ＵＬ）制御情報を受信する方法であって、
前記ユーザー機器に第１の搬送波及び第２の搬送波を伝送することと、
前記ユーザー機器から複数の物理上りリンク制御チャネル（ｐｈｙｓｉｃａｌ  ｕｐｌｉｎｋ  ｃｏｎｔｒｏｌ  ｃｈａｎｎｅｌ、ＰＵＣＣＨ）リソースの一つ上で伝送ビットを受信することと、
前記伝送ビット及び前記伝送ビットが受信されたＰＵＣＣＨリソースに基づいて、前記第１の搬送波に対する第１のＡＣＫ（ＡＣＫｎｏｗｌｅｄｇｅｍｅｎｔ）／ＮＡＣＫ（Ｎｅｇａｔｉｖｅ  ＡＣＫ）／ＤＴＸ（Ｄｉｓｃｏｎｔｉｎｕｏｕｓ  Ｔｒａｎｓｍｉｓｓｉｏｎ）応答［ｘ（０），ｘ（１），ｘ（２），ｘ（３）］（ここで、ｘ（ｉ）（０≦ｉ≦３）は、前記第１の搬送波上のｉ番目のＤＬ伝送に対するＡＣＫ／ＮＡＣＫ／ＤＴＸ応答）、及び前記第２の搬送波に対する第２のＡＣＫ／ＮＡＣＫ／ＤＴＸ応答［ｙ（０），ｙ（１），ｙ（２），ｙ（３）］（ここで、ｙ（ｉ）（０≦ｉ≦３）は、前記第２の搬送波上のｉ番目のＤＬ伝送に対するＡＣＫ／ＮＡＣＫ／ＤＴＸ応答）を決定することと、を具備し、
前記第１のＡＣＫ／ＮＡＣＫ／ＤＴＸ応答及び前記第２のＡＣＫ／ＮＡＣＫ／ＤＴＸ応答は、マッピングテーブルを用いて決定され、該マッピングテーブルは、下記表のマッピング関係を含み、
【表３７】
0005985498.tif 000043
ここで、ｎ（１）ＰＵＣＣＨｉは、前記複数のＰＵＣＣＨリソースのうち、ＰＵＣＣＨリソースｉ（０≦ｉ≦３）を意味し、ａ０，ａ１は、伝送ビット或いはコンステレーションシンボルを意味する、上りリンク制御情報受信方法。
（項目８）
前記第１の搬送波は、主セル（Ｐｒｉｍａｒｙ  Ｃｅｌｌ）に該当し、前記第２の搬送波は、副セル（Ｓｅｃｏｎｄａｒｙ  Ｃｅｌｌ）に該当する、項目７に記載の上りリンク制御情報受信方法。
（項目９）
無線通信システムにおいて基地局に上りリンク（ＵＬ）制御情報を伝送するユーザー機器であって、
受信器と、
送信器と、
前記受信器及び前記送信器を制御するように構成されたプロセッサと、を備え、
前記プロセッサは、第１の搬送波上の４個の下りリンク（ＤＬ）伝送のそれぞれに対する４個の第１のＡＣＫ（ＡＣＫｎｏｗｌｅｄｇｅｍｅｎｔ）／ＮＡＣＫ（Ｎｅｇａｔｉｖｅ  ＡＣＫ）／ＤＴＸ（Ｄｉｓｃｏｎｔｉｎｕｏｕｓ  Ｔｒａｎｓｍｉｓｓｉｏｎ）応答［ｘ（０），ｘ（１），ｘ（２），ｘ（３）］（ここで、ｘ（ｉ）（０≦ｉ≦３）は、前記第１の搬送波上のｉ番目のＤＬ伝送に対するＡＣＫ／ＮＡＣＫ／ＤＴＸ応答）を検出するように前記受信器を制御し、第２の搬送波上の４個のＤＬ伝送のそれぞれに対する４個の第２のＡＣＫ／ＮＡＣＫ／ＤＴＸ応答［ｙ（０），ｙ（１），ｙ（２），ｙ（３）］（ここで、ｙ（ｉ）（０≦ｉ≦３）は、前記第２の搬送波上のｉ番目のＤＬ伝送に対するＡＣＫ／ＮＡＣＫ／ＤＴＸ応答）を検出するように前記受信器を制御し、
前記プロセッサは、［ｘ（０），ｘ（１），ｘ（２），ｘ（３）］及び［ｙ（０），ｙ（１），ｙ（２），ｙ（３）］に基づいて、複数の物理上りリンク制御チャネル（ｐｈｙｓｉｃａｌ  ｕｐｌｉｎｋ  ｃｏｎｔｒｏｌ  ｃｈａｎｎｅｌ、ＰＵＣＣＨ）リソースのうち一つを選択し、前記第１の搬送波及び前記第２の搬送波のＡＣＫ／ＮＡＣＫ情報のための伝送ビットを生成してチャネル選択を行うように構成され、
前記プロセッサは、前記選択されたＰＵＣＣＨリソース上で前記生成された伝送ビットを伝送するように前記送信器を制御し、
［ｙ（０），ｙ（１），ｙ（２），ｙ（３）］が同一であれば、［ｘ（０），ｘ（１），ｘ（２），ｘ（３）］＝［ＡＣＫ，ＡＣＫ，ＡＣＫ，ＡＣＫ］及び［ｘ（０），ｘ（１），ｘ（２），ｘ（３）］＝［ＡＣＫ，ＤＴＸ，ＤＴＸ，ＤＴＸ］に対して同じ伝送ビットが生成される、ユーザー機器。
（項目１０）
前記プロセッサは、前記［ｙ（０），ｙ（１），ｙ（２），ｙ（３）］が同一であれば、［ｘ（０），ｘ（１），ｘ（２），ｘ（３）］＝［ＡＣＫ，ＡＣＫ，ＡＣＫ，ＡＣＫ］及び［ｘ（０），ｘ（１），ｘ（２），ｘ（３）］＝［ＡＣＫ，ＤＴＸ，ＤＴＸ，ＤＴＸ］に対して同じＰＵＣＣＨリソースを選択するように構成された、項目９に記載のユーザー機器。
（項目１１）
前記プロセッサは、下記のケースに対して同じ伝送ビットを生成するように構成された、項目１０に記載のユーザー機器。
【表３８】
0005985498.tif 000044
（項目１２）
前記プロセッサは、前記ケース１〜４に対しては同じＰＵＣＣＨリソースを生成するように構成された、項目１１に記載のユーザー機器。
（項目１３）
前記第１の搬送波及び前記第２の搬送波のいずれか一つは、主セル（Ｐｒｉｍａｒｙ  Ｃｅｌｌ）に該当し、残りの搬送波は、副搬送波（Ｓｅｃｏｎｄａｒｙ  Ｃｅｌｌ）に該当する、項目９乃至１２のいずれか１項に記載のユーザー機器。
（項目１４）
前記プロセッサは、マッピングテーブルを用いて前記チャネル選択を行い、該マッピングテーブルは、下記表のマッピング関係を含み、
【表３９】
0005985498.tif 000045
ここで、ｎ（１）ＰＵＣＣＨｉは、前記複数のＰＵＣＣＨリソースのうち、ＰＵＣＣＨリソースｉ（０≦ｉ≦３）を意味し、ａ０，ａ１は、伝送ビット或いはコンステレーションシンボル（ｃｏｎｓｔｅｌｌａｔｉｏｎ）を意味する、項目１３に記載のユーザー機器。
（項目１５）
無線通信システムにおいてユーザー機器から上りリンク（ＵＬ）制御情報を受信する基地局であって、
受信器と、
送信器と、
前記受信器及び送信器を制御するように構成されたプロセッサと、を備え、
前記プロセッサは、前記ユーザー機器に第１の搬送波及び第２の搬送波を伝送するように前記送信器を制御し、前記ユーザー機器から複数の物理上りリンク制御チャネル（ｐｈｙｓｉｃａｌ  ｕｐｌｉｎｋ  ｃｏｎｔｒｏｌ  ｃｈａｎｎｅｌ、ＰＵＣＣＨ）リソースの一つ上で伝送ビットを受信するように前記受信器を制御し、
前記プロセッサは、前記伝送ビット及び前記伝送ビットが受信されたＰＵＣＣＨリソースに基づいて、前記第１の搬送波に対する第１のＡＣＫ（ＡＣＫｎｏｗｌｅｄｇｅｍｅｎｔ）／ＮＡＣＫ（Ｎｅｇａｔｉｖｅ  ＡＣＫ）／ＤＴＸ（Ｄｉｓｃｏｎｔｉｎｕｏｕｓ  Ｔｒａｎｓｍｉｓｓｉｏｎ）応答［ｘ（０），ｘ（１），ｘ（２），ｘ（３）］（ここで、ｘ（ｉ）（０≦ｉ≦３）は、前記第１の搬送波上のｉ番目のＤＬ伝送に対するＡＣＫ／ＮＡＣＫ／ＤＴＸ応答）、及び前記第２の搬送波に対する第２のＡＣＫ／ＮＡＣＫ／ＤＴＸ応答［ｙ（０），ｙ（１），ｙ（２），ｙ（３）］（ここで、ｙ（ｉ）（０≦ｉ≦３）は、前記第２の搬送波上のｉ番目のＤＬ伝送に対するＡＣＫ／ＮＡＣＫ／ＤＴＸ応答）を決定するように構成され、
前記プロセッサは、前記第１のＡＣＫ／ＮＡＣＫ／ＤＴＸ応答及び前記第２のＡＣＫ／ＮＡＣＫ／ＤＴＸ応答をマッピングテーブルを用いて決定するように構成され、該マッピングテーブルは、下記表のマッピング関係を含み、
【表４０】
0005985498.tif 000046
ここで、ｎ（１）ＰＵＣＣＨｉは、前記複数のＰＵＣＣＨリソースのうち、ＰＵＣＣＨリソースｉ（０≦ｉ≦３）を意味し、ａ０，ａ１は、伝送ビット或いはコンステレーションシンボル（ｃｏｎｓｔｅｌｌａｔｉｏｎ）を意味する、基地局。
（項目１６）
前記第１の搬送波は、主セル（Ｐｒｉｍａｒｙ  Ｃｅｌｌ）に該当し、前記第２の搬送波は、副セル（Ｓｅｃｏｎｄａｒｙ  Ｃｅｌｌ）に該当する、項目１５に記載の基地局。
【産業上の利用可能性】
【０２８９】
本発明の実施例は、無線通信システムにおいて、基地局又はユーザー機器、その他の装備に使用されることが可能である。
【図１】
0005985498.tif 000055
【図２】
0005985498.tif 000056
【図３】
0005985498.tif 000057
【図４】
0005985498.tif 000058
【図５】
0005985498.tif 000059
【図６】
0005985498.tif 000060
【図７】
0005985498.tif 000061
【図８】
0005985498.tif 000062
【図９】
0005985498.tif 000063
【図１０】
0005985498.tif 000064
【図１１】
0005985498.tif 000065
【図１２】
0005985498.tif 000066
【図１３】
0005985498.tif 000067
【図１４】
0005985498.tif 000068
【図１５】
0005985498.tif 000069
【図１６】
0005985498.tif 000070
【図１７】
0005985498.tif 000071
【図１８】
0005985498.tif 000072
【図１９】
0005985498.tif 000073
【図２０】
0005985498.tif 000074
【図２１】
0005985498.tif 000075
【図２２】
0005985498.tif 000076
【図２３】
0005985498.tif 000077
【図２４】
0005985498.tif 000078
【図２５】
0005985498.tif 000079
【図２６】
0005985498.tif 000080
【図２７】
0005985498.tif 000081
【図２８】
0005985498.tif 000082
【図２９】
0005985498.tif 000083
【図３０】
0005985498.tif 000084
【図３１】
0005985498.tif 000085
【図３２】
0005985498.tif 000086
【図３３】
0005985498.tif 000087
【図３４】
0005985498.tif 000088
【図３５】
0005985498.tif 000089
【図３６】
0005985498.tif 000090
【図３７】
0005985498.tif 000091
【図３８】
0005985498.tif 000092
【図３９】
0005985498.tif 000093